(57)【要約】無線デバイスは少なくとも１つのメッセージを受信する。少なくとも１つのメッセージは、アップリンクセミパーシステントスケジューリング（ＳＰＳ）無線ネットワーク一時識別子（ＲＮＴＩ）、及び少なくとも１つのアップリンクＳＰＳ情報要素（ＩＥ）のシーケンスを含む。シーケンスのアップリンクＳＰＳ  ＩＥは、アップリンクＳＰＳ間隔を含む少なくとも１つのアップリンクＳＰＳ構成パラメータ、及び少なくとも１つのアップリンクＳＰＳ構成パラメータに関するＳＰＳ構成インデックスを含む。アップリンクＳＰＳ  ＲＮＴＩに対応するダウンリンク制御情報（ＤＣＩ）が受信され得る。ＤＣＩは、少なくとも１つのアップリンクＳＰＳ  ＩＥのうちの１つの第１のＳＰＳ構成インデックスを含む。第１のＳＰＳ構成インデックスに対応する少なくとも１つの第１のアップリンクＳＰＳ構成パラメータを用いて、少なくとも１つのトランスポートブロックが送信され得る。【選択図】図２４
2019530294.tif 000002
【特許請求の範囲】
【請求項１】
無線デバイスによって、少なくとも１つのメッセージを受信することであって、前記少なくとも１つのメッセージが、
アップリンクセミパーシステントスケジューリング（ＳＰＳ）無線ネットワーク一時識別子（ＲＮＴＩ）と、
少なくとも１つのアップリンクＳＰＳ情報要素（ＩＥ）のシーケンスと、を含み、前記シーケンスのアップリンクＳＰＳ  ＩＥが、
アップリンクＳＰＳ間隔を含む少なくとも１つのアップリンクＳＰＳ構成パラメータ、及び
前記少なくとも１つのアップリンクＳＰＳ構成パラメータに関するＳＰＳ構成インデックスを含む、メッセージを受信することと、
前記アップリンクＳＰＳ  ＲＮＴＩに対応するダウンリンク制御情報（ＤＣＩ）を受信することであって、前記ＤＣＩが、前記少なくとも１つのアップリンクＳＰＳ  ＩＥのうちの１つの第１のＳＰＳ構成インデックスを含む、ＤＣＩを受信することと、
前記第１のＳＰＳ構成インデックスに対応する少なくとも１つの第１のアップリンクＳＰＳ構成パラメータを用いて、少なくとも１つのトランスポートブロックを送信することと、を含む、方法。
【請求項２】
前記ＤＣＩが、前記少なくとも１つの第１のアップリンクＳＰＳ構成のアクティブ化を示し、
前記ＤＣＩが、少なくとも１つのリソースパラメータを更に含み、
サブフレーム内の前記少なくとも１つのトランスポートブロックの前記送信が、前記少なくとも１つのリソースパラメータを更に用い、
前記サブフレームは、前記少なくとも１つの第１のアップリンクＳＰＳ構成パラメータの第１のアップリンクＳＰＳ間隔を用いて決定される、請求項１に記載の方法。
【請求項３】
前記少なくとも１つのアップリンクＳＰＳ構成パラメータが、前記アップリンクＳＰＳ  ＩＥに対応する１つ以上のトラフィックタイプを示す少なくとも１つのパラメータを含む、請求項１に記載の方法。
【請求項４】
前記少なくとも１つのアップリンクＳＰＳ構成パラメータが、前記アップリンクＳＰＳ  ＩＥに対応する少なくとも１つの論理チャネル識別子を含む、請求項１に記載の方法。
【請求項５】
前記ＤＣＩが、
キャリアインジケータフィールド、
周波数ホッピングフラグ、
リソースブロック割り当て及びホッピングリソース割り当てを示す第１のフィールド、
変調及びコーディングスキーム並びに冗長バージョンを示す第２のフィールド、
１つ以上のトラフィックタイプを示す少なくとも１つのフィールド、
新しいデータインジケータフィールド、又は
送信電力制御（ＴＰＣ）フィールド、のうちの少なくとも１つを更に含む、請求項１に記載の方法。
【請求項６】
少なくとも１つのＲＲＣメッセージが、
サイドリンクＳＰＳ  ＲＮＴＩと、
少なくとも１つのサイドリンクＳＰＳ  ＩＥのシーケンスであって、サイドリンクＳＰＳ  ＩＥが、
少なくとも１つのサイドリンクＳＰＳ構成パラメータのインデックスを示すサイドリンクＳＰＳ構成インデックス、及び
前記少なくとも１つのサイドリンクＳＰＳ構成パラメータを含む、シーケンスと、を更に含む、請求項１に記載の方法。
【請求項７】
前記少なくとも１つのＲＲＣメッセージが、
第２のＳＰＳ  ＲＮＴＩ、及び
前記第２のＳＰＳ  ＲＮＴＩに対応する少なくとも１つの第２のＳＰＳ構成パラメータ、を含む、請求項１に記載の方法。
【請求項８】
少なくとも１つの論理チャネル、少なくとも１つのメッセージサイズ、及び少なくとも１つのトラフィック周期性を含むＳＰＳ支援情報を含むメッセージを、前記無線デバイスによって基地局に送信すること、を更に含む、請求項１に記載の方法。
【請求項９】
前記少なくとも１つのＳＰＳ構成パラメータが、
幾つかの構成されたハイブリッド自動反復要求（ＨＡＲＱ）プロセス、又は
少なくとも１つの送信電力パラメータ、のうちの少なくとも１つを含む、請求項１に記載の方法。
【請求項１０】
無線デバイスによって、少なくとも１つのメッセージを受信することであって、前記少なくとも１つのメッセージが、
サイドリンクセミパーシステントスケジューリング（ＳＰＳ）無線ネットワーク一時識別子（ＲＮＴＩ）と、
少なくとも１つのサイドリンクＳＰＳ情報要素（ＩＥ）のシーケンスと、を含み、サイドリンクＳＰＳ  ＩＥが、
サイドリンクＳＰＳ間隔を含む少なくとも１つのサイドリンクＳＰＳ構成パラメータ、及び
前記少なくとも１つのサイドリンクＳＰＳ構成パラメータに関するＳＰＳ構成インデックスを含む、メッセージを受信することと、
前記サイドリンクＳＰＳ  ＲＮＴＩに対応するダウンリンク制御情報（ＤＣＩ）を受信することであって、前記ＤＣＩが、前記少なくとも１つのサイドリンクＳＰＳ  ＩＥのうちの１つの第１のＳＰＳ構成インデックスを含む、ＤＣＩを受信することと、
前記第１のＳＰＳ構成インデックスに対応する少なくとも１つの第１のサイドリンクＳＰＳ構成パラメータを用いて、少なくとも１つのトランスポートブロックを送信することと、を含む、方法。
【請求項１１】
前記ＤＣＩが、前記少なくとも１つの第１のサイドリンクＳＰＳ構成のアクティブ化を示し、
前記ＤＣＩが、少なくとも１つのリソースパラメータを更に含み、
サブフレーム内の前記少なくとも１つのトランスポートブロックの前記送信が、前記少なくとも１つのリソースパラメータを更に用い、
前記サブフレームは、前記少なくとも１つの第１のサイドリンクＳＰＳ構成パラメータの第１のサイドリンクＳＰＳ間隔を用いて決定される、請求項１０に記載の方法。
【請求項１２】
前記少なくとも１つのサイドリンクＳＰＳ構成パラメータが、前記サイドリンクＳＰＳ  ＩＥに対応する１つ以上のトラフィックタイプを示す少なくとも１つのパラメータを含む、請求項１０に記載の方法。
【請求項１３】
前記少なくとも１つのサイドリンクＳＰＳ構成パラメータが、前記サイドリンクＳＰＳ  ＩＥに対応する少なくとも１つの論理チャネル識別子を含む、請求項１０に記載の方法。
【請求項１４】
前記ＤＣＩが、
キャリアインジケータフィールド、
周波数ホッピングフラグ、
リソースブロック割り当て及びホッピングリソース割り当てを示す第１のフィールド、
変調及びコーディングスキーム並びに冗長バージョンを示す第２のフィールド、
１つ以上のトラフィックタイプを示す少なくとも１つのフィールド、
新しいデータインジケータフィールド、又は
送信電力制御（ＴＰＣ）フィールド、のうちの少なくとも１つを更に含む、請求項１０に記載の方法。
【請求項１５】
少なくとも１つのＲＲＣメッセージが、
アップリンクＳＰＳ  ＲＮＴＩと、
少なくとも１つのアップリンクＳＰＳ  ＩＥのシーケンスであって、アップリンクＳＰＳ  ＩＥが、
少なくとも１つのアップリンクＳＰＳ構成パラメータのインデックスを示すアップリンクＳＰＳ構成インデックス、及び
前記少なくとも１つのアップリンクＳＰＳ構成パラメータ、を含む、シーケンスと、を含む、請求項１０に記載の方法。
【請求項１６】
前記少なくとも１つのＲＲＣメッセージが、
第２のＳＰＳ  ＲＮＴＩ、及び
前記第２のＳＰＳ  ＲＮＴＩに対応する少なくとも１つの第２のＳＰＳ構成パラメータ、を含む、請求項１０に記載の方法。
【請求項１７】
前記サイドリンクＳＰＳ  ＲＮＴＩがＶ２Ｘ通信に用いられる、請求項１０に記載の方法。
【請求項１８】
前記少なくとも１つのＳＰＳ構成パラメータが、
幾つかの構成されたハイブリッド自動反復要求（ＨＡＲＱ）プロセス、又は
少なくとも１つの送信電力パラメータ、のうちの少なくとも１つを含む、請求項１０に記載の方法。
【請求項１９】
基地局によって、少なくとも１つのメッセージを送信することであって、前記少なくとも１つのメッセージが、
アップリンク周期的リソース割り当て無線ネットワーク一時識別子（ＲＮＴＩ）と、
少なくとも１つのアップリンク周期的リソース割り当て情報要素（ＩＥ）のシーケンスと、を含み、前記アップリンク周期的リソース割り当てＩＥが、
少なくとも１つのアップリンク周期的リソース割り当て構成パラメータ、及び
前記少なくとも１つのアップリンク周期的リソース割り当て構成パラメータに関する周期的リソース割り当て構成インデックスを含む、メッセージを送信することと、
前記アップリンク周期的リソース割り当てＲＮＴＩに対応するダウンリンク制御情報（ＤＣＩ）を送信することであって、前記ＤＣＩが、前記少なくとも１つのアップリンク周期的リソース割り当てＩＥのうちの１つの第１の周期的リソース割り当て構成インデックスを含む、ＤＣＩを送信することと、
前記第１の周期的リソース割り当て構成インデックスに対応する少なくとも１つの第１のアップリンク周期的リソース割り当て構成パラメータを用いて、少なくとも１つのトランスポートブロックを受信することと、を含む、方法。
【請求項２０】
前記アップリンク周期的リソース割り当てＲＮＴＩに対応する第２のＤＣＩを送信することを更に含み、
前記第２のＤＣＩが、前記少なくとも１つのアップリンク周期的リソース割り当て構成をリリースするように構成されており、
前記第２のＤＣＩが、前記第１の周期的リソース割り当て構成インデックスを含む、請求項１９に記載の方法。
【請求項２１】
無線デバイスによって、少なくとも１つのメッセージを受信することであって、前記少なくとも１つのメッセージが、
アップリンクセミパーシステントスケジューリング（ＳＰＳ）無線ネットワーク一時識別子（ＲＮＴＩ）、
アップリンクＳＰＳ間隔を含む少なくとも１つのアップリンクＳＰＳ構成パラメータ、及び
前記少なくとも１つのアップリンクＳＰＳ構成パラメータに関するＳＰＳ構成インデックスを含む、メッセージを受信することと、
前記アップリンクＳＰＳ  ＲＮＴＩに対応するダウンリンク制御情報（ＤＣＩ）を受信することであって、前記ＤＣＩが、前記ＳＰＳ構成インデックスを含む、ＤＣＩを受信することと、
前記少なくとも１つのアップリンクＳＰＳ構成パラメータを用いて、少なくとも１つのトランスポートブロックを送信することと、を含む、方法。
【請求項２２】
無線デバイスによって、少なくとも１つのメッセージを受信することであって、前記少なくとも１つのメッセージが、
アップリンク周期的リソース割り当て無線ネットワーク一時識別子（ＲＮＴＩ）、
アップリンク周期的リソース割り当て間隔を含む少なくとも１つのアップリンク周期的リソース割り当て構成パラメータ、及び
前記少なくとも１つのアップリンク周期的リソース割り当て構成パラメータに関する周期的リソース割り当て構成インデックスを含む、メッセージを受信することと、
前記アップリンク周期的リソース割り当てＲＮＴＩに対応するダウンリンク制御情報（ＤＣＩ）を受信することであって、前記ＤＣＩが、前記周期的リソース割り当て構成インデックスを含む、ＤＣＩを受信することと、
前記少なくとも１つのアップリンク周期的リソース割り当て構成パラメータを用いて、前記少なくとも１つのトランスポートブロックを送信することと、を含む、方法。
【請求項２３】
無線デバイスによって、少なくとも１つのメッセージを受信することであって、前記少なくとも１つのメッセージが、
サイドリンクセミパーシステントスケジューリング（ＳＰＳ）無線ネットワーク一時識別子（ＲＮＴＩ）、
サイドリンクＳＰＳ間隔を含む少なくとも１つのサイドリンクＳＰＳ構成パラメータ、及び
前記少なくとも１つのサイドリンクＳＰＳ構成パラメータに関するＳＰＳ構成インデックスを含む、メッセージを受信することと、
前記サイドリンクＳＰＳ  ＲＮＴＩに対応するダウンリンク制御情報（ＤＣＩ）を受信することであって、前記ＤＣＩが、前記ＳＰＳ構成インデックスを含む、ＤＣＩを受信することと、
前記少なくとも１つのサイドリンクＳＰＳ構成パラメータを用いて、少なくとも１つのトランスポートブロックを送信することと、を含む、方法。
【請求項２４】
基地局によって、少なくとも１つのメッセージを送信することであって、前記少なくとも１つのメッセージが、
アップリンクセミパーシステントスケジューリング（ＳＰＳ）無線ネットワーク一時識別子（ＲＮＴＩ）、
少なくとも１つのアップリンクＳＰＳ構成パラメータ、及び
前記少なくとも１つのアップリンクＳＰＳ構成パラメータに関するＳＰＳ構成インデックスを含む、メッセージを送信することと、
前記アップリンクＳＰＳ  ＲＮＴＩに対応するダウンリンク制御情報（ＤＣＩ）を送信することであって、前記ＤＣＩが、前記ＳＰＳ構成インデックスを含む、ＤＣＩを送信することと、
前記少なくとも１つのアップリンクＳＰＳ構成パラメータを用いて、少なくとも１つのトランスポートブロックを受信することと、を含む、方法。
【請求項２５】
基地局によって、少なくとも１つのメッセージを送信することであって、前記少なくとも１つのメッセージが、
アップリンク周期的リソース割り当て無線ネットワーク一時識別子（ＲＮＴＩ）、
少なくとも１つのアップリンク周期的リソース割り当て構成パラメータ、及び
前記少なくとも１つのアップリンク周期的リソース割り当て構成パラメータに関する周期的リソース割り当て構成インデックスを含む、メッセージを送信することと、
前記アップリンク周期的リソース割り当てＲＮＴＩに対応するダウンリンク制御情報（ＤＣＩ）を送信することであって、前記ＤＣＩが、前記周期的リソース割り当て構成インデックスを含む、ＤＣＩを送信することと、
前記少なくとも１つのアップリンク周期的リソース割り当て構成パラメータを用いて、少なくとも１つのトランスポートブロックを受信することと、を含む、方法。
【請求項２６】
基地局によって、少なくとも１つのメッセージを送信することであって、前記少なくとも１つのメッセージが、
サイドリンクセミパーシステントスケジューリング（ＳＰＳ）無線ネットワーク一時識別子（ＲＮＴＩ）、
サイドリンクＳＰＳ間隔を含む少なくとも１つのサイドリンクＳＰＳ構成パラメータ、及び
前記少なくとも１つのサイドリンクＳＰＳ構成パラメータに関するＳＰＳ構成インデックスを含む、メッセージを送信することと、
前記サイドリンクＳＰＳ  ＲＮＴＩに対応するダウンリンク制御情報（ＤＣＩ）を受信することと、を含み、
前記ＤＣＩが、前記ＳＰＳ構成インデックスを含み、かつ
前記少なくとも１つのアップリンクＳＰＳ構成パラメータに基づいて、少なくとも１つのトランスポートブロックの送信を開始するように構成されている、方法。
【請求項２７】
無線デバイスによって、少なくとも１つのメッセージを受信することであって、前記少なくとも１つのメッセージが、
周期的リソース割り当てのためのアップリンク無線ネットワーク一時識別子（ＲＮＴＩ）と、
周期的リソース割り当てのための少なくとも１つの構成パラメータと、を含み、前記少なくとも１つの構成パラメータが、
アップリンク間隔パラメータ、及び
１つ以上のトラフィックタイプを示す少なくとも１つの第１のパラメータを含む、メッセージを受信することと、
前記アップリンクＲＮＴＩに対応するダウンリンク制御情報（ＤＣＩ）を受信することであって、前記ＤＣＩが、前記周期的リソース割り当てのアクティブ化を示す、ＤＣＩを受信することと、
前記少なくとも１つの構成パラメータを用いて、前記１つ以上のトラフィックタイプのデータを含む少なくとも１つのトランスポートブロックを送信することと、を含む、方法。
【請求項２８】
少なくとも１つのパラメータが、少なくとも１つの論理チャネル識別子を含む、請求項２７に記載の方法。
【請求項２９】
前記アップリンクＲＮＴＩに対応する第２のＤＣＩを受信することを更に含み、前記第２のＤＣＩが、前記周期的リソース割り当てをリリースする、請求項２７に記載の方法。
【請求項３０】
前記少なくとも１つのメッセージが、前記少なくとも１つの構成パラメータのインデックスを示す周期的リソース割り当て構成インデックスを更に含み、かつ
前記ＤＣＩが、前記周期的リソース割り当て構成インデックスを含む、請求項２７に記載の方法。
【請求項３１】
前記無線デバイスのアップリンクバッファが前記１つ以上のトラフィックタイプのデータを含まないとき、前記ＤＣＩによって示されるリソース内のアップリンク送信をスキップすることを更に含む、請求項２７に記載の方法。
【請求項３２】
前記ＤＣＩが、少なくとも１つのリソースパラメータを含み、
サブフレーム内の前記少なくとも１つのトランスポートブロックの前記送信が、前記少なくとも１つのリソースパラメータを更に用い、
前記サブフレームが、前記アップリンク間隔パラメータを用いて決定される、請求項２７に記載の方法。
【請求項３３】
前記少なくとも１つの構成パラメータが、
幾つかの構成されたハイブリッド自動反復要求（ＨＡＲＱ）プロセス、又は
少なくとも１つの送信電力パラメータ、のうちの少なくとも１つを含む、請求項２７に記載の方法。
【請求項３４】
基地局によって、少なくとも１つのメッセージを送信することであって、前記少なくとも１つのメッセージが、
周期的リソース割り当てのためのアップリンク無線ネットワーク一時識別子（ＲＮＴＩ）と、
前記周期的リソース割り当てのための少なくとも１つの構成パラメータと、を含み、前記少なくとも１つの構成パラメータが、
アップリンク間隔パラメータ、及び
１つ以上のトラフィックタイプを示す少なくとも１つのパラメータを含む、メッセージを送信することと、
前記アップリンクＲＮＴＩに対応するダウンリンク制御情報（ＤＣＩ）を送信することであって、前記ＤＣＩが、前記周期的リソース割り当てのアクティブ化を示す、ＤＣＩを送信することと、
前記少なくとも１つの構成パラメータを用いて、前記１つ以上のトラフィックタイプのデータを含む少なくとも１つのトランスポートブロックを受信することと、を含む、方法。
【請求項３５】
少なくとも１つのパラメータが、少なくとも１つの論理チャネル識別子を含む、請求項３４に記載の方法。
【請求項３６】
前記アップリンクＲＮＴＩに対応する少なくとも第２のＤＣＩを受信することを更に含み、前記ＤＣＩが、前記周期的リソース割り当てをリリースする、請求項３４に記載の方法。
【請求項３７】
前記少なくとも１つのメッセージが、前記少なくとも１つの構成パラメータのインデックスを示す周期的リソース割り当て構成インデックスを更に含み、かつ
前記ＤＣＩが、前記周期的リソース割り当て構成インデックスを含む、請求項３４に記載の方法。
【請求項３８】
前記無線デバイスのアップリンクバッファが前記１つ以上のトラフィックタイプのデータを含まないとき、前記ＤＣＩによって示されるリソース内のアップリンク送信をスキップすることを更に含む、請求項３４に記載の方法。
【請求項３９】
前記ＤＣＩが、少なくとも１つのリソースパラメータを含み、
サブフレーム内の前記少なくとも１つのトランスポートブロックの前記送信が、前記少なくとも１つのリソースパラメータを更に用い、
前記サブフレームが、前記アップリンク間隔パラメータを用いて決定される、請求項３４に記載の方法。
【請求項４０】
前記少なくとも１つの構成パラメータが、
幾つかの構成されたハイブリッド自動反復要求（ＨＡＲＱ）プロセス、又は
少なくとも１つの送信電力パラメータ、のうちの少なくとも１つを含む、請求項３４に記載の方法。
【請求項４１】
無線デバイスであって、
１つ以上のプロセッサと、
命令を格納するメモリと、を備え、前記命令は、前記１つ以上のプロセッサによって実行されると、前記無線デバイスに、
少なくとも１つのメッセージを受信することであって、前記少なくとも１つのメッセージが、
周期的リソース割り当てのためのアップリンク無線ネットワーク一時識別子（ＲＮＴＩ）、及び
前記周期的リソース割り当てのための少なくとも１つの構成パラメータであって、アップリンク間隔パラメータを含む、少なくとも１つの構成パラメータ、を含む、メッセージを受信することと、
前記アップリンクＲＮＴＩに対応するダウンリンク制御情報（ＤＣＩ）を受信することであって、前記ＤＣＩが、前記周期的リソース割り当てのアクティブ化を示し、前記ＤＣＩが、１つ以上のトラフィックタイプを示す少なくとも１つのフィールドを含む、ＤＣＩを受信することと、
前記少なくとも１つの構成パラメータを用いて、前記１つ以上のトラフィックタイプのデータを含む少なくとも１つのトランスポートブロックを送信することと、を行わせる、無線デバイス。
【請求項４２】
少なくとも１つのパラメータが、少なくとも１つの論理チャネル識別子を含む、請求項４１に記載の無線デバイス。
【請求項４３】
前記命令が、前記１つ以上のプロセッサによって実行されたとき、前記無線デバイスに、前記アップリンクＲＮＴＩに対応する少なくとも第２のＤＣＩを更に受信させ、前記ＤＣＩが前記周期的リソース割り当てのリリースを示す、請求項４１に記載の無線デバイス。
【請求項４４】
前記少なくとも１つのメッセージが、前記少なくとも１つの構成パラメータに関する周期的リソース割り当て構成インデックスを更に含み、かつ
前記ＤＣＩが、前記周期的リソース割り当て構成インデックスを含む、請求項４１に記載の無線デバイス。
【請求項４５】
前記無線デバイスのアップリンクバッファが前記１つ以上のトラフィックタイプのデータを含まないとき、前記ＤＣＩによって示されるリソース内のアップリンク送信をスキップすることを更に含む、請求項４１に記載の無線デバイス。
【請求項４６】
前記ＤＣＩが、少なくとも１つのリソースパラメータを含み、かつ
サブフレーム内の前記少なくとも１つのトランスポートブロックの送信が、前記少なくとも１つのリソースパラメータを更に用い、
前記サブフレームが、前記アップリンク間隔パラメータを用いて決定される、請求項４１に記載の無線デバイス。
【請求項４７】
無線デバイスによって、１つ以上のセミパーシステントスケジューリング（ＳＰＳ）支援情報を含むメッセージを送信することであって、前記１つ以上のセミパーシステントスケジューリング（ＳＰＳ）支援情報が、
ＳＰＳトラフィックと関連付けられた論理チャネル識別情報、
前記ＳＰＳトラフィックと関連付けられたメッセージサイズ、及び
前記ＳＰＳトラフィックと関連付けられた周期性を含む、メッセージを送信することと、
前記ＳＰＳ支援情報に応答して、ＳＰＳ許可のアクティブ化を示すアクティブ化コマンドを受信することであって、前記ＳＰＳ許可内の１つ以上のパラメータが、前記ＳＰＳ支援情報に基づいている、コマンドを受信することと、を含む、方法。
【請求項４８】
無線デバイスによって、１つ以上のセミパーシステントスケジューリング（ＳＰＳ）支援情報を含むメッセージを送信することであって、前記１つ以上のセミパーシステントスケジューリング（ＳＰＳ）支援情報が、
ＳＰＳトラフィックと関連付けられた論理チャネル識別情報、
前記ＳＰＳトラフィックと関連付けられたメッセージサイズ、及び
前記ＳＰＳトラフィックと関連付けられた周期性を含む、メッセージを送信することと、
前記ＳＰＳ支援情報に応答して、ＳＰＳの１つ以上の構成パラメータを含む無線リソース制御（ＲＲＣ）メッセージを受信することであって、前記ＳＰＳ許可内の前記１つ以上の構成パラメータが、前記ＳＰＳ支援情報に基づいている、メッセージを受信することと、を含む、方法。
【請求項４９】
無線デバイスによって、少なくとも１つのメッセージを受信することであって、前記少なくとも１つのメッセージが、
第１の周期的リソース割り当てのための少なくとも１つの第１の情報要素（ＩＥ）であって、第１のアップリンク間隔パラメータを含む、第１のＩＥ、及び
第２の周期的リソース割り当てのための少なくとも１つの第２のＩＥであって、第２のアップリンク間隔パラメータを含む、第２のＩＥを含む、メッセージを受信することと、
第１の重複サブフレームを含む第１の複数のサブフレームに対する、前記第１の周期的リソース割り当てのアクティブ化を示す第１のダウンリンク制御情報（ＤＣＩ）を受信することと、
前記第１の重複サブフレームを含む第２の複数のサブフレームに対する、前記第２の周期的リソース割り当てのアクティブ化を示す第２のＤＣＩを受信することと、
前記第１の重複サブフレーム内の少なくとも１つのトランスポートブロックの送信のために選択されたＤＣＩとして、前記第１のＤＣＩと前記第２のＤＣＩのうちの１つを選択することと、
前記第１の重複サブフレームにおける送信のために前記第１のＤＣＩと前記第２のＤＣＩのうちの選択されていない方を無視することと、
前記少なくとも１つのトランスポートブロックを送信することであって、
前記選択されたＤＣＩ、及び
前記選択されたＤＣＩに対応する、前記少なくとも１つの第１のＩＥ又は前記少なくとも１つの第２のＩＥを含む、少なくとも１つのトランスポートブロックを送信することと、を含む、方法。
【請求項５０】
前記第１の重複サブフレームにおける前記少なくとも１つのトランスポートブロックの送信のための前記選択されたＤＣＩとして前記第１のＤＣＩ及び前記第２のＤＣＩのうちの前記１つを前記選択することは、１つ以上の基準に基づいている、請求項４９に記載の方法。
【請求項５１】
前記少なくとも１つの第１のＩＥが、１つ以上の第１のトラフィックタイプを示す少なくとも１つのパラメータを含み、
前記少なくとも１つの第２のＩＥが、１つ以上の第１のトラフィックタイプを示す少なくとも１つのパラメータを含み、
前記１つ以上の基準が、前記１つ以上の第１のトラフィックタイプ及び前記１つ以上の第２のトラフィックタイプの優先度に依存する、請求項５０に記載の方法。
【請求項５２】
前記１つ以上の基準が、前記第１のＤＣＩ及び前記第２のＤＣＩ内の１つ以上のパラメータに依存する、請求項５０に記載の方法。
【請求項５３】
前記１つ以上の基準が、前記少なくとも１つの第１のＩＥ及び前記少なくとも１つの第２のＩＥ内の１つ以上のパラメータに依存する、請求項５０に記載の方法。
【請求項５４】
前記１つ以上の基準が、前記第１のアップリンク間隔パラメータ及び前記第２のアップリンク間隔パラメータに依存する、請求項５０に記載の方法。
【請求項５５】
前記１つ以上の基準が、前記第１のＤＣＩと関連付けられた第１の無線リソース割り当て、及び前記第２のＤＣＩと関連付けられた第２の無線リソース割り当てに依存する、請求項５０に記載の方法。
【請求項５６】
無線デバイスによって、１つ以上のメッセージを受信することであって、前記１つ以上のメッセージが、
第１のセミパーシステントスケジューリング（ＳＰＳ）のための第１の構成パラメータ、
第２のＳＰＳに対する第２の構成パラメータ、及び
前記第１のＳＰＳと前記第２のＳＰＳの間で共有される最大数のアップリンクハイブリッド自動反復要求（ＨＡＲＱ）プロセスを含む、メッセージを受信することと、
前記第１のＳＰＳに対する第１のリソース割り当てを示す第１のダウンリンク制御情報（ＤＣＩ）を受信することと、
前記第２のＳＰＳに対する第２のリソース割り当てを示す第２のＤＣＩを受信することと、
第１のＨＡＲＱプロセス識別子と関連付けられた第１のトランスポートブロック（ＴＢ）を、前記第１のリソース割り当てを用いて送信することと、
第２のＨＡＲＱプロセス識別子と関連付けられた第２のＴＢを、前記第２のリソース割り当てを用いて送信することであって、前記第２のＳＰＳの前記第２のＨＡＲＱプロセス識別子が、少なくとも前記第１のＳＰＳの前記第１のＨＡＲＱプロセス識別子に基づいて決定される、第２のＴＢを送信することと、を含む、方法。
【請求項５７】
前記第１の構成パラメータ及び前記第２の構成パラメータが、最大数のアップリンクＨＡＲＱプロセスを含む、請求項５６に記載の方法。
【請求項５８】
前記第１の構成パラメータが第１の間隔値を含み、前記第２の構成パラメータが第２の間隔値を含む、請求項５６に記載の方法。
【請求項５９】
前記１つ以上のメッセージが、前記第１のＳＰＳと前記第２のＳＰＳの間で共有される第３の構成パラメータを更に含む、請求項５６に記載の方法。
【請求項６０】
前記第２のＨＡＲＱプロセス識別子が、（前記第１のＨＡＲＱプロセス識別子に第１の数を加えた）モジュロ（アップリンクＨＡＲＱプロセスの最大数）である、請求項５６に記載の方法。
【請求項６１】
前記第２のＴＢが前記第１のＴＢの次のＳＰＳ  ＴＢであることに応答して、前記第１の数が１である、請求項６０に記載の方法。
【請求項６２】
前記無線デバイスが前記第１のＴＢを送信していないことに応答して、前記第１の数がゼロである、請求項５６に記載の方法。
【請求項６３】
前記１つ以上のメッセージが、少なくとも１つのオフセット値を更に含む、請求項５６に記載の方法。
【請求項６４】
第１のセミパーシステントスケジューリング（ＳＰＳ）のための第１の構成パラメータ、及び第２のＳＰＳのための第２の構成パラメータを含む、１つ以上のメッセージを、無線デバイスによって受信することと、
前記第１のＳＰＳに対する第１のリソース割り当てを示す第１のダウンリンク制御情報（ＤＣＩ）を受信することと、
前記第２のＳＰＳに対する第２のリソース割り当てを示す第２のＤＣＩを受信することと、
少なくとも第１のオフセット値に基づいて、第１のハイブリッド自動反復要求（ＨＡＲＱ）プロセス識別子を決定することと、
前記第１のＨＡＲＱプロセス識別子と関連付けられた前記第１のＳＰＳの第１のトランスポートブロック（ＴＢ）を、前記第１のリソース割り当てを用いて送信することと、
少なくとも第２のオフセット値に基づいて第２のＨＡＲＱプロセス識別子を決定することであって、前記第２のオフセット値が前記第１のオフセット値とは異なる、第２のＨＡＲＱプロセス識別子を決定することと、
前記第２のＨＡＲＱプロセス識別子と関連付けられた前記第２のＳＰＳの前記第２のＴＢを、第２のリソース割り当てを用いて送信することと、を含む、方法。
【請求項６５】
前記第１の構成パラメータが前記第１のオフセット値を示し、前記第２の構成パラメータが前記第２のオフセット値を示す、請求項６４に記載の方法。
【請求項６６】
前記第１のＤＣＩが前記第１のオフセット値を示し、前記第２のＤＣＩが前記第２のオフセット値を示す、請求項６４に記載の方法。
【請求項６７】
前記第１の１つ以上のメッセージが、前記第１のオフセット値及び前記第２のオフセット値を含む複数のオフセット値を含み、前記第１のＤＣＩが、前記第１のオフセット値に対する第１のインデックスを含み、前記第２のＤＣＩが、前記第２のオフセット値に対する第２のインデックスを含む、請求項６４に記載の方法。
【請求項６８】
前記第１のオフセット値及び前記第２のオフセット値が、少なくとも、前記第１のＳＰＳと関連付けられた第１のシーケンス識別子、及び前記第２のＳＰＳと関連付けられた第２のシーケンス識別子に基づいて取得される、請求項６４に記載の方法。
【請求項６９】
前記第２オフセット値が、前記第１のオフセット値に、前記第１の構成パラメータのうちの第１のパラメータを加えたものである、請求項６８に記載の方法。
【請求項７０】
前記１つ以上のメッセージが、前記第１のＳＰＳシーケンス識別子及び前記第２のＳＰＳシーケンス識別子を含む、請求項６８に記載の方法。
【請求項７１】
前記第１のシーケンス識別子及び前記第２のシーケンス識別子が、少なくとも前記第１の構成パラメータ及び前記第２の構成パラメータに基づいて取得される、請求項６８に記載の方法。
【請求項７２】
前記第１のオフセット値がゼロである、請求項６４に記載の方法。
【請求項７３】
前記第１の構成パラメータが第１の間隔値を含み、前記第２の構成パラメータが第２の間隔値を含む、請求項６４に記載の方法。
【請求項７４】
前記第１の構成パラメータが第１の数のアップリンクＳＰＳプロセスを含み、前記第２の構成パラメータが第２の数のアップリンクＳＰＳプロセスを含む、請求項６４に記載の方法。
【請求項７５】
前記１つ以上のメッセージが、前記第１のＳＰＳと前記第２のＳＰＳの間で共有される第３の構成パラメータを更に含む、請求項６４に記載の方法。
【請求項７６】
無線デバイスによって、１つ以上のメッセージを受信することであって、前記１つ以上のメッセージが、
第１の複数のハイブリッド自動反復要求（ＨＡＲＱ）識別子を含む第１のセミパーシステントスケジューリング（ＳＰＳ）のための第１の構成パラメータ、及び
第２の複数のＨＡＲＱ識別子を含む第２のＳＰＳのための第２の構成パラメータ、を含むメッセージを受信することと、
前記第１のＳＰＳに対する第１のリソース割り当てを含む第１のダウンリンク制御情報（ＤＣＩ）を受信することと、
少なくとも前記第１の複数のＨＡＲＱプロセス識別子及び前記第１のリソース割り当てに基づいて、第１のＨＡＲＱプロセス識別子を決定することと、
前記第１のＨＡＲＱプロセス識別子と関連付けられた前記第１のＳＰＳの第１のトランスポートブロック（ＴＢ）を送信することと、
少なくとも前記第２の複数のＨＡＲＱプロセス識別子及び前記第２のリソース割り当てに基づいて、第２のＨＡＲＱプロセス識別子を決定することと、
前記第２のＨＡＲＱプロセス識別子と関連付けられた前記第２のＳＰＳの第２のＴＢを送信することと、を含む、方法。
【発明の詳細な説明】
【技術分野】
【０００１】
関連出願の相互参照
本出願は、２０１６年８月１２日に出願された米国仮出願第６２／３７４，５８０号、２０１６年９月２５日に出願された米国仮出願第６２／３９９，４４２号、及び２０１６年９月２５日に出願された米国仮出願第６２／３９９，４４３号の利益を主張し、その全体が参照により本明細書に組み込まれる。
【発明の概要】
【課題を解決するための手段】
【０００２】
本開示の複数の例示的実施形態が、キャリアアグリゲーションのオペレーションを可能にする。ここに開示する技術の複数の実施形態を、マルチキャリア通信システムの技術分野において採用することが可能である。
【図面の簡単な説明】
【０００３】
本開示の様々な実施形態のうちの幾つかの例を、ここに図面を参照しながら記載する。
【０００４】
【図１】本開示の一実施形態の一局面によるＯＦＤＭサブキャリアの例示的なセットを示す図である。
【図２】本開示の一実施形態の一局面によるキャリアグループ内の２つのキャリアに関する例示的な送信時間及び受信時間を示す図である。
【図３】本開示の一実施形態の一局面によるＯＦＤＭ無線リソースを示す例示的な図である。
【図４】本開示の一実施形態の一局面による基地局及び無線デバイスを示す例示的なブロック図である。
【図５Ａ】本開示の一実施形態の一局面によるアップリンク及びダウンリンク信号伝送の例示的な図である。
【図５Ｂ】本開示の一実施形態の一局面によるアップリンク及びダウンリンク信号伝送の例示的な図である。
【図５Ｃ】本開示の一実施形態の一局面によるアップリンク及びダウンリンク信号伝送の例示的な図である。
【図５Ｄ】本開示の一実施形態の一局面によるアップリンク及びダウンリンク信号伝送の例示的な図である。
【図６】本開示の一実施形態の一局面によるＣＡ及びＤＣを用いたプロトコル構成の例示的な図である。
【図７】本開示の一実施形態の一局面によるＣＡ及びＤＣを用いたプロトコル構成の例示的な図である。
【図８】本開示の一実施形態の一局面による例示的なＴＡＧ構造を示している。
【図９】本開示の一実施形態の一局面による二次ＴＡＧにおけるランダムアクセスプロセスの例示的なメッセージフローである。
【図１０】本開示の一実施形態の一局面によるアクティブ化／非アクティブ化ＭＡＣ制御要素を示す例示的な図である。
【図１１】本開示の一実施形態の一局面による例示的なサブフレームオフセット値を示す例示的な図である。
【図１２】本開示の一実施形態の一局面による例示的なアップリンクＳＰＳのアクティブ化及びリリースを示す例示的な図である。
【図１３】本開示の一実施形態の一局面による例示的な複数の並列ＳＰＳを示す例示的な図である。
【図１４】本開示の一実施形態の一局面による例示的なＲＲＣ構造及び例示的なＤＣＩを示す例示的な図である。
【図１５】本開示の一実施形態の一局面による、例示的なＲＲＣ構成及び例示的なＤＣＩを示す例示的な図である。
【図１６】本開示の一実施形態の一局面による例示的なＤＣＩを示す例示的な図である。
【図１７】本開示の一実施形態の一局面による例示的なシグナリングフローを示す例示的な図である。
【図１８】本開示の一実施形態の一局面によるＨＡＲＱプロセス識別子を決定するための例示的なプロシージャである。
【図１９】本開示の一実施形態の一局面によるＨＡＲＱプロセス識別子を決定するための例示的なプロシージャである。
【図２０】本開示の一実施形態の一局面によるＨＡＲＱプロセス識別子を決定するための例示的なプロシージャである。
【図２１】本開示の一施形態の一局面による例示的なシグナリングフローを示す例示的な図である。
【図２２】本開示の一実施形態の一局面による例示的なシグナリングフローを示す例示的な図である。
【図２３】本開示の一実施形態の一局面による例示的なシグナリングフローを示す例示的な図である。
【図２４】本開示の一実施形態の一局面による例示的なシグナリングフローを示す例示的な図である。
【図２５】本開示の一実施形態の一局面による例示的な流れ図である。
【図２６】本開示の一実施形態の一局面による例示的な流れ図である。
【図２７】本開示の一実施形態の一局面による例示的な流れ図である。
【図２８】本開示の一実施形態の一局面による例示的な流れ図である。
【図２９】本開示の一実施形態の一局面による例示的な流れ図である。
【図３０】本開示の一実施形態の一局面による例示的な流れ図である。
【図３１】本開示の一実施形態の一局面による例示的な流れ図である。
【図３２】本開示の一実施形態の一局面による例示的な流れ図である。
【図３３】本開示の一実施形態の一局面による例示的な流れ図である。
【図３４】本開示の一実施形態の一局面による例示的な流れ図である。
【図３５】本開示の一実施形態の一局面による例示的な流れ図である。
【図３６】本開示の一実施形態の一局面による例示的な流れ図である。
【図３７】は、本開示の一実施形態の一局面による例示的な流れ図である。
【発明を実施するための形態】
【０００５】
本開示を通じ、以下の略称が使用される。
【表１−１】
2019530294.tif 000003
【表１−２】
2019530294.tif 000004
【０００６】
本発明の例示的実施形態が、種々の物理層変調及び伝送機構を使用して具現化されてもよい。例示的伝送機構として、限定ではないが、ＣＤＭＡ、ＯＦＤＭ、ＴＤＭＡ、ウェーブレット技術、及び／又は同等物が挙げられる。ＴＤＭＡ／ＣＤＭＡ及びＯＦＤＭ／ＣＤＭＡ等のハイブリッド伝送機構もまた、採用されてもよい。種々の変調スキームが、物理層内の信号伝送のために適用されてもよい。変調スキームの例として、限定ではないが、位相、振幅、コード、これらの組み合わせ、及び／又は同等物が挙げられる。例示的な無線伝送方法が、ＢＰＳＫ、ＱＰＳＫ、１６−ＱＡＭ、６４−ＱＡＭ、２５６−ＱＡＭ、及び／又は同等物を使用して、ＱＡＭを具現化してもよい。物理無線伝送が、伝送要件及び無線条件に応じて、変調及びコーディングスキームを動的又は半動的に変化させることによって強化されてもよい。
【０００７】
図１は、本発明の実施形態の一局面による、ＯＦＤＭサブキャリアの例示的セットを描写する略図である。本実施例に図示されるように、図内の矢印が、マルチキャリアＯＦＤＭシステム内のサブキャリアを示してもよい。ＯＦＤＭシステムが、ＯＦＤＭ技術、ＤＦＴＳ−ＯＦＤＭ技術、ＳＣ−ＯＦＤＭ技術、又は同等物等の技術を使用してもよい。例えば、矢印１０１は、サブキャリア伝送情報シンボルを示す。図１は、例証を目的とするものであって、典型的なマルチキャリアＯＦＤＭシステムが、キャリア内により多くのサブキャリアを含んでもよい。例えば、キャリア内のサブキャリアの数が、１０〜１０，０００サブキャリアの範囲内であってもよい。図１は、伝送バンド内の２つのガードバンド１０６及び１０７を示す。図１に図示されるように、ガードバンド１０６は、サブキャリア１０３とサブキャリア１０４との間にある。サブキャリアＡ１０２の例示的セットは、サブキャリア１０３と、サブキャリア１０４とを含む。図１はまた、サブキャリアＢ１０５の例示的セットを図示する。図示されるように、サブキャリアＢ１０５の例示的セット内には、任意の２つのサブキャリアの間にガードバンドが存在しない。マルチキャリアＯＦＤＭ通信システム内のキャリアが、連続的キャリア、非連続的キャリア、又は連続的及び非連続的キャリア両方の組み合わせであってもよい。
【０００８】
図２は、本開示の実施形態の一局面による、２つのキャリアに関する例示的な送信時間及び受信時間を示す図である。マルチキャリアＯＦＤＭ通信システムが、例えば、１〜１０の範囲のキャリアに及ぶ、１つ以上のキャリアを含んでもよい。キャリアＡ２０４及びキャリアＢ２０５が、同一の又は異なるタイミング構造を有してもよい。図２は、２つの同期されたキャリアを示すが、キャリアＡ２０４及びキャリアＢ２０５は、相互に同期されても、又はそうではなくてもよい。ＦＤＤ及びＴＤＤ複信機構が、複数の異なる無線フレーム構造にサポートされてもよい。図２は、例示的ＦＤＤフレームタイミングを示す。ダウンリンク及びアップリンク伝送が、無線フレーム２０１の中に編成されてもよい。本実施例では、無線フレーム持続時間は、１０ミリ秒である。例えば１〜１００ミリ秒の範囲内などの、その他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、及び５ミリ秒などの、その他のサブフレーム持続時間もまた、サポートされてもよい。サブフレームが、２つ以上のスロット（例えば、スロット２０６及び２０７）から成ってもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンク及びダウンリンク伝送が、周波数ドメイン内で分離されてもよい。ロットが、複数のＯＦＤＭシンボル２０３を含んでもよい。スロット２０６内のＯＦＤＭシンボル２０３の数が、サイクリックプレフィックス長及びサブキャリア間隔に依存してもよい。
【０００９】
図３は、本開示の実施形態の一局面による、ＯＦＤＭ無線リソースを示す図である。時間３０４及び周波数３０５内のリソースグリッド構造が、図３に図示される。ダウンリンクサブキャリア又はＲＢの数量（本実施例では、６〜１００ＲＢ）が、少なくとも部分的に、セル内で構成されたダウンリンク伝送帯域幅３０６に依存してもよい。最小無線リソースユニットが、リソース要素（例えば、３０１）と呼ばれてもよい。リソース要素が、リソースブロック（例えば、３０２）にグループ化されてもよい。リソースブロックが、リソースブロックグループ（ＲＢＧ）（例えば、３０３）と呼ばれるより大きい無線リソースにグループ化されてもよい。スロット２０６内で伝送される信号が、複数のサブキャリア及び複数のＯＦＤＭシンボルの１つ又は幾つかのリソースグリッドによって記述されてもよい。リソースブロックが、リソース要素へのある物理チャネルのマッピングを記述するために使用されてもよい。物理リソース要素の他の事前に定義されたグループ化も、無線技術に応じて、システム内で行われてもよい。例えば、２４個のサブキャリアが、５ミリ秒の持続時間の間、無線ブロックとしてグループ化されてもよい。例示的な一実施例においては、リソースブロックが、（１５ＫＨｚサブキャリア帯域幅及び１２個のサブキャリアに関して）時間ドメイン内の１つのスロット及び周波数ドメイン内の１８０ｋＨｚに対応してもよい。
【００１０】
図５Ａ、図５Ｂ、図５Ｃ、及び図５Ｄは、本開示の実施形態の一局面による、アップリンク及びダウンリンク信号伝送のための例示的な図である。図５Ａは、例示的なアップリンク物理チャネルを示す。物理的アップリンク共有チャネルを表すベースバンド信号が、以下のプロセスを実行してもよい。これらの機能は、例として挙げられたものであり、その他の機構が種々の実施形態で具現化可能であることが想定される。そのような機能が、スクランブリング、複素数値シンボルを生成するためのスクランブリングされたビットの変調、１つ又は幾つかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、及び／又は同等物を含んでもよい。
【００１１】
アンテナポート毎の複素数値ＤＦＴＳ−ＯＦＤＭ／ＳＣ−ＦＤＭＡベースバンド信号及び／又は複素数値ＰＲＡＣＨベースバンド信号のキャリア周波数への例示的な変調及び上方変換が、図５Ｂに示される。フィルタリングが、伝送に先立って用いられてもよい。
【００１２】
ダウンリンク伝送のための例示的構造が、図５Ｃに示される。ダウンリンク物理チャネルを表すベースバンド信号が、以下のプロセスを実行してもよい。これらの機能は、例として挙げられたものであり、その他の機構が種々の実施形態で具現化可能であることが想定される。そのような機能が、物理チャネル上で伝送されるべきコードワードのそれぞれの中にコード化されたビットのスクランブリング、複素数値変調シンボルを生成するためのスクランブリングされたビットの変調、１つ又は幾つかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、及び／又は同等物を含んでもよい。
【００１３】
アンテナポート毎の複素数値ＯＦＤＭベースバンド信号のキャリア周波数への例示的な変調及び上方変換が、図５Ｄに示される。フィルタリングが、伝送に先立って用いられてもよい。
【００１４】
図４は、本開示の実施形態の一局面による、基地局４０１及び無線デバイス４０６の例示的ブロック図である。通信ネットワーク４００が、少なくとも１つの基地局４０１と、少なくとも１つの無線デバイス４０６とを含んでもよい。基地局４０１が、少なくとも１つの通信インターフェース４０２と、少なくとも１つのプロセッサ４０３と、非一時的メモリ４０４内に記憶され、少なくとも１つのプロセッサ４０３によって実行可能な少なくとも１セットのプログラムコード命令４０５とを含んでもよい。無線デバイス４０６が、少なくとも１つの通信インターフェース４０７と、少なくとも１つのプロセッサ４０８と、非一時的メモリ４０９内に記憶され、少なくとも１つのプロセッサ４０８によって実行可能な少なくとも１セットのプログラムコード命令４１０とを含んでもよい。基地局４０１内の通信インターフェース４０２が、少なくとも１つの無線リンク４１１を含む通信経路を介して、無線デバイス４０６内の通信インターフェース４０７との通信を行うように構成されていてもよい。無線リンク４１１が、双方向リンクであってもよい。無線デバイス４０６内の通信インターフェース４０７もまた、基地局４０１内の通信インターフェース４０２との通信を行うように構成されていてもよい。基地局４０１及び無線デバイス４０６が、複数の周波数キャリアを使用し、無線リンク４１１を経由して、データを送受信するように構成されていてもよい。幾つかの実施形態の複数の局面によると、送受信機が採用されてもよい。送受信機は、送信機及び受信機の両方を有するデバイスである。送受信機が、無線デバイス、基地局、中継ノード、及び／又は同等物等のデバイス内で使用されてもよい。通信インターフェース４０２、４０７及び無線リンク４１１内で実装される無線技術のための例示的実施形態が、図１、図２、図３、図５、及びこれらに記入されている文字によって示されている。
【００１５】
インターフェースが、ハードウェアインターフェース、ファームウェアインターフェース、ソフトウェアインターフェース、及び／又はそれらの組み合わせであってもよい。ハードウェアインターフェースが、コネクタ、ワイヤ、ドライバ等の電子デバイス、増幅器、及び／又は同等物を含んでもよい。ソフトウェアインターフェースが、メモリデバイス内に記憶され、プロトコル、プロトコル層、通信ドライバ、デバイスドライバ、それらの組み合わせ、及び／又は同等物を具現化するコードを含んでもよい。ファームウェアインターフェースが、組込み型ハードウェアと、メモリデバイス内に記憶され、及び／又はこれと通信し、接続、電子デバイス動作、プロトコル、プロトコル層、通信ドライバ、デバイスドライバ、ハードウェア動作、これらの組み合わせ、及び／又は同等物を具現化するコードの組み合わせを含んでもよい。
【００１６】
用語「構成される」は、デバイスが動作状態にあるか、又は非動作状態にあるかどうかに関わらず、デバイスの能力と関連していてもよい。「構成される」はまた、デバイスが動作状態にあるか、又は非動作状態にあるかどうかに関わらず、デバイスの動作特性をもたらす、デバイス内の具体的設定を指していてもよい。言い換えると、ハードウェア、ソフトウェア、ファームウェア、レジスタ、メモリ値、及び／又は同等物は、デバイスが動作状態にあるか、又は非動作状態にあるかどうかに関わらず、デバイスに具体的特性を付与するようにデバイス内で「構成」されていてもよい。「デバイス内で生じさせるための制御メッセージ」等の用語が、デバイスが動作状態にあるか、又は非動作状態にあるかどうかに関わらず、デバイス内の具体的特性を構成するために使用可能なパラメータを制御メッセージが有することを意味してもよい。
【００１７】
実施形態の種々の局面によると、ＬＴＥネットワークが多数の基地局を含み、ユーザプレーンＰＤＣＰ／ＲＬＣ／ＭＡＣ／ＰＨＹ及び制御プレーン（ＲＲＣ）プロトコル終端を無線デバイスに向かって提供してもよい。基地局が、（例えば相互接続されたＸ２インターフェースを用いて）他の基地局と相互接続されてもよい。基地局が、例えば、Ｓ１インターフェースを用いてＥＰＣに接続されてもよい。例えば、基地局が、Ｓ１−ＭＭＥインターフェースを用いてＭＭＥと、Ｓ１−Ｕインターフェースを用いてＳ−Ｇ）と相互接続されてもよい。Ｓ１インターフェースが、ＭＭＥ／サービングゲートウェイと基地局との間の多対多関係をサポートしてもよい。基地局が、多くのセクタ、例えば、１、２、３、４、又は６つのセクタを含んでもよい。基地局が、多くのセル、例えば、１〜５０以上のセルを含んでもよい。セルが、例えば、一次セル又は二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルが、一次セル（ＰＣｅｌｌ）と称されてもよい。ＰＣｅｌｌに対応するキャリアが、ダウンリンクでは、ダウンリンク一次コンポーネントキャリア（ＤＬＰＣＣ）であってもよく、一方、アップリンクでは、アップリンク一次コンポーネントキャリア（ＵＬＰＣＣ）であってもよい。無線デバイス能力に応じて、二次セル（ＳＣｅｌｌ）が、ＰＣｅｌｌと共にサービングセルのセットを形成するように構成されてもよい。ＳＣｅｌｌに対応するキャリアは、ダウンリンクでは、ダウンリンク二次コンポーネントキャリア（ＤＬ  ＳＣＣ）であってもよく、一方、アップリンクでは、アップリンク二次コンポーネントキャリア（ＵＬ  ＳＣＣ）であってもよい。ＳＣｅｌｌは、アップリンクキャリアを有してもよいが、有していなくてもよい。
【００１８】
ダウンリンクキャリアと、任意にアップリンクキャリアとを含むセルに、物理セルＩＤ及びセルインデックスが割り当てられてもよい。キャリア（ダウンリンク又はアップリンク）が、１つのセルのみに属してもよい。セルＩＤ又はセルインデックスが、（使用状況に応じて）セルのダウンリンクキャリア又はアップリンクキャリアを識別してもよい。本明細書では、セルＩＤがキャリアＩＤとも称されてもよく、セルインデックスがキャリアインデックスと称されてもよい。実装では、物理セルＩＤ又はセルインデックスがセルに割り当てられてもよい。セルＩＤが、ダウンリンクキャリア上で伝送される同期信号を使用して判定されてもよい。セルインデックスが、ＲＲＣメッセージを使用して判定されてもよい。例えば、本明細書が、第１のダウンリンクキャリアに関して第１の物理セルＩＤに言及している場合に、第１の物理セルＩＤが第１のダウンリンクキャリアを含むセルのＩＤであることを本明細書が意味してもよい。同じ概念が、例えば、キャリアアクティブ化に当てはまってもよい。本明細書が、第１のキャリアがアクティブ化されることを示す場合に、第１のキャリアを含むセルがアクティブ化されることを本明細書が意味してもよい。
【００１９】
実施形態が、必要に応じて動作するように構成されていてもよい。本開示の機構が、例えば無線デバイス、基地局、無線環境、ネットワーク、これらの組み合わせ、及び／又は同等物において所定の基準が満たされている場合に実行されてもよい。例示的な基準が、例えばトラフィック負荷、初期システム設定、パケットサイズ、トラフィック特性、これらの組み合わせ、及び／又は同等物に少なくとも部分的に基づいていてもよい。これらの１つ以上の基準が満たされている場合に、種々の例示的実施形態が実施されてもよい。したがって、本開示のプロトコルを選択的に実行する例示的実施形態を実施することが可能であってもよい。
【００２０】
基地局が、複数の無線デバイスからなる組み合わせと通信してもよい。無線デバイスが、複数の技術及び／又は同一技術の複数のリリースをサポートしてもよい。無線デバイスが、その無線デバイスカテゴリ及び／又は能力に応じて、幾つかの具体的能力を有してもよい。基地局が、複数のセクタを含んでもよい。本開示が、複数の無線デバイスと通信する基地局を対象とする場合に、本開示がカバレッジ領域内の全ての無線デバイスのうちの一サブセットを対象としてもよい。本開示が、例えば、所与の能力を有し、基地局の所与のセクタ内にある、所与のＬＴＥリリースの複数の無線デバイスを対象としてもよい。本開示における複数の無線デバイスが、選択された複数の無線デバイス、及び／又は開示される方法に従って機能する、カバレッジ領域内の全ての無線デバイスのうちの一サブセット、及び／又は同等物を指してもよい。カバレッジ領域内に、例えばＬＴＥ技術のより古いリリースに基づいて稼働するために本開示の方法に対応することのできない、複数の無線デバイスが存在してもよい。
【００２１】
図６及び図７は、本発明の実施形態の一局面による、ＣＡ及びＤＣを用いたプロトコル構造の例示的な図である。Ｅ−ＵＴＲＡＮが、デュアルコネクティビティ（ＤＣ）動作をサポートしてもよく、それによって、ＲＲＣ＿ＣＯＮＮＥＣＴＥＤ内の複数のＲＸ／ＴＸ  ＵＥが、Ｘ２インターフェースを経由して非理想的バックホールを介して接続される２つのｅＮＢ内に位置する２つのスケジューラによって提供される、無線リソースを利用するように構成されていてもよい。あるＵＥのためのＤＣに関わるｅＮＢが、２つの異なる役割を担ってもよい。すなわち、ｅＮＢが、ＭｅＮＢ又はＳｅＮＢのいずれかとしての機能を果たしてもよい。ＤＣにおいて、ＵＥが１つのＭｅＮＢ及び１つのＳｅＮＢに接続されてもよい。ＤＣにおいて実装される機構が、２つ以上のｅＮＢを網羅するように拡張されてもよい。図７は、マスタセルグループ（ＭＣＧ）及び二次セルグループ（ＳＣＧ）が構成される場合のＵＥ側ＭＡＣエンティティの例示的な一構造を図示しているが、これが実装を制限するものでなくてもよい。媒体ブロードキャストマルチキャストサービス（ＭＢＭＳ）受信は、便宜上、本図には示されない。
【００２２】
ＤＣでは、特定のベアラが使用する無線プロトコルアーキテクチャが、ベアラが設定される方法に依存していてもよい。図６に示されるように、ＭＣＧベアラ、ＳＣＧベアラ、及び分割ベアラの３つの選択肢が存在してもよい。ＲＲＣがＭｅＮＢ内に位置してもよく、ＳＲＢがＭＣＧベアラタイプとして構成されてもよく、ＭｅＮＢの無線リソースを使用してもよい。ＤＣが、ＳｅＮＢによって提供される無線リソースを使用するように構成された少なくとも１つのベアラを有するものとして説明されてもよい。ＤＣが、本発明の例示的実施形態において構成／実装されてもよいが、そうでなくてもよい。
【００２３】
ＤＣの場合に、ＵＥが、２つのＭＡＣエンティティ、すなわち、ＭｅＮＢのための１つのＭＡＣエンティティと、ＳｅＮＢのための１つのＭＡＣエンティティとを用いて構成されてもよい。ＤＣにおいては、ＵＥのためのサービングセルの構成されたセットが、２つのサブセット、すなわち、ＭｅＮＢのサービングセルを含むマスタセルグループ（ＭＣＧ）と、ＳｅＮＢのサービングセルを含む二次セルグループ（ＳＣＧ）とを含んでもよい。ＳＣＧに関して、以下のうちの１つ以上が該当してもよい。すなわち、ＳＣＧ内の少なくとも１つのセルが、構成されたＵＬ  ＣＣを有し、ＰＳＣｅｌｌと称される（又はＳＣＧのＰＣｅｌｌもしくはＰＣｅｌｌとも呼ばれる）それらのうちの１つが、ＰＵＣＣＨリソースを用いて構成されてもよい。ＳＣＧが構成される場合に、少なくとも１つのＳＣＧベアラ又は１つの分割ベアラが存在してもよい。ＰＳＣｅｌｌ上の物理層に関する問題もしくはランダムアクセスに関する問題が検出された場合、又はＳＣＧと関連付けられたＲＬＣ再伝送が最大数に達した場合、又はＳＣＧ追加又はＳＣＧ変更の間にＰＳＣｅｌｌ上のアクセスに関する問題が検出された場合に、ＲＲＣ接続再確立プロシージャがトリガされず、ＳＣＧのセルに向かうＵＬ伝送が停止され、ＵＥによってＭｅＮＢにＳＣＧ障害の種類が知らされてもよい。分割ベアラに関しては、ＭｅＮＢを経由したＤＬデータ転送が維持されてもよい。ＲＬＣ  ＡＭベアラが、分割ベアラ向けに構成されてもよい。ＰＣｅｌｌと同様に、ＰＳＣｅｌｌが非アクティブ化されなくてもよい。ＰＳＣｅｌｌが、（例えばセキュリティキー変更及びＲＡＣＨプロシージャなどの）ＳＣＧ変更に伴って変更されてもよく、及び／又は分割ベアラとＳＣＧベアラとの間の直接ベアラタイプ変更もしくはＳＣＧ及び分割ベアラの同時構成のいずれもがサポートされなくてもよい。
【００２４】
ＭｅＮＢとＳｅＮＢとの間の相互作用に関して、以下の原理のうちの１つ以上が該当してもよい。すなわち、ＭｅＮＢが、ＵＥのＲＲＭ測定構成を維持してもよく、また（例えば、受信された測定報告又はトラフィック条件又はベアラタイプに基づいて）ＳｅＮＢに対してＵＥのための更なるリソース（サービングセル）を提供するように求めることを決定してもよい。ＭｅＮＢからの要求の受信に応じて、ＳｅＮＢが、ＵＥのための更なるサービングセルの構成をもたらし得るコンテナを作成してもよい（又はそのために利用可能なリソースを有していないと判定してもよい）。ＵＥ能力の調整のために、ＭｅＮＢが、ＡＳ構成及びＵＥ能力（の一部）をＳｅＮＢに提供してもよい。ＭｅＮＢ及びＳｅＮＢが、Ｘ２メッセージとして搬送されるＲＲＣコンテナ（ノード間メッセージ）を採用することによって、ＵＥ構成についての情報を交換してもよい。ＳｅＮＢが、（例えば、ＳｅＮＢに向かうＰＵＣＣＨなどの）その既存のサービングセルの再構成を開始してもよい。ＳｅＮＢが、ＳＣＧ内のどのセルがＰＳＣｅｌｌであるのかを決定してもよい。ＭｅＮＢが、ＳｅＮＢによって提供されるＲＲＣ構成の内容を変更しなくてもよい。ＳＣＧ追加及びＳＣＧ  ＳＣｅｌｌ追加の場合、ＭｅＮＢが、ＳＣＧセルのために最新の測定結果を提供してもよい。（例えば、測定ギャップのＤＲＸ整合及び識別の目的のために）ＭｅＮＢ及びＳｅＮＢの双方が、ＯＡＭによって相互のＳＦＮ及びサブフレームオフセットを把握してもよい。一実施例においては、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を送信するために、専用のＲＲＣシグナリングが使用されてもよい。
【００２５】
一実施例においては、サービングセルが、ＴＡグループ（ＴＡＧ）内でグループ化されてもよい。１つのＴＡＧ内のサービングセルが、同一タイミング基準を使用してもよい。所与のＴＡＧに関して、ユーザ機器（ＵＥ）が少なくとも１つのダウンリンクキャリアをタイミング基準として使用してもよい。所与のＴＡＧに関して、ＵＥが、同一ＴＡＧに属するアップリンクキャリアのアップリンクサブフレーム及びフレーム伝送タイミングを同期させてもよい。一実施例においては、同一のＴＡが適用されるアップリンクを有するサービングセルが、同一の受信機によってホストされるサービングセルに対応していてもよい。複数のＴＡをサポートするＵＥが、２つ以上のＴＡグループをサポートしてもよい。１つのＴＡグループがＰＣｅｌｌを含み、一次ＴＡＧ（ｐＴＡＧ）と呼ばれてもよい。多重ＴＡＧ構成においては、少なくとも１つのＴＡグループが、ＰＣｅｌｌを含まず、二次ＴＡＧ（ｓＴＡＧ）と呼ばれてもよい。一実施例においては、同一ＴＡグループ内のキャリアが、同一のＴＡ値及び／又は同一のタイミング基準を使用してもよい。ＤＣが構成される場合に、（ＭＣＧ又はＳＣＧ）セルグループに属するセルが、ｐＴＡＧ及び１つ以上のｓＴＡＧを含む複数のＴＡＧにグループ化されてもよい。
【００２６】
図８は、本開示の実施形態の一局面による例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌ及びＳＣｅｌｌ１を含み、ｓＴＡＧは、ＳＣｅｌｌ２及びＳＣｅｌｌ３を含む。実施例３では、ｐＴＡＧは、ＰＣｅｌｌ及びＳＣｅｌｌ１を含み、ｓＴＡＧ１は、ＳＣｅｌｌ２及びＳＣｅｌｌ３を含み、ｓＴＡＧ２は、ＳＣｅｌｌ４を含む。最大４つのＴＡＧが、セルグループ（ＭＣＧ又はＳＣＧ）内でサポートされてもよく、他の例示的ＴＡＧ構成もまた、提供されてもよい。本開示における種々の実施例では、複数の例示的機構が、ｐＴＡＧ及びｓＴＡＧに関して説明される。幾つかの例示的機構が、複数のｓＴＡＧを伴う構成に適用されてもよい。
【００２７】
一実施例においては、ｅＮＢが、アクティブ化されるＳＣｅｌｌに関するＰＤＣＣＨ順序を介して、ＲＡプロシージャを開始してもよい。このＰＤＣＣＨ順序が、このＳＣｅｌｌのスケジューリングセル上で送信されてもよい。あるセルについてクロスキャリアスケジューリングが構成される場合に、このスケジューリングセルが、プリアンブル伝送のために採用されるセルと異なってもよく、ＰＤＣＣＨ順序が、ＳＣｅｌｌインデックスを含んでもよい。少なくとも非競合ベースのＲＡプロシージャが、ｓＴＡＧに割り当てられるＳＣｅｌｌのためにサポートされてもよい。
【００２８】
図９は、本発明の一実施形態の一局面による、二次ＴＡＧ内のランダムアクセスプロセスにおける例示的メッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨ順序６０１に応答して、ＵＥによって送信されてもよい。例示的な一実施形態では、ＳＣｅｌｌに関するプリアンブル伝送が、ＰＤＣＣＨフォーマット１Ａを使用して、ネットワークによって制御されてもよい。ＳＣｅｌｌ上のプリアンブル伝送に応答したＭｓｇ２メッセージ６０３（ＲＡＲ：ランダムアクセス応答）が、ＰＣｅｌｌ共通検索空間（ＣＳＳ）内のＲＡ−ＲＮＴＩにアドレス指定されてもよい。アップリンクパケット６０４が、プリアンブルが伝送されたＳＣｅｌｌ上で伝送されてもよい。
【００２９】
一実施例によると、初期タイミング整合が、ランダムアクセスプロシージャを通して達成されてもよい。このことが、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合されてもよい。ｅＮＢが、ＵＥによって伝送されるランダムアクセスプリアンブルからアップリンクタイミングを推定してもよい。ＴＡコマンドが、所望のＵＬタイミングと実際のＵＬタイミングとの差異の推定に基づいて、ｅＮＢによって導出されてもよい。ＵＥが、プリアンブルが伝送されるｓＴＡＧの対応するダウンリンクに対して初期アップリンク伝送タイミングを判定してもよい。
【００３０】
ＴＡＧへのサービングセルのマッピングが、サービングｅＮＢによって、ＲＲＣ信号伝達を用いて構成されてもよい。ＴＡＧ構成及び再構成のための機構が、ＲＲＣ信号伝達に基づいてもよい。一実施形態の種々の局面によれば、ｅＮＢがＳＣｅｌｌ追加構成を行うとき、関連するＴＡＧ構成が、ＳＣｅｌｌのために構成されてもよい。例示的な一実施形態では、ｅＮＢが、ＳＣｅｌｌを除去（リリース）し、更新されたＴＡＧ  ＩＤを用いて（同一物理セルＩＤ及び周波数を有する）新しいＳＣｅｌｌを追加（構成）することによって、ＳＣｅｌｌのＴＡＧ構成を修正してもよい。更新されたＴＡＧ  ＩＤを有する新たなＳＣｅｌｌが、更新されたＴＡＧ  ＩＤが割り当てられた当初は非アクティブであってもよい。ｅＮＢが、更新された新しいＳＣｅｌｌをアクティブ化し、アクティブ化されたＳＣｅｌｌ上でスケジューリングパケットを始動させてもよい。例示的な一実施形態においては、ＳＣｅｌｌと関連付けられたＴＡＧが変更不可能であり、ＳＣｅｌｌが除去される必要があり、新しいＳＣｅｌｌに別のＴＡＧを追加する必要があってもよい。例えば、ＳＣｅｌｌをｓＴＡＧからｐＴＡＧに移動させる必要がある場合、（少なくとも１つのＲＲＣ再構成メッセージなどの）少なくとも１つのＲＲＣメッセージがＵＥに送信され、ＳＣｅｌｌをリリースすることによってＴＡＧ構成を再構成した後に、ＳＣｅｌｌをｐＴＡＧの一部として構成してもよい。ＳＣｅｌｌが、ＴＡＧインデックスを伴わずに追加／構成される場合には、ＳＣｅｌｌが、ｐＴＡＧに明示的に割り当てられてもよい。ＰＣｅｌｌが、そのＴＡグループを変更せず、ｐＴＡＧのメンバであってもよい。
【００３１】
ＲＲＣ接続再構成プロシージャの目的が、ＲＲＣ接続を修正する（例えば、ＲＢを確立、修正、及び／又はリリースする、ハンドオーバを行う、測定を設定、修正、及び／又はリリースする、ＳＣｅｌｌを追加、修正、及び／又はリリースする）ことであってもよい。受信されたＲＲＣ接続再構成メッセージが、ｓＣｅｌｌＴｏＲｅｌｅａｓｅＬｉｓｔを含む場合、ＵＥが、ＳＣｅｌｌリリースを行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加又は修正を行ってもよい。
【００３２】
ＬＴＥリリース−１０及びリリース−１１ＣＡでは、ＰＵＣＣＨが、ＰＣｅｌｌ（ＰＳＣｅｌｌ）上でのみｅＮＢに伝送されてもよい。ＬＴＥ−リリース１２及びそれ以前では、ＵＥが、ＰＵＣＣＨ情報を１つのセル（ＰＣｅｌｌ又はＰＳＣｅｌｌ）上で所与のｅＮＢに伝送してもよい。
【００３３】
ＣＡ対応ＵＥの数、また、アグリゲーションされたキャリアの数が増加するにつれて、ＰＵＣＣＨの数、また、ＰＵＣＣＨペイロードサイズも、増加してもよい。ＰＣｅｌｌ上のＰＵＣＣＨ伝送への対応が、ＰＣｅｌｌ上の高ＰＵＣＣＨ負荷につながってもよい。ＳＣｅｌｌ上のＰＵＣＣＨが、ＰＵＣＣＨリソースをＰＣｅｌｌからオフロードするために導入されてもよい。１つ以上のＰＵＣＣＨ、例えば、ＰＣｅｌｌ上のＰＵＣＣＨ及びＳＣｅｌｌ上の別のＰＵＣＣＨが、構成されてもよい。例示的実施形態では、１つ、２つ、又はそれ以上のセルが、ＣＳＩ／ＡＣＫ／ＮＡＣＫを基地局に伝送するために、ＰＵＣＣＨリソースを用いて構成されてもよい。セルが、複数のＰＵＣＣＨグループにグループ化されてもよく、グループ内の１つ以上のセルが、ＰＵＣＣＨを用いて構成されてもよい。例示的構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００３４】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用されてもよい。タイミングアドバンスコマンドＭＡＣ制御要素が受信されると、ＭＡＣエンティティが、示されるＴＡＧにタイミングアドバンスコマンドを適用し、示されるＴＡＧと関連付けられたｔｉｍｅＡｌｉｇｎｍｅｎｔＴｉｍｅｒを始動又は再始動させてもよい。タイミングアドバンスコマンドが、ＴＡＧに属するサービングセルのためのランダムアクセス応答メッセージ内で受信されたとき、及び／又はランダムアクセスプリアンブルが、ＭＡＣエンティティによって選択されなかった場合に、ＭＡＣエンティティが、このＴＡＧにタイミングアドバンスコマンドを適用し、このＴＡＧと関連付けられたｔｉｍｅＡｌｉｇｎｍｅｎｔＴｉｍｅｒを始動又は再始動させてもよい。一方、このＴＡＧと関連付けられたｔｉｍｅＡｌｉｇｎｍｅｎｔＴｉｍｅｒがアクティブ化中ではない場合には、このＴＡＧにタイミングアドバンスコマンドが適用され、このＴＡＧと関連付けられたｔｉｍｅＡｌｉｇｎｍｅｎｔＴｉｍｅｒが始動されてもよい。競合解決が成功ではないと見なされる場合には、このＴＡＧと関連付けられたｔｉｍｅＡｌｉｇｎｍｅｎｔＴｉｍｅｒが停止されてもよい。そうでなければ、ＭＡＣエンティティが、受信されたタイミングアドバンスコマンドを無視してもよい。
【００３５】
例示的実施形態では、タイマは、いったん始動されると、停止又は満了するまで、アクティブ化中である。そうでなければ、アクティブ化していなくてもよい。タイマは、アクティブ化中ではない場合に始動可能であり、又は、アクティブ化中である場合に再始動可能である。例えば、タイマがその初期値から始動又は再始動されてもよい。
【００３６】
本開示の例示的実施形態が、マルチキャリア通信を実行可能としてもよい。別の例示的実施形態が、１つ以上のプロセッサによって実行されてマルチキャリア通信を実行させる複数の命令を備える、非一時的な有形のコンピュータ可読媒体を備えてもよい。更に別の例示的実施形態が、プログラマブルハードウェアが（無線通信機、ＵＥ、基地局などの）デバイスにマルチキャリア通信を行わせることを可能にする複数の命令がコード化されている非一時的な有形のコンピュータ可読機械アクセス可能媒体を備える製品を含んでもよい。当該デバイスが、プロセッサ、メモリ、インターフェース及び／又は同等物を含んでもよい。別の例示的実施形態が、基地局、無線デバイス（又はユーザ機器：ＵＥ）、サーバ、スイッチ、アンテナ及び／又は同等物などのデバイスを備える通信ネットワークを含んでもよい。
【００３７】
一実施例においては、ＭＡＣエンティティは、１つ以上のＳＣｅｌｌを用いて構成され得る。一実施例においては、ネットワークは構成されたＳＣｅｌｌをアクティブ化及び／又は非アクティブ化することができる。ＳｐＣｅｌｌは常にアクティブになっている可能性がある。ネットワークは、アクティブ化／非アクティブ化ＭＡＣ制御要素を送信することによって、ＳＣｅｌｌをアクティブ化及び非アクティブ化することができる。ＭＡＣエンティティは、構成されたＳＣｅｌｌに対するｓＣｅｌｌＤｅａｃｔｉｖａｔｉｏｎＴｉｍｅｒタイマを維持することができる。ｓＣｅｌｌＤｅａｃｔｉｖａｔｉｏｎＴｉｍｅｒタイマが満了すると、ＭＡＣエンティティは関連するＳＣｅｌｌを非アクティブ化することができる。一実施例においては、同じ初期タイマ値がｓＣｅｌｌＤｅａｃｔｉｖａｔｉｏｎＴｉｍｅｒの各インスタンスに適用されてもよく、それはＲＲＣによって構成されてもよい。構成されたＳＣｅｌｌは、追加時及びハンドオーバ後に最初に非アクティブ化されてもよい。構成されたＳＣＧ  ＳＣｅｌｌは、ＳＣＧ変更後に最初に非アクティブ化されてもよい。
【００３８】
一実施例においては、ＭＡＣエンティティが、ＳＣｅｌｌをアクティブ化するＴＴＩにおいてアクティブ化／非アクティブ化ＭＡＣ制御要素を受信する場合、ＭＡＣエンティティは、以下に定義されるタイミングに従って、ＴＴＩにおいてＳＣｅｌｌをアクティブ化し、かつ、設定されている場合、ＳＣｅｌｌ上のＳＲＳ送信、ＳＣｅｌｌのためのＣＱＩ／ＰＭＩ／ＲＩ／ＰＴＩ／ＣＲＩ報告、ＳＣｅｌｌ上のＰＤＣＣＨ監視、ＳＣｅｌｌのためのＰＤＣＣＨ監視、及びＳＣｅｌｌ上のＰＵＣＣＨ送信を含む通常のＳＣｅｌｌ動作を適用する。ＭＡＣエンティティは、ＳＣｅｌｌと関連付けられたｓＣｅｌｌＤｅａｃｔｉｖａｔｉｏｎＴｉｍｅｒを始動又は再始動し、電力ヘッドルームレポート（ＰＨＲ）をトリガし得る。一実施例においては、ＭＡＣエンティティが、ＳＣｅｌｌを非アクティブ化するＴＴＩ内でアクティブ化／非アクティブ化ＭＡＣ制御要素を受信する場合、又はアクティブ化されたＳＣｅｌｌと関連付けられたｓＣｅｌｌＤｅａｃｔｉｖａｔｉｏｎＴｉｍｅｒがＴＴＩ内で期限切れになる場合、ＭＡＣエンティティは、以下に定義されるタイミングに従って、ＴＴＩにおいてＳＣｅｌｌを非アクティブ化し、ＳＣｅｌｌと関連付けられたｓＣｅｌｌＤｅａｃｔｉｖａｔｉｏｎＴｉｍｅｒを停止し、ｓＣｅｌｌと関連付けられた全てのＨＡＲＱバッファをフラッシュする。
【００３９】
一実施例においては、ＵＥがサブフレームｎにおいて二次セルのアクティブ化コマンドを受信するときに、上記の対応する動作は、サブフレームｎ＋８においてアクティブであり得るサービングセルについてのＣＳＩ報告に関する動作、及びサブフレームｎ＋８において適用され得る二次セルと関連付けられたｓＣｅｌｌＤｅａｃｔｉｖａｔｉｏｎＴｉｍｅｒに関する動作を除いて、最小要件より遅くなく、かつサブフレームｎ＋８より早くなく適用され得る。サブフレームｎ＋８においてアクティブではないサービングセルについてのＣＳＩ報告に関する動作は、サービングセルがアクティブであるｎ＋８の後の最も早いサブフレームにおいて適用されてもよい。
【００４０】
一実施例においては、ＵＥが二次セルの非アクティブ化コマンドを受信するとき、又は二次セルと関連付けられたｓＣｅｌｌＤｅａｃｔｉｖａｔｉｏｎＴｉｍｅｒがサブフレームｎで期限切れになるとき、上記の対応する動作は、サブフレームｎ＋８において適用され得るアクティブであるサービングセルについてのＣＳＩ報告に関する動作を除いて、最小要件までに適用され得る。
【００４１】
一実施例においては、アクティブ化されたＳＣｅｌｌ上のＰＤＣＣＨが、アップリンク許可又はダウンリンク割り当てを示す場合、又はアクティブ化されたＳＣｅｌｌをスケジューリングするサービングセル上のＰＤＣＣＨが、アクティブ化されたＳＣｅｌｌに対するアップリンク許可又はダウンリンク割り当てを示す場合、ＭＡＣエンティティは、ＳＣｅｌｌと関連付けられたｓＣｅｌｌＤｅａｃｔｉｖａｔｉｏｎＴｉｍｅｒを再始動し得る。
【００４２】
一実施例においては、ＳＣｅｌｌが非アクティブ化された場合、ＵＥはＳＣｅｌｌ上でＳＲＳを送信しなくてもよく、ＳＣｅｌｌについてＣＱＩ／ＰＭＩ／ＲＩ／ＰＴＩ／ＣＲＩを報告しなくてもよく、ＳＣｅｌｌ上のＵＬ−ＳＣＨ上で送信しなくてもよく、ＳＣｅｌｌ上のＲＡＣＨ上で送信しなくてもよく、ＳＣｅｌｌ上でＰＤＣＣＨを監視しなくてもよく、ＳＣｅｌｌについてＰＤＣＣＨを監視しなくてもよく、ＳＣｅｌｌ上でＰＵＣＣＨを送信しなくてもよい。
【００４３】
一実施例においては、アクティブ化／非アクティブ化ＭＡＣ制御要素を含むＭＡＣ  ＰＤＵに対するＨＡＲＱフィードバックは、ＳＣｅｌｌアクティブ化／非アクティブ化によるＰＣｅｌｌ割り込みによる影響を受けないことがある。一実施例においては、ＳＣｅｌｌが非アクティブ化されるとき、ＳＣｅｌｌ上で進行中のランダムアクセスプロシージャは、もしあれば、中止され得る。
【００４４】
一実施例においては、１オクテットのアクティブ化／非アクティブ化ＭＡＣ制御要素は、ＬＣＩＤ  １１０００を有するＭＡＣ  ＰＤＵサブヘッダによって識別され得る。図１０は、例示的なアクティブ化／非アクティブ化ＭＡＣ制御要素を示す図である。アクティブ化／非アクティブ化ＭＡＣ制御要素は、固定サイズを有することができ、７つのＣフィールドと１つのＲフィールドを含む単一オクテットから成ることができる。１オクテットを有する例示的なアクティブ化／非アクティブ化ＭＡＣ制御要素を図１０に示す。アクティブ化／非アクティブ化ＭＡＣ制御要素は、固定サイズを有することができ、３１個のＣフィールドと１つのＲフィールドを含む４オクテットから成ることができる。４オクテットの例示的なアクティブ化／非アクティブ化ＭＡＣ制御要素を図１０に示す。一実施例においては、７より大きいサービングセルインデックス（ＳｅｒｖＣｅｌｌＩｎｄｅｘ）を有するサービングセルがない場合には、１オクテットのアクティブ化／非アクティブ化ＭＡＣ制御要素を適用することができ、そうでなければ４オクテットのアクティブ化／非アクティブ化ＭＡＣ制御要素を適用することができる。アクティブ化／非アクティブ化ＭＡＣ制御要素内のフィールドは以下のように解釈されてもよい。Ｃｉ：ＳＣｅｌｌＩｎｄｅｘ  ｉで構成されたＳＣｅｌｌがある場合、このフィールドはＳＣＥｌｌＩｎｄｅｘ  ｉでＳＣｅｌｌのアクティブ化／非アクティブ化ステータスを示すことができ、そうでなければＭＡＣエンティティはＣｉフィールドを無視することができる。Ｃｉフィールドは、ＳＣｅｌｌＩｎｄｅｘ  ｉを有するＳＣｅｌｌがアクティブ化されていることを示すために「１」に設定され得る。Ｃｉフィールドは、ＳＣｅｌｌＩｎｄｅｘ  ｉを有するＳＣｅｌｌが非アクティブ化されていることを示すために「０」に設定される。Ｒ：予約ビットであって、「０」に設定される。
【００４５】
基地局は周期的リソース割り当てを提供してもよい。周期的リソース割り当てでは、ＲＲＣメッセージ及び／又はＤＣＩは、周期的リソース割り当てをアクティブ化又はリリースすることができる。ＵＥは、基地局による追加の許可の送信を必要とせずに、ダウンリンク及び／又はアップリンク周期的無線リソースにおいて割り当てられ得る。定期的なリソース割り当ては、リリースされるまでアクティブ化されたままになる。周期的リソース割り当ては、例えば、セミパーシステントスケジューリング又は無許可スケジューリング、あるいは周期的マルチサブフレームスケジューリング及び／又は同等物と呼ばれることがある。本明細書では、例示的な用語のセミパーシステントスケジューリングがほとんど使用されているが、他の用語も周期的リソース割り当て、例えば無許可スケジューリングを指すために同様に使用され得る。周期的リソース割り当てのアクティブ化及びリリースの例が図１２に示されている。
【００４６】
ダウンリンクにおいて、基地局は、ＰＤＣＣＨ上のＣ−ＲＮＴＩを介して、ＴＴＩにおいてリソース（ＰＲＢ及びＭＣＳ）をＵＥに動的に割り当てることができる。ＵＥは、そのダウンリンク受信が有効化されるときに可能な割り当てを見つけるためにＰＤＣＣＨを監視することができる（例えば、設定されたときにＤＲＸによって管理されるアクティビティ）。ＣＡが設定されると、同じＣ−ＲＮＴＩがサービングセルに適用される。基地局はまた、ＵＥへの最初のＨＡＲＱ送信のためにセミパーシステントダウンリンクリソースを割り当ててもよい。一実施例においては、ＲＲＣメッセージは、セミパーシステントダウンリンク許可の周期性を示し得る。一実施例においては、ＰＤＣＣＨ  ＤＣＩは、ダウンリンク許可がセミパーシステント許可であるかどうか、例えば、それがＲＲＣによって定義された周期性に従って、以下のＴＴＩにおいて暗黙的に再使用され得るかどうかを示し得る。
【００４７】
一実施例においては、必要に応じて、再伝送はＰＤＣＣＨを介して明示的にシグナリングされ得る。ＵＥがセミパーシステントダウンリンクリソースを有するサブフレームにおいて、ＵＥがＰＤＣＣＨ上でそのＣ−ＲＮＴＩを見つけることができない場合、ＵＥがＴＴＩにおいて割り当てられているセミパーシステント割り当てに従ってダウンリンク送信が想定される。そうではなく、ＵＥがセミパーシステントダウンリンクリソースを有するサブフレームにおいて、ＵＥがＰＤＣＣＨ上でそのＣ−ＲＮＴＩを見つけた場合、ＰＤＣＣＨ割り当ては、そのＴＴＩに対するセミパーシステント割り当てを無視することができ、ＵＥは、セミパーシステントリソースを復号することができない。
【００４８】
ＣＡが設定されるとき、セミパーシステントダウンリンクリソースは、ＰＣｅｌｌ及び／又はＳＣｅｌｌのために設定され得る。一実施例においては、ＰＣｅｌｌ及び／又はＳＣｅｌｌに対するＰＤＣＣＨ動的割り当ては、セミパーシステント割り当てを無視にすることができる。
【００４９】
アップリンクでは、基地局はＰＤＣＣＨ上のＣ−ＲＮＴＩを介してＴＴＩでリソース（ＰＲＢ及びＭＣＳ）をＵＥに動的に割り当てることができる。ＵＥは、そのダウンリンク受信が有効化されているときにアップリンク送信のための可能な割り当てを見つけるためにＰＤＣＣＨを監視することができる（設定されているときにはＤＲＸによって管理されるアクティビティ）。ＣＡが設定されると、同じＣ−ＲＮＴＩがサービングセルに適用される。更に、基地局は、第１のＨＡＲＱ送信及び潜在的にはＵＥへの再伝送のために、セミパーシステントアップリンクリソースを割り当てることができる。一実施例においては、ＲＲＣは、セミパーシステントアップリンク許可の周期性を定義することができる。ＰＤＣＣＨは、例えば、ＲＲＣによって定義された周期に従って、それが以下のＴＴＩにおいて暗黙的に再使用され得るかどうかに関わらず、アップリンク許可がセミパーシステント許可であるかどうかを示し得る。
【００５０】
一実施例においては、ＵＥがセミパーシステントアップリンクリソースを有するサブフレームにおいて、ＵＥがＰＤＣＣＨ上でそのＣ−ＲＮＴＩを見つけることができない場合、ＵＥがＴＴＩにおいて割り当てられたセミパーシステント割り当てによるアップリンク送信が行われてもよい。ネットワークは、事前に定義されたＭＣＳに従って、事前に定義されたＰＲＢの復号を実行することができる。そうではなく、ＵＥがセミパーシステントアップリンクリソースを有するサブフレームにおいて、ＵＥがＰＤＣＣＨ上でそのＣ−ＲＮＴＩを見つける場合、ＰＤＣＣＨ割り当ては、そのＴＴＩに対するパーシステント割り当てを無視し、ＵＥの送信は、ＵＥの送信はセミパーシステント割り当てではなくＰＤＣＣＨ割り当てに従う。再伝送は、暗黙的に割り当てられる場合があり、その場合、ＵＥは、セミパーシステントアップリンク割り当てを使用し、又はＰＤＣＣＨを介して明示的に割り当てられる場合があり、その場合、ＵＥは、セミパーシステント割り当てに従わない。
【００５１】
Ｖ２Ｘサービスによって表される車両通信サービスは、以下の異なるタイプ、Ｖ２Ｖ、Ｖ２Ｉ、Ｖ２Ｎ、及び／又はＶ２Ｐを含むことができる。Ｖ２Ｘサービスは、ＰＣ５インターフェース（サイドリンク）及び／又はＵｕインターフェース（ＵＥから基地局へのインターフェース）によって提供され得る。ＰＣ５インターフェースを介したＶ２Ｘサービスのサポートは、ＵＥがＰＣ５インターフェースを経由して相互に直接通信することができる通信モードであるＶ２Ｘサイドリンク通信によって提供され得る。この通信モードは、ＵＥがＥ−ＵＴＲＡＮによってサービス提供されているとき、及びＵＥがＥ−ＵＴＲＡのカバー範囲外にあるときにサポートされ得る。Ｖ２Ｘサービスに使用されることを許可されたＵＥは、Ｖ２Ｘサイドリンク通信を実行することができる。
【００５２】
サイドリンク通信のためのユーザプレーンプロトコルスタック及び機能が、Ｖ２Ｘサイドリンク通信のために使用され得る。ｅＮＢがサイドリンクリソースを提供するのを支援するために、ＲＲＣ＿ＣＯＮＮＥＣＴＥＤ内のＵＥは、ｅＮＢに地理的位置情報を報告することができる。ｅＮＢは、既存の測定報告シグナリングを介した定期的な報告に基づいて完全なＵＥ地理的位置情報を報告するようにＵＥを構成し得る。
【００５３】
一実施例においては、Ｖ２Ｘ通信の場合、異なるパラメータを有するｋ個のＳＰＳ（例えば、ｋ＝８又は１６など）構成をｅＮＢによって構成することができ、ＳＰＳ構成を同時にアクティブにすることができる。ＳＰＳ構成のアクティブ化／非アクティブ化は、ｅＮＢによってＰＤＣＣＨ  ＤＣＩ及び／又はＲＲＣメッセージを介してシグナリングされ得る。Ｕｕに対する論理チャネル優先度付けを使用することができる。
【００５４】
Ｖ２Ｘ通信の場合、ＵＥはＵＥ支援情報をｅＮＢに提供することができる。ＵＥ支援情報の報告は、ｅＮＢが１つ以上のＲＲＣメッセージを送信することによって構成され得る。ＵＥ支援情報は、ＳＰＳ構成に関するパラメータを含み得る。ＵＥ支援情報送信のトリガは、ＵＥの具現化に任されてもよい。例えば、ＵＥは、推定周期性及び／又はパケット到着のタイミングオフセットの変化が生じたときにＵＥ支援情報を報告することを許可され得る。Ｕｕを介したＶ２Ｘ通信の場合、レガシー機構によるＳＲマスクを使用し得る。
【００５５】
一実施例においては、Ｖ２Ｘメッセージのユニキャスト送信の場合、Ｖ２Ｘメッセージは、ＧＢＲベアラと同様に非ＧＢＲベアラを介して配信され得る。Ｖ２Ｘサービス用のＶ２Ｘメッセージ配信のためのＱｏＳ要件を満たすために、Ｖ２Ｘメッセージのための非ＧＢＲ  ＱＣＩ値及びＧＢＲ  ＱＣＩ値が使用され得る。Ｖ２Ｘメッセージをブロードキャストするために、ＳＣ−ＰＴＭ又はＭＢＳＦＮ送信が使用され得る。ＳＣ−ＰＴＭ／ＭＢＳＦＮ待ち時間を短縮するために、ＳＣ−ＰＴＭ／ＭＢＳＦＮについてのより短い（ＳＣ−）ＭＣＣＨ繰り返し期間、ＳＣ−ＰＴＭ／ＭＢＳＦＮについての修正期間、及びＭＢＳＦＮについてのＭＣＨスケジューリング期間がサポートされ得る。異なるキャリア／ＰＬＭＮにおけるＶ２Ｘメッセージのダウンリンクブロードキャストの受信は、ＵＥにおいて複数の受信機チェーンを有することによってサポートされ得る。
【００５６】
例示的実施形態では、ＳＰＳスケジューリングに種々のＤＣＩフォーマットを使用することができる。例えば、ＤＣＩフォーマット０はアップリンクＳＰＳに使用されてもよい。一実施例においては、ＤＣＩフォーマット０のフィールドは、以下のフィールドのうちの１つ以上を含むことができる。すなわち、キャリアインジケータの例えば、０又は３ビット。フォーマット０／フォーマット１Ａの区別のためのフラグ、例えば１ビット。ここで、値０はフォーマット０を示し、値１はフォーマット１Ａを示す。周波数ホッピングフラグ、例えば１ビット。このフィールドは、リソース割り当てタイプ１の対応するリソース割り当てフィールドのＭＳＢとして使用されてもよい。リソースブロック割り当て及びホッピングリソース割り当て、例えば
【数１】
2019530294.tif 000005
ビットであって、
【数２】
2019530294.tif 000006
は、リソースブロック数におけるアップリンク帯域幅構成であり得る。変調及びコーディングスキーム並びに冗長バージョン、例えば５ビット。新しいデータインジケータ、例えば１ビット。スケジュールされたＰＵＳＣＨに対するＴＰＣコマンド、例えば２ビット。ＤＭ  ＲＳ及びＯＣＣインデックスの巡回シフト、例えば３ビット。ＵＬインデックス、例えば２ビット（このフィールドはアップリンク−ダウンリンク構成０のＴＤＤ動作のために存在してもよい）。ダウンリンク割り当てインデックス（ＤＡＩ）、例えば２ビット（このフィールドは、ＴＤＤ一次セルの場合、及びアップリンク−ダウンリンク構成１〜６のＴＤＤ動作又はＦＤＤ動作の場合に存在する場合がある）。ＣＳＩ要求、例えば１、２、３ビット。２ビットフィールドは、５個以下のＤＬセルで構成されたＵＥと、２個以上のＤＬセルで構成されているＵＥとに適用され得て、対応するＤＣＩフォーマットがＣ−ＲＮＴＩによって与えられるＵＥの具体的なサーチスペースにマッピングされるとき、複数のＣＳＩプロセスを有する上位レイヤによって構成されるＵＥ、及び、対応するＤＣＩフォーマットがＣ−ＲＮＴＩによって与えられるＵＥの具体的なサーチスペースにマッピングされるとき、パラメータｃｓｉ−ＭｅａｓＳｕｂｆｒａｍｅＳｅｔを有する上位レイヤによって２つのＣＳＩ測定セットを用いて構成されるＵＥ、及び、対応するＤＣＩフォーマットがＣ−ＲＮＴＩによって与えられるＵＥの具体的なサーチスペースにマッピングされるとき、３ビットフィールドが、５つより多くのＤＬセルを用いて構成され、対応するＤＣＩフォーマットがＣ−ＲＮＴＩによって与えられるＵＥの具体的なサーチスペースにマッピングされるときに適用することができ、そうでなければ、１ビットのフィールドが適用される。ＳＲＳ要求、例えば０又は１ビット。このフィールドは、Ｃ−ＲＮＴＩによって与えられるＵＥの具体的なサーチスペースにマッピングされる、ＤＣＩフォーマットスケジューリングＰＵＳＣＨに存在してもよい。リソース割り当てタイプ、例えば１ビット。このフィールドは、
【数３】
2019530294.tif 000007
がリソースブロック数のアップリンク帯域幅構成であり、
【数４】
2019530294.tif 000008
がリソースブロック数のダウンリンク帯域幅構成であり得る
【数５】
2019530294.tif 000009
場合に存在し得る。実施例では、ＳＰＳスケジューリングプロセスを強化するために、ＳＰＳのためのＤＣＩに１つ以上のフィールドを追加することができる。実施例では、１つ以上のフィールドを新しいフィールド又は新しい値に置き換えることができ、あるいはＳＰＳスケジューリングプロセスを強化するためにＳＰＳについて異なるように解釈されてもよい。
【００５７】
基地局は、ＳＰＳを構成するために１つ以上のＲＲＣメッセージを無線デバイスに送信することができる。１つ以上のＲＲＣメッセージはＳＰＳ構成パラメータを含み得る。例示的なＳＰＳ構成パラメータを以下に提示する。例えば、ＳＰＳスケジューリングプロセスを強化するために、ＳＰＳのためのＲＲＣメッセージに１つ以上のパラメータを追加することができる。例えば、ＲＲＣメッセージ内のＳＰＳのための１つ以上のパラメータを新しいパラメータ又は新しい値に置き換えることができ、あるいはＳＰＳスケジューリングプロセスを強化するためにＳＰＳについて異なるように解釈されてもよい。一実施例においては、ＩＥ  ＳＰＳ−Ｃｏｎｆｉｇは、セミパーシステントスケジューリング設定を指定するためにＲＲＣによって使用され得る。一実施例においては、ＩＥ  ＳＰＳ−Ｃｏｎｆｉｇは、ＳＥＱＵＥＮＣＥ｛ｓｅｍｉＰｅｒｓｉｓｔＳｃｈｅｄＣ−ＲＮＴＩ：Ｃ−ＲＮＴＩ；ｓｐｓ−ＣｏｎｆｉｇＤＬ：ＳＰＳ−ＣｏｎｆｉｇＤＬ；ｓｐｓ−ＣｏｎｆｉｇＵＬ：ＳＰＳ−ＣｏｎｆｉｇＵＬ｝であってもよい。ＳＰＳ−ＣｏｎｆｉｇＤＬ  ＩＥは、セミパーシステントＳｃｈｅｄＩｎｔｅｒｖａｌＤＬ、ｎｕｍｂｅｒＯｆＣｏｎｆＳＰＳ−Ｐｒｏｃｅｓｓｅｓ、ｎ１ＰＵＣＣＨ−ＡＮ−ＰｅｒｓｉｓｔｅｎｔＬｉｓｔ、ｔｗｏＡｎｔｅｎｎａＰｏｒｔＡｃｔｉｖａｔｅｄ、ｎ１ＰＵＣＣＨ−ＡＮ−ＰｅｒｓｉｓｔｅｎｔＬｉｓｔＰ１、及び／又は他のパラメータを含むことができる。一実施例においては、ＳＰＳ−ＣｏｎｆｉｇＵＬ  ＩＥは、ｓｅｍｉＰｅｒｓｉｓｔＳｃｈｅｄＩｎｔｅｒｖａｌＵＬ、ｉｍｐｌｉｃｉｔＲｅｌｅａｓｅＡｆｔｅｒ、ｐ０−ＮｏｍｉｎａｌＰＵＳＣＨ−Ｐｅｒｓｉｓｔｅｎｔ、ｐ０−ＵＥ−ＰＵＳＣＨ−Ｐｅｒｓｉｓｔｅｎｔ、ｔｗｏＩｎｔｅｒｖａｌｓＣｏｎｆｉｇ、ｐ０−ＰｅｒｓｉｓｔｅｎｔＳｕｂｆｒａｍｅＳｅｔ２、ｐ０−ＮｏｍｉｎａｌＰＵＳＣＨ−ＰｅｒｓｉｓｔｅｎｔＳｕｂｆｒａｍｅＳｅｔ２、ｐ０−ＵＥ−ＰＵＳＣＨ−及び／又はＰｅｒｓｉｓｔｅｎｔＳｕｂｆｒａｍｅＳｅｔ２、及び／又は他のパラメータを含むことができる。
【００５８】
一実施例においては、１つ以上のＲＲＣ構成パラメータは、無線デバイス用のＳＰＳを構成するために、１つ以上の以下のパラメータを含み得る。一実施例においては、ＳＰＳ構成は、ＭＣＳ許可のパケット送信に用いられるＭＣＳを含み得る。一実施例においては、ｉｍｐｌｉｃｉｔＲｅｌｅａｓｅＡｆｔｅｒ  ＩＥは、暗黙的リリース前の空の送信の数であり得、例えば、値ｅ２は２回の送信に対応し得、ｅ３は３回の送信に対応し得るなどである。一実施例においては、ｎ１ＰＵＣＣＨ−ＡＮ−ＰｅｒｓｉｓｔｅｎｔＬｉｓｔ  ＩＥ、ｎ１ＰＵＣＣＨ−ＡＮ−ＰｅｒｓｉｓｔｅｎｔＬｉｓｔＰ１  ＩＥは、それぞれ、アンテナポートＰ０及びアンテナポートＰ１についてのパラメータ
【数６】
2019530294.tif 000010
のリストであり得る。フィールドｎ１−ＰＵＣＣＨ−ＡＮ−ＰｅｒｓｉｓｔｅｎｔＬｉｓｔＰ１  ＩＥは、ＰＵＣＣＨ−ＣｏｎｆｉｇＤｅｄｉｃａｔｅｄ−ｖ１０２０のｔｗｏＡｎｔｅｎｎａＰｏｒｔＡｃｔｉｖａｔｅｄＰＵＣＣＨ−Ｆｏｒｍａｔ１ａ１ｂが真に設定されている場合に適用できる。そうでない場合、フィールドは設定されていない可能性がある。
【００５９】
一実施例においては、ｎｕｍｂｅｒＯｆＣｏｎｆＳＰＳ−Ｐｒｏｃｅｓｓｅｓ  ＩＥは、セミパーシステントスケジューリング用に構成されたＨＡＲＱプロセスの数であり得る。一実施例においては、ｐ０−ＮｏｍｉｎａｌＰＵＳＣＨ−Ｐｅｒｓｉｓｔｅｎｔ  ＩＥは、ＰＵＳＣＨ電力制御においてｄＢｍ単位のステップ１で使用されるパラメータＰＯ＿ＮＯＭＩＮＡＬ＿ＰＵＳＣＨ（０）であってもよい。このフィールドはパーシステントスケジューリングに適用可能であり得る。選択設定が使用され、ｐ０−Ｐｅｒｓｉｓｔｅｎｔが存在しない場合は、ｐ０−ＮｏｍｉｎａｌＰＵＳＣＨ−Ｐｅｒｓｉｓｔｅｎｔに対してｐ０−ＮｏｍｉｎａｌＰＵＳＣＨの値が適用されてもよい。アップリンク電力制御サブフレームセットがｔｐｃ−ＳｕｂｆｒａｍｅＳｅｔによって構成されている場合、このフィールドはアップリンク電力制御サブフレームセット１に適用されてもよい。
【００６０】
一実施例においては、Ｐ０−ＮｏｍｉｎａｌＰＵＳＣＨ−ＰｅｒｓｉｓｔｅｎｔＳｕｂｆｒａｍｅＳｅｔ２  ＩＥは、ＰＵＳＣＨ電力制御においてｄＢｍ単位のステップ１で使用されるパラメータＰＯ＿ＮＯＭＩＮＡＬ＿ＰＵＳＣＨ（０）であってもよい。このフィールドはパーシステントスケジューリングに適用可能であり得る。ｐ０−ＰｅｒｓｉｓｔｅｎｔＳｕｂｆｒａｍｅＳｅｔ２−ｒ１２が設定されていない場合、ｐ０−ＮｏｍｉｎａｌＰＵＳＣＨ−ＳｕｂｆｒａｍｅＳｅｔ２−ｒ１２の値がｐ０−ＮｏｍｉｎａｌＰＵＳＣＨ−ＰｅｒｓｉｓｔｅｎｔＳｕｂｆｒａｍｅＳｅｔ２に適用されることがある。アップリンク電力制御サブフレームセットがｔｐｃ−ＳｕｂｆｒａｍｅＳｅｔによって構成されている場合、Ｅ−ＵＴＲＡＮはこのフィールドを構成することができ、その場合、このフィールドはアップリンク電力制御サブフレームセット２に適用することができる。一実施例においては、ｐ０−ＵＥ−ＰＵＳＣＨ−Ｐｅｒｓｉｓｔｅｎｔ  ＩＥは、ｄＢ単位の  ＰＵＳＣＨ電力制御で使用されるパラメータＰＯ＿ＵＥ＿ＰＵＳＣＨ（０）であり得る。このフィールドはパーシステントスケジューリングに適用可能であり得る。選択設定が使用され、ｐ０−Ｐｅｒｓｉｓｔｅｎｔが存在しない場合、ｐ０−ＵＥ−ＰＵＳＣＨの値がｐ０−ＵＥ−ＰＵＳＣＨ−Ｐｅｒｓｉｓｔｅｎｔに適用されることがある。アップリンク電力制御サブフレームセットがｔｐｃ−ＳｕｂｆｒａｍｅＳｅｔによって構成されている場合、このフィールドはアップリンク電力制御サブフレームセット１に適用され得る。一実施例においては、Ｐ０−ＵＥ−ＰＵＳＣＨ−ＰｅｒｓｉｓｔｅｎｔＳｕｂｆｒａｍｅＳｅｔ２  ＩＥは、ｄＢ単位のＰＵＳＣＨ電力制御で使用されるパラメータＰＯ＿ＵＥ＿ＰＵＳＣＨ（０）であってもよい。このフィールドはパーシステントスケジューリングに適用可能であり得る。ｐ０−ＰｅｒｓｉｓｔｅｎｔＳｕｂｆｒａｍｅＳｅｔ２−ｒ１２が設定されていない場合、ｐ０−ＵＥ−ＰＵＳＣＨ−ＳｕｂｆｒａｍｅＳｅｔ２の値がｐ０−ＵＥ−ＰＵＳＣＨ−ＰｅｒｓｉｓｔｅｎｔＳｕｂｆｒａｍｅＳｅｔ２に適用されることがある。アップリンク電力制御サブフレームセットがｔｐｃ−ＳｕｂｆｒａｍｅＳｅｔによって構成されている場合、Ｅ−ＵＴＲＡＮはこのフィールドを構成することができ、その場合、このフィールドはアップリンク電力制御サブフレームセット２に適用することができる。
【００６１】
一実施例においては、ｓｅｍｉＰｅｒｓｉｓｔＳｃｈｅｄＣ−ＲＮＴＩ  ＩＥは  Ｓｅｍｉ−Ｐｅｒｓｉｓｔｅｎｔ  Ｓｃｈｅｄｕｌｉｎｇ  Ｃ−ＲＮＴＩであり得る。一実施例においては、ｓｅｍｉＰｅｒｓｉｓｔＳｃｈｅｄＩｎｔｅｒｖａｌＤＬ  ＩＥはダウンリンクにおけるセミパーシステントスケジューリング間隔であり得る。その値はサブフレーム数であり得る。値ｓｆ１０は１０個のサブフレームに対応し得、ｓｆ２０は２０個のサブフレームに対応し得、以下同様である。ＴＤＤの場合、ＵＥはこのパラメータを（１０サブフレームの）最も近い整数に切り捨てることができ、例えばｓｆ１０は１０サブフレームに対応することができ、ｓｆ３２は３０個のサブフレームに対応することができ、ｓｆ１２８は１２０個のサブフレームに対応することができる。一実施例においては、ｓｅｍｉＰｅｒｓｉｓｔＳｃｈｅｄＩｎｔｅｒｖａｌＵＬ  ＩＥは、アップリンクにおけるセミパーシステントスケジューリング間隔であり得る。それはサブフレーム数で表した値である。値ｓｆ１０は１０個のサブフレームに対応し得、ｓｆ２０は２０個のサブフレームに対応し得、以下同様である。ＴＤＤの場合、ＵＥはこのパラメータを最も近い整数（１０サブフレームの）に切り捨てることができ、例えばｓｆ１０は１０個のサブフレームに対応することができ、ｓｆ３２は３０個のサブフレームに対応することができ、ｓｆ１２８は１２０個のサブフレームに対応することができる。一実施例においては、ｔｗｏＩｎｔｅｒｖａｌｓＣｏｎｆｉｇ  ＩＥは、アップリンクでの２間隔セミパーシステントスケジューリングのトリガであり得る。このフィールドが存在する場合、２間隔ＳＰＳがアップリンクに対して有効になる。そうでない場合、２間隔ＳＰＳは無効になる。
【００６２】
一実施例においては、複数のダウンリンク又はアップリンクＳＰＳがセルに対して構成され得る。一実施例においては、複数のＳＰＳが構成されているときに複数のＳＰＳ  ＲＮＴＩを構成することができる。基地局は、第１のＳＰＳ  ＲＮＴＩ及び第２のＳＰＳ  ＲＮＴＩを含むＳＰＳ構成パラメータを含む少なくとも１つのＲＲＣメッセージをＵＥに送信し得る。例えば、第１のＳＰＳ  ＲＮＴＩは第１のＳＰＳ構成（例えばＶＯＩＰ用）に構成され、第２のＳＰＳ  ＲＮＴＩは第２のＳＰＳ構成（例えばＶ２Ｘ通信の場合）に構成され得る。ＵＥは、第１のＳＰＳ  ＲＮＴＩ及び第２のＳＰＳ  ＲＮＴＩに対応する少なくともＤＣＩについてＰＤＣＣＨを監視することができる。
【００６３】
セミパーシステントスケジューリングがＲＲＣによって有効化されるとき、以下の情報、すなわち、セミパーシステントスケジューリングＣ−ＲＮＴＩ、アップリンクに対してセミパーシステントスケジューリングが有効な場合、アップリンクセミパーシステントスケジューリング間隔ｓｅｍｉＰｅｒｓｉｓｔＳｃｈｅｄＩｎｔｅｒｖａｌＵＬ、暗黙的リリースの前の空の送信数ｉｍｐｌｉｃｉｔＲｅｌｅａｓｅＡｆｔｅｒ、ＴＤＤの場合、ｔｗｏＩｎｔｅｒｖａｌｓＣｏｎｆｉｇがアップリンクに対して有効か無効か、ダウンリンクに対してセミパーシステントスケジューリングが有効になっている場合は、ダウンリンクセミパーシステントスケジューリング間隔ｓｅｍｉＰｅｒｓｉｓｔＳｃｈｅｄＩｎｔｅｒｖａｌＤＬと、セミパーシステントスケジューリングに対して設定されたＨＡＲＱプロセスの数ｎｕｍｂｅｒＯｆＣｏｎｆＳＰＳ−Ｐｒｏｃｅｓｓｅｓ、及び／又は他のパラメータ、のうちの少なくとも１つ以上が提供され得る。
【００６４】
アップリンク又はダウンリンクのセミパーシステントスケジューリングがＲＲＣによって無効にされると、対応する構成された許可又は構成された割り当ては破棄され得る。
【００６５】
一実施例においては、セミパーシステントダウンリンク割り当てが設定された後、ＭＡＣエンティティは、Ｎ番目の割り当てが、（１０＊ＳＦＮ＋サブフレーム）＝〔（１０＊ＳＦＮ開始時間＋サブフレーム開始時間）＋Ｎ＊ｓｅｍｉＰｅｒｓｉｓｔＳｃｈｅｄＩｎｔｅｒｖａｌＤＬ］モジュロ１０２４０であるサブフレーム内で生じると順次考えてもよい。設定されたダウンリンク割り当てが（再）初期化された時点で、ＳＦＮ開始時間及びサブフレーム開始時間はそれぞれＳＦＮ及びサブフレームであり得る。
【００６６】
一実施例においては、セミパーシステントスケジューリングアップリンク許可が設定された後に、ＭＡＣエンティティは、ｔｗｏＩｎｔｅｒｖａｌｓＣｏｎｆｉｇが上位レイヤによって有効化される場合、以下の表に従ってＳｕｂｆｒａｍｅ＿Ｏｆｆｓｅｔを設定することができ、それ以外の場合、Ｓｕｂｆｒａｍｅ＿Ｏｆｆｓｅｔを０に設定し、Ｎ番目の許可が、（１０＊ＳＦＮ＋サブフレーム）＝［（１０＊ＳＦＮ開始時間＋サブフレーム開始時間）＋Ｎ＊ｓｅｍｉＰｅｒｓｉｓｔＳｃｈｅｄＩｎｔｅｒｖａｌＵＬ＋Ｓｕｂｆｒａｍｅ＿Ｏｆｆｓｅｔ＊（Ｎモジュロ２）］モジュロ１０２４０であるサブフレーム内で生じると順次考えてもよい。設定されたアップリンク許可が（再）初期化された時点で、ＳＦＮ開始時間及びサブフレーム開始時間はそれぞれＳＦＮ及びサブフレームであり得る。図１１は、例示的なサブフレームオフセット値を示す。
【００６７】
ＭＡＣエンティティは、セミパーシステントスケジューリングリソース上で、多重化及びアセンブリエンティティによって、０個のＭＡＣ  ＳＤＵを含む連続したＭＡＣ  ＰＤＵの数がｉｍｐｌｉｃｉｔＲｅｌｅａｓｅＡｆｔｅｒの後に設定された直後に、設定されたアップリンク許可をクリアすることができる。セミパーシステントスケジューリングのための再伝送は、設定されたアップリンク許可をクリアした後に継続してもよい。
【００６８】
例示的実施形態では、ＳＰＳ構成は、ＵＥによる種々のＶ２Ｘトラフィック及び／又は音声トラフィックの送信をサポートするように強化され得る。ＵＥについて複数のＳＰＳ構成をサポートする必要がある。例えば、Ｖ２ＸをサポートするＵＥは、アップリンクにおいて種々の周期的（又は半周期的）トラフィック及び／又は音声トラフィックを送信するために複数のアップリンクＳＰＳ構成をサポートする必要があり得る。他の例が提供されてもよい。例えば、Ｖ２ＸのＣＡＭメッセージは半周期的な場合がある。幾つかのシナリオでは、ＣＡＭメッセージ生成は、サイズ、周期性及びタイミングに関して動的であり得る。そのような変更は、ＳＰＳタイミングとＣＡＭタイミングとの間の不整合をもたらす可能性がある。異なるトリガ間でサイズ及び周期性に一定の規則性があり得る。強化ＳＰＳ機構は、Ｖ２Ｘトラフィック、音声トラフィック及び／又は同等物を送信するのに有益であり得る。一実施例においては、種々のＳＰＳ周期性、例えば１００ミリ秒及び１秒を構成することができる。
【００６９】
一実施例においては、ＵＵ及び／又はＰＣ５インターフェースに対して複数のＳＰＳ構成を構成することができる。ｅＮＢは、所与のＵＥに対して複数のＳＰＳ構成を構成し得る。一実施例においては、ＳＰＳ構成ＭＣＳ（例えば、ＲＲＣ  ＳＰＳ構成の一部としてのＭＣＳ）及び／又はＳＰＳ構成の具体的な周期性が構成され得る。一実施例においては、幾つかのＳＰＳ構成パラメータは複数のＳＰＳにわたって同じであり得、幾つかの他のＳＰＳ構成パラメータはＳＰＳ構成にわたって異なり得る。ｅＮＢは、（Ｅ）ＰＤＣＣＨ  ＤＣＩを用いて異なるＳＰＳ構成を動的にトリガ／リリースすることができる。一実施例においては、複数のＳＰＳ構成は、ｅＮＢ  ＲＲＣシグナリングによって示され得る。動的トリガ及びリリースは、ＳＰＳ  Ｃ−ＲＮＴＩを用いてｅＮＢが（Ｅ）ＰＤＣＣＨ  ＤＣＩをＵＥに送信することによって実行され得る。
【００７０】
例示的実施形態では、ＵＥは、ＳＰＳ構成に関連する送信の前に、ＵＥがデータを送信するつもりはないこと及び／又は送信するつもりを示すＵＥ  ＳＰＳ補助情報を基地局に送信することができる。ｅＮＢは、ＵＥ指標に確認応答し得る。Ｖ２Ｘ通信の場合、ＵＥはＵＥ支援情報をｅＮＢに提供することができる。ＵＥ支援情報の報告は、ｅＮＢが１つ以上のＲＲＣメッセージを送信することによって構成され得る。ＵＥ支援情報は、ＳＰＳ構成に関するパラメータを含み得る。ＵＥ支援情報送信のトリガは、ＵＥの具現化に任されてもよい。例えば、ＵＥは、推定周期性及び／又はパケット到着のタイミングオフセットの変化が生じたときにＵＥ支援情報を報告することを許可され得る。Ｕｕを介したＶ２Ｘ通信の場合、レガシー機構によるＳＲマスクを使用し得る。
【００７１】
幾つかの例示的なＶ２Ｘメッセージは、ＣＡＭ、ＤＥＮＭ及びＢＳＭである。例えば、ＣＡＭメッセージは以下の特徴を有し得る。内容：ステータス（時間、位置、動作状態、アクティブ化されたシステム）、属性（寸法、車種、道路交通における役割に関するデータ）。周期性：連続パケット生成間の典型的な時間差は［０．１、１］秒の範囲に制限される。長さ：可変。例えば、ＤＥＮＭメッセージは以下の特徴を有し得る。内容：様々なイベントに関する情報が含まれる。周期性：イベントがＤＥＮＭの更新をトリガする。２つの結果として生じるＤＥＮＭ更新の間に、それは事前に定義された送信間隔で繰り返される。長さ：ＤＥＮＭが更新されるまで固定される。例えば、ＢＳＭメッセージは以下の特徴を有することができる。内容：パートＩには、メッセージＩＤ、車両ＩＤ、車両の緯度／経度、速度、及び加速状態などの基本的な車両状態情報が幾つか含まれている。パートＩＩには、ＶｅｈｉｃｌｅＳａｆｅｔｙＥｘｔｅｎｓｉｏｎとＶｅｈｉｃｌｅＳｔａｔｕｓの２つのオプションデータフレームが含まれている。周期性：周期的、周期性は、ＢＳＭパートＩＩが含まれているかどうか、及び異なるアプリケーションタイプを考慮して異なる場合がある。長さ：パートＩＩが存在するか否かを考慮して異なるメッセージサイズで固定。
【００７２】
一実施例においては、ＳＰＳは、ＢＳＭ、ＤＥＮＭ及びＣＡＭの送信に採用され得る。例えば、ＵＥの速度／位置／方向はある範囲内で変化する。ＢＳＭは、１００ｍｓの期間を有する周期的なトラフィックであり得る。ＢＳＭのメッセージサイズは、証明書なしで１３２〜３００バイト、証明書ありで２４１〜４０９バイトの範囲であり得る。いったんトリガされると、ＤＥＮＭは、変更されないままであり得る所与のメッセージ期間で周期的に送信され得る。ＤＥＮＭのメッセージサイズは２００〜１２００バイトである。ＵＥの速度／位置／方向が変化しない、又は小さい範囲内で変化する場合、ＣＡＭ生成周期性は固定されてもよい。
【００７３】
ＳＰＳは、ＵＬ及びＤＬ  ＶｏＩＰ送信のためにサポートされ得る。現在のＳＰＳ仕様では、基地局は専用ＲＲＣシグナリングを介してＳＰＳ周期性を設定することができる。ＶｏＩＰパケットの周期性は概して固定される。
【００７４】
ＵＥは、異なる周期性及びパケットサイズを必要とし得る、複数のＶ２Ｘサービスと関連付けられたトラフィックを送信し得る。ＳＰＳ  ＴＢサイズ及び期間は、異なるＶ２Ｘサービスに適合させることができる。複数の並列ＳＰＳプロセスがＵＥにおいてアクティブ化され得る。ＳＰＳプロセスは、割り当てられるリソースブロック（ＲＢ）の量及び／又はＳＰＳ期間において異なり得、そして異なるタイプのＶ２Ｘパケットに対応し得る。ＵＥのＡＳ層が上位層からＶ２Ｘパケットを受信すると、ＵＥは対応するＳＰＳ許可でＶ２Ｘパケット送信をトリガすることができる。ＵＥに対して複数のＵＬ  ＳＰＳ構成を構成することができる。
【００７５】
ｅＮＢは、ＵＥの異なるＳＰＳプロセスに対して異なるＳＰＳ  Ｃ−ＲＮＴＩを構成することができる。ＳＰＳアクティブ化及びリリース機構が具現化されてもよい。少なくとも１つ以上のＳＰＳ  ＲＮＴＩを用いて、ｅＮＢは、どのＳＰＳプロセスがアクティブ化又はリリースされたかをトリガし得る。例示的な一実施形態においては、複数のＳＰＳ構成をサポートするために、異なるＳＰＳトラフィックタイプに対して異なるＳＰＳ  Ｃ−ＲＮＴＩが構成されてもよい。例えば、第１のＳＰＳ  Ｃ−ＲＮＴＩは、音声トラフィックを送信するためのＳＰＳ構成用に構成され得、第２のＳＰＳ  Ｃ−ＲＮＴＩは、Ｖ２Ｘトラフィックを送信するためのＳＰＳ構成用に構成され得る。ｅＮＢは、複数のＳＰＳ構成パラメータを含む１つ以上のＲＲＣメッセージを送信することができる。複数のＳＰＳ構成パラメータは、複数のＳＰＳトラフィックタイプに対する複数のＳＰＳ−ＲＮＴＩパラメータ（例えば、複数のＵＬ  ＳＰＳ構成）を含み得る。
【００７６】
現在のＬＴＥ規格では、最大１つのダウンリンクＳＰＳ及び／又は１つのアップリンクＳＰＳがＰＣｅｌｌに対して構成され得る。複数のＳＰＳの構成は、ＰＣｅｌｌ又は他のセルではサポートされていない。ＳＰＳ  ＲＮＴＩは、ＵＥが１つのＤＬ  ＳＰＳ構成及び／又は１つのＵＬ  ＳＰＳ構成をサポートするように構成される。現在のＳＰＳ−Ｃｏｎｆｉｇ  ＩＥは、ｓｅｍｉＰｅｒｓｉｓｔＳｃｈｅｄＲＮＴＩ、ＲＮＴＩ、ｓｐｓ−ＣｏｎｆｉｇＤＬ、ＳＰＳ−ＣｏｎｆｉｇＤＬ、ｓｐｓ−ＣｏｎｆｉｇＵＬ、ＳＰＳ−ＣｏｎｆｉｇＵＬを含む。例示的実施形態は、セルのダウンリンク、アップリンク、及び／又はサイドリンクのための複数のＳＰＳ構成を可能にするためにＳＰＳ構成及びプロセスを強化する。
【００７７】
一実施例においては、ＣＡＭメッセージ生成は、サイズ、周期性及びタイミングに関して動的であり得る。そのような変更は、ＳＰＳタイミングとＣＡＭタイミングとの間の不整合をもたらす可能性がある。異なるトリガ間でサイズ及び周期性に一定の規則性があり得る。ＳＰＳをトリガ及び／又は採用するためにはＵＥ支援が必要とされ得る。
【００７８】
図１７は、ＵＥ  ＳＰＳ支援を構成し送信するための例示的なシグナリングフローを示す。例示的実施形態では、基地局は、ＵＥ支援情報の報告を構成するために１つ以上のＲＲＣメッセージを送信することができる。ＵＥは、ＵＥがＳＰＳ構成に関連するデータを送信しようとしていることを示すＵＥ  ＳＰＳ支援情報を基地局に送信することができる。それに応答して、基地局は、ＵＥ指標に対する確認応答をＵＥに送信することができる。ＵＥは、Ｖ２Ｘ通信の場合にＵＥ支援情報を基地局に提供することができる。ＵＥ支援情報は、ＳＰＳトラフィック及び構成に関するパラメータを含み得る。ＵＥ支援情報送信のトリガは、ＵＥの具現化に任されてもよい。例えば、ＵＥは、推定周期性の変化及び／又はパケット到着のタイミングオフセットが生じるときに、ＵＥ支援情報を報告することを許可され得る。
【００７９】
一実施例においては、基地局は、ＲＲＣシグナリングを介してＵＥに１つ以上のＳＰＳ構成を提供することができる。ＳＰＳ構成は、ダウンリンク、アップリンク、及び／又はサイドリンクを介したＳＰＳトラフィックの送信のためのものであり得る。ＵＥがＳＰＳを用いるメッセージのタイプを送信する必要があるとき、ＵＥは、１つ以上のＳＰＳトラフィックタイプに関するＵＥ  ＳＰＳ支援情報を基地局に報告することができる。ＵＥ  ＳＰＳ支援情報は、ＳＰＳトラフィックタイプに関する以下のＳＰＳ支援パラメータのうちの少なくとも１つを示し得る。ＳＰＳ支援パラメータは、以下、メッセージタイプ、論理チャネル、トラフィック／メッセージサイズ、ＳＰＳ構成インデックス、トラフィックタイプ、及び／又はトラフィック周期性のうちの少なくとも１つを示し得る。基地局は、ＵＥ支援報告に基づいてＳＰＳ送信許可（例えば、ＳＰＳをアクティブ化するＤＣＩ）を送信することができる。基地局は、ＵＥによって送信された支援情報に基づいて、ＳＰＳ構成及びＳＰＳ無線リソースについてのＳＰＳ  ＤＣＩ許可を提供することができる。許可を受信した後、ＵＥは対応するＳＰＳ構成を初期化し、ＵＥに割り当てられた無線リソースを介してデータを送信することができる。ＵＥ支援情報は、基地局が論理チャネル並びにトラフィック優先度及びサイズを決定することを可能にし得る。基地局は、ＵＥに対応するＳＰＳを構成／アクティブ化することができる。例えば、レガシー機構は、少なくとも１つの論理チャネル及び他の支援パラメータを含むＵＥ  ＳＰＳ支援情報を提供しない。この改善されたプロセスはアップリンクにおけるＳＰＳ送信効率を向上させる。
【００８０】
一実施例においては、複数のＳＰＳを並行してアクティブ化することができる。例えば、前のサービスが進行中の間に新しいサービスがトリガされてもよい。一実施例においては、ＵＥは、送信のための新しいメッセージに関する新しい情報（ＳＰＳトラフィック）を示す支援メッセージを基地局に送信することができる。基地局は、新しいサービス／メッセージの送信のために第２のＳＰＳ送信許可を提供してもよい。ＵＥは、新しいＳＰＳトラフィックの送信のために第２のＳＰＳ構成及び対応するリソースを選択し得る。一実施例においては、以前のＳＰＳ許可と新しいＳＰＳ許可とが並行して継続してもよい。
【００８１】
一実施例においては、ＵＥは、異なる周期性及びパケットサイズを必要とし得る、複数のＶ２Ｘサービスと関連付けられたトラフィックを送信し得る。ＳＰＳ  ＴＢサイズ及び期間は、異なるＶ２Ｘサービスに適合させることができる。複数の並列ＳＰＳプロセスは、ＵＥにおいて並列にアクティブ化され得る。異なるＳＰＳプロセスは、割り当てられたリソースブロック（ＲＢ）の数及び／又はＳＰＳ周期性において異なり得、そして異なるタイプのＶ２Ｘパケットに対応し得る。ＵＥの無線層がＶ２ＸアプリケーションからＶ２Ｘパケットを受信すると、ＵＥは対応するＳＰＳ許可でＶ２Ｘパケット送信をトリガすることができる。ＵＥに対して複数のＵＬ  ＳＰＳ構成が構成され得る。
【００８２】
複数のＳＰＳの構成が要求されるとき、複数のＳＰＳをサポートするためにレガシー機構が拡張されてもよい。基地局は、ＵＥの異なるＳＰＳプロセスに対して異なるＳＰＳ  ＲＮＴＩを構成することができる。ＳＰＳ活性化及びリリース機構が具現化されてもよい。基地局は、少なくとも１つ以上のＳＰＳ  ＲＮＴＩを用いて、どのＳＰＳプロセスがアクティブ化又はリリースされるかをトリガし得る。例示的な一実施形態においては、複数のＳＰＳ構成をサポートするために、異なるＳＰＳ  ＲＮＴＩが異なるＳＰＳ構成に対して構成され得る。例えば、第１のＳＰＳ  ＲＮＴＩは、第１のＶ２Ｘトラフィックを送信するためのＳＰＳ構成用に構成され得、第２のＳＰＳ  ＲＮＴＩは、第２のＶ２Ｘトラフィックを送信するためのＳＰＳ構成用に構成され得る。基地局は、複数のＳＰＳ構成パラメータを含む１つ以上のＲＲＣメッセージを送信することができる。複数のＳＰＳ構成パラメータは、複数のＳＰＳ構成（例えば、複数のＵＬ  ＳＰＳ構成）のための複数のＳＰＳ−ＲＮＴＩパラメータを含み得る。例示的実施形態の幾つかは、複数のＳＰＳ  ＲＮＴＩを具現化することができ、幾つかは単一のＳＰＳ  ＲＮＴＩを具現化することができる。
【００８３】
複数のＳＰＳ  ＲＮＴＩを用いて構成されたＵＥは、複数のＳＰＳ  ＲＮＴＩについてＰＤＣＣＨのサーチスペースを監視する必要があり得る。必要とされるＳＰＳ構成の数が増加すると、この機構はＵＥ処理要件及び／又は電力消費量を増加させる可能性がある。複数のＳＰＳ構成を実施するためのレガシー機構の拡張は、ＵＥ処理要件及びバッテリ電力消費を増大させる。一実施例においては、ＵＥは、異なるタイプのＶ２Ｘトラフィックに対して（例えば、４、又は８など）多くのＳＰＳ構成で構成され得る。複数のＳＰＳが構成されているときには、基地局及び無線デバイスにおけるＳＰＳ構成及びアクティブ化／リリース機構を改善する必要がある。例示的実施形態はシグナリングオーバーヘッドを増加させることがあるが、潜在的な利益はＶ２Ｘ通信が有効化されるときの増加されたオーバーヘッドを上回る。アップリンク（ＵＬ）又はサイドリンク（ＳＬ）を介したＳＰＳトラフィックの送信のために所与のＵＥに対して複数のＳＰＳが構成されているとき、例示的実施形態は基地局及びＵＥ具現化を改善し、ネットワーク性能を高め、ＵＥ監視要件を低減し、バッテリ電力消費を低減する。
【００８４】
一実施例においては、複数のダウンリンク、アップリンク、及び／又はサイドリンクＳＰＳがセルに対して構成され得る。一実施例においては、複数のＳＰＳが構成されているときに１つ以上のＳＰＳ  ＲＮＴＩを構成することができる。一実施例においては、ＲＲＣメッセージは、セルのＳＰＳ構成を識別するインデックスを含み得る。一実施例においては、ＳＰＳ  ＲＮＴＩを用いＳＰＳをトリガするＤＣＩは、トリガされた（初期化された、アクティブ化された）又はリリースされた（非アクティブ化された）ＳＰＳのインデックスを含み得る。例えば、Ｖ２Ｘ  ＳＰＳトラフィックに対応するアップリンクＳＰＳをアクティブ化又はリリースするＤＣＩは、ＳＰＳ構成インデックスに対応するＳＰＳ構成を識別するＵＬ  ＳＰＳ構成インデックスフィールド（例えば３ビット）を含むことができる。ＳＰＳ構成インデックスは、１つ以上のＳＬ／ＵＬ  ＳＰＳ構成のうちの１つのインデックスを示し得る。この強化された機構を使用して、複数のＳＰＳが同じＳＰＳ  ＲＮＴＩを使用して（例えばＶ２Ｘトラフィックのために）設定され得る。これは、ＵＥのバッテリ電力消費を低減し、複数のＳＰＳを構成する際の柔軟性を提供し得る。
【００８５】
例示的実施形態では、１つ以上のＳＰＳ許可構成がＵＥに対して設定されるとき、例えば１つ以上のＳＰＳ−ＣｏｎｆｉｇＵＬ及び／又はＳＰＳ−ＣｏｎｆｉｇＳＬがセルに設定されるとき、又は１つ以上のＳＰＳ許可構成がＳＰＳ−ＣｏｎｆｉｇＵＬ及び／又はＳＰＳ−ＣｏｎｆｉｇＳＬ内に設定されるとき、ＲＲＣ構成パラメータは、ＳＰＳ構成インデックスを含み得る。１つ以上のアップリンクＳＰＳ構成パラメータが同じＳＰＳ  ＲＮＴＩに割り当てられる（関連付けられる）ことができる。（例えば、異なるＳＰＳ周期性を有する）異なるＳＰＳ構成が、同じＳＰＳ  ＲＮＴＩに割り当てられ得、異なるＳＰＳ構成インデックスによって識別され得る。例示的実施形態では、同じＳＰＳ  ＲＮＴＩを用い、かつ異なるＳＰＳ構成インデックスを使用して、１つ以上のＳＰＳ構成（例えば、複数周期性、ＭＣＳ、及び／又は他のパラメータ）をトリガすることができる。図１４は、アップリンク又はサイドリンクのためのＳＰＳをアクティブ化及びリリースする例示的なＲＲＣ構成と例示的なＤＣＩを示す。同様の機構がダウンリンクに適用されてもよい。
【００８６】
例示的機構は、ダウンリンク、アップリンク、及び／又はサイドリンクＳＰＳ構成に適用され得る。例えば、１つ以上のＳＰＳ許可構成がＵＥによるサイドリンクを介した種々のＶ２Ｘトラフィックの送信用に構成されているとき、例えば１つ以上のＳＰＳ構成がセルのサイドリンク用に構成されているとき、ＲＲＣ構成パラメータは、サイドリンク用のＳＰＳ  ＲＮＴＩ、及び（それぞれサイドリンクＳＰＳ  ＲＲＣ構成と関連付けられた）１つ以上のＳＰＳ構成インデックスを含むことができる。１つ以上のアップリンクＳＰＳ構成パラメータは、サイドリンクＳＰＳのアクティブ化及びリリースのために同じサイドリンクＳＰＳ  ＲＮＴＩに割り当てられる（と関連付けられる）ことができる。（例えば、異なる周期性を有する）異なるＳＰＳ構成は、同じサイドリンクＳＰＳ  ＲＮＴＩに割り当てられてもよく、異なるＳＰＳ構成インデックスによって識別され得る。例示的実施形態では、サイドリンクを介したＳＰＳ  Ｖ２Ｘトラフィックの送信のために同じサイドリンクＳＰＳ  ＲＮＴＩを用いて、１つ以上のサイドリンクＳＰＳ構成（例えば、複数周期性、ＭＣＳ、及び／又は他のパラメータ）がトリガされ得る。
【００８７】
一実施例においては、ＳＰＳ−ＣｏｎｆｉｇＵＬ１にＳＰＳ  ＲＮＴＩ及びＳＰＳ−ＣｏｎｆｉｇＩｎｄｅｘ１を割り当てることができ、ＳＰＳ−ＣｏｎｆｉｇＵＬ２にＳＰＳ  ＲＮＴＩ及びＳＰＳ−ＣｏｎｆｉｇＩｎｄｅｘ２を割り当てることができる。基地局は、１つ以上のセルの構成パラメータ（例えば、ＰＣｅｌｌ及び／又はＳＣｅｌｌ）を含む１つ以上のＲＲＣメッセージを送信し得る。構成パラメータは、１つ以上のＳＰＳに関する構成パラメータを含み得る。構成パラメータは、ＳＰＳ  ＲＮＴＩ、ＳＰＳ−  ｏｎｆｉｇＩｎｄｅｘ１及びＳＰＳ−ＣｏｎｆｉｇＩｎｄｅｘ２を含み得る。
【００８８】
一実施例においては、ＳＰＳ−ＣｏｎｆｉｇＵＬ  ＩＥは、ＳＰＳ  ＲＮＴＩと、ＳＰＳ−ＣｏｎｆｉｇＩｎｄｅｘ１と、ＳＰＳ−ＣｏｎｆｉｇＩｎｄｅｘ２とを含み得る。１つ以上の第１のＳＰＳ構成パラメータをＳＰＳ−ＣｏｎｆｉｇＩｎｄｅｘ１と関連付けることができ、１つ以上の第２のＳＰＳ構成パラメータをＳＰＳ−ＣｏｎｆｉｇＩｎｄｅｘ２と関連付けることができる。ＳＰＳ構成パラメータの例は、周期性、ＨＡＲＱパラメータ、ＭＣＳ、許可サイズ、及び／又はＲＲＣ  ＳＰＳ構成に提示された他の任意のＳＰＳ構成パラメータであり得る。基地局は、１つ以上のセル（例えば、ＰＣｅｌｌ及び／又はＳＣｅｌｌ）の構成パラメータを含む１つ以上のＲＲＣメッセージを送信し得る。構成パラメータは、１つ以上のＳＰＳに関する構成パラメータを含み得る。構成パラメータは、ＳＰＳ  ＲＮＴＩ、ＳＰＳ−ＣｏｎｆｉｇＩｎｄｅｘ１及びＳＰＳ−ＣｏｎｆｉｇＩｎｄｅｘ２を含み得る。
【００８９】
ＳＰＳ構成で構成されたＵＥは、ＰＤＣＣＨを監視し、ＳＰＳ  ＲＮＴＩと関連付けられた（例えば、ＳＰＳ−ＲＮＴＩでスクランブルされた）ＤＣＩを検索することができる。基地局は、ＳＰＳ許可をアクティブ化又はリリースするために、ＳＰＳ  ＲＮＴＩと関連付けられたＤＣＩをＵＥに送信し得る。ＵＥは、ＳＰＳ  ＲＮＴＩと関連付けられたＤＣＩを復号することができる。ＤＣＩは、許可に関する情報を含む１つ以上のフィールドを含むことができる。ＤＣＩは、ＳＰＳ構成インデックスを更に含み得る。ＳＰＳ構成インデックスは、どのＳＰＳ構成がアクティブ化又はリリースされるかを決定し得る。
【００９０】
レガシーシステムにおけるＳＰＳのためのＤＣＩ許可における幾つかの例示的なフィールドが採用される。多くのフィールドはＮ／Ａでマークされている。例示的実施形態では、ＳＰＳ構成インデックスを示すために、既存のフィールドのうちの１つ（例えば、Ｎ／Ａフィールドのうちの１つ）、又は新しいフィールドがＤＣＩに導入され得る。ＤＣＩ内のＳＰＳ構成インデックスフィールドは、どのＳＰＳ構成がアクティブ化又はリリースされているかを識別し得る。ＵＥは、許可及びＳＰＳ構成パラメータに従ってデータを送信又は受信することができる。
【００９１】
例示的実施形態では、無線デバイスは、セミパーシステントスケジューリング（ＳＰＳ）セル無線ネットワーク一時識別子（ＲＮＴＩ）、第１のＳＰＳ構成パラメータ、第２のＳＰＳ構成パラメータ、第１のＳＰＳ構成パラメータと関連付けられた第１のＳＰＳ構成インデックス値、及び第２のＳＰＳ構成パラメータと関連付けられた第２のＳＰＳ構成インデックス値を含む少なくとも１つのメッセージを受信することができる。無線デバイスは、ＳＰＳ  ＲＮＴＩと関連付けられたダウンリンク制御情報（ＤＣＩ）を受信し得る。ＤＣＩは、ＳＰＳ許可及びＳＰＳ構成インデックス値の１つ以上のフィールドを含む。無線デバイスは、ＳＰＳ構成インデックス値と関連付けられたＳＰＳ構成パラメータを考慮して、ＳＰＳ許可で識別された無線リソース上でＳＰＳトラフィックを送信／受信することができる。ＳＰＳ構成インデックスと関連付けられたＳＰＳ構成パラメータは、例えば、ＳＰＳ周期性、ＭＣＳ、無線リソースパラメータ、及び／又はＳＰＳ構成に含まれる他のＳＰＳパラメータを含み得る。
【００９２】
例示的実施形態では、ＳＰＳ許可は具体的なメッセージタイプに対するものであり得る。現在の機構では、ＳＰＳ構成パラメータ及び／又はＳＰＳ  ＤＣＩ許可は、許可と関連付けられたトラフィックタイプに関する情報を含まない。例示的実施形態では、無線デバイスは、セミパーシステントスケジューリング（ＳＰＳ）セル無線ネットワーク一時識別子（ＲＮＴＩ）、及び１つ以上のＳＰＳ設定ＩＥのシーケンスを含む少なくとも１つのメッセージを受信することができる。ＳＰＳ構成ＩＥは、ＳＰＳ構成パラメータ、ＳＰＳ構成インデックス、及び／又はＳＰＳ構成パラメータと関連付けられたトラフィック／リソースプロファイル（例えばトラフィックインデックス値）を示す１つ以上のフィールドを含むことができる。トラフィックタイプのインデックスは、論理チャネル識別子、ベアラ識別子、Ｖ２Ｘトラフィックタイプ識別子、サービスタイプ、無線リソースタイプ及び／又は同等物であり得る。１つ以上のフィールドはまた、他のトラフィックと比較してトラフィックタイプの相対的な優先度を決定し得る。無線デバイスは、ＳＰＳ  ＲＮＴＩと関連付けられたダウンリンク制御情報（ＤＣＩ）を受信し得る。ＤＣＩは、ＳＰＳ構成インデックス及び／又はトラフィック／リソースプロファイルフィールドのうちの少なくとも１つを含むことができる。例示的実施形態はシグナリングオーバーヘッドを増加させることがあるが、種々のトラフィックタイプの通信が有効化されるとき、潜在的な利益がオーバーヘッドの増加を上回る。例示的実施形態は、ＵＥ及び基地局が１つ以上の具体的なトラフィックタイプにＳＰＳ（周期的）リソースを提供することを可能にする。このプロセスは、ＵＥアップリンクトラフィック多重化を強化し、エアインターフェースの全体的なスペクトル効率を強化する。一実施例においては、優先度の高いトラフィックの送信に対して許可が与えられ、優先度の低いトラフィックは動的許可を使用することができる。図１５は、種々のトラフィックタイプの送信のための例示的なＳＰＳ構成及び例示的なアクティブ化／リリースＤＣＩを示す図である。ＲＲＣ  ＳＰＳ構成パラメータ及び／又は１つ以上のＤＣＩフィールドがトラフィック／リソースプロファイルを示すとき、ＵＥは、対応するＳＰＳ許可内の対応するトラフィックタイプを含むアップリンクデータを送信し得る。
【００９３】
一実施例においては、ＳＰＳ構成は、種々の構成パラメータのシーケンスを含み得る。例示的実施形態では、無線デバイスは、セミパーシステントスケジューリング（ＳＰＳ）セル無線ネットワーク一時識別子（ＲＮＴＩ）、１つ以上のＳＰＳ構成パラメータのシーケンス、例えば周期を含む少なくとも１つのメッセージを受信することができる。一実施例においては、１つ以上のＳＰＳ構成パラメータ（例えば、周期性ＩＥ値を含むＳＰＳ構成ＩＥ）の各々は、ＳＰＳ構成インデックスと関連付けられ得る。無線デバイスは、ＳＰＳ  ＲＮＴＩと関連付けられたダウンリンク制御情報（ＤＣＩ）を受信し得る。ＤＣＩは、ＳＰＳ許可の１つ以上のフィールド（例えば、第１のＳＰＳ構成インデックス値）を含み得る。無線デバイスは、（例えば、第１のＳＰＳ構成インデックス値と関連付けられた）ＳＰＳ構成パラメータを考慮して、ＳＰＳ許可で識別された無線リソース上でＳＰＳトラフィックをアクティブ化（送信／受信）することができる。一実施例においては、ＤＣＩは、トラフィック／リソースプロファイルパラメータを含む１つ以上のフィールドを含み得る。
【００９４】
ＤＣＩは、ＳＰＳ構成パラメータと関連付けられたトラフィック／リソースプロファイル（例えば、トラフィック／リソースインデックス値）を示す１つ以上のフィールドを含み得る。トラフィックタイプのインデックスは、論理チャネル識別子、ベアラ識別子、Ｖ２Ｘトラフィックタイプ識別子、サービスタイプ、無線リソースタイプ及び／又は同等物であり得る。一実施例においては、１つ以上のフィールドはまた、他のトラフィックと比較したトラフィックタイプの相対的な優先度を決定し得る。例示的実施形態はシグナリングオーバーヘッドを増加させることがあるが、種々のトラフィックタイプの通信が有効化されるとき、潜在的な利益がオーバーヘッドの増加を上回る。例示的実施形態は、ＵＥ及び基地局が１つ以上の具体的なトラフィックタイプにＳＰＳ（周期的）リソースを提供することを可能にする。このプロセスは、ＵＥアップリンクトラフィック多重化を強化し、エアインターフェースの全体的なスペクトル効率を強化する。一実施例においては、優先度の高いトラフィックの送信に対して許可が与えられ、優先度の低いトラフィックは動的許可を使用することができる。図１６は、種々のトラフィックタイプの送信のための例示的なアクティブ化／リリースＤＣＩを示す図である。１つ以上のＤＣＩフィールドがトラフィック／リソースプロファイルを示すとき、ＵＥは、対応するＳＰＳ許可内の対応するトラフィックタイプを含むアップリンクデータを送信し得る。
【００９５】
例示的実施形態は、１つ以上のＳＰＳ  ＲＮＴＩが構成されているときに採用され得る。所与のＳＰＳトラフィック（メッセージタイプ）は、車速又は他のパラメータに応じて種々の周期で送信され得る。例示的実施形態は、ＳＰＳ許可を再構成する必要なしにＳＰＳ許可構成を更新することを可能にする。例示的実施形態は、ＳＰＳ構成のアクティブ化又はリリースのために採用され得る。
【００９６】
一実施例においては、複数のＳＰＳを並行してアクティブ化することができる。例えば、前のＳＰＳが進行中の間に新しいＳＰＳがトリガされてもよい。一実施例においては、ＵＥは、ＵＥが新しいメッセージの送信のために新しいＳＰＳリソースを必要とすることを示す、アシスタント情報を含むメッセージを基地局に送信することができる。アシスタント情報は、少なくとも１つのＳＰＳトラフィックタイプ、例えば、論理チャネル、周期性、メッセージサイズ及び／又は同等物についての情報を含み得る。基地局は、新しいサービス／メッセージにＳＰＳ許可を提供することができる。ＵＥは、対応するトラフィックのアップリンク送信のためにＳＰＳ構成及び対応するＳＰＳリソースを採用することができる。一実施例においては、以前のＳＰＳ許可と新しいＳＰＳ許可とが並行して採用され得る。図１３は、複数のＳＰＳ許可が並行してアクティブ化されるときの例を示す。基地局は、第１のＳＰＳトラフィックの送信のために第１のサブフレームでＳＰＳ許可１を送信することができる。基地局は、第２のＳＰＳトラフィックの送信のために第２のサブフレームでＳＰＳ許可２を送信することができる。第１のＳＰＳ許可及び第２のＳＰＳ許可は、異なるパラメータを有することができ、例えば、異なるＲＢ割り当てを含むことができ、異なる周期性を有することができ、異なるＤＣＩ及びＲＲＣ構成パラメータ及び／又は同等物を有することができる。例示的実施形態では、第１のＳＰＳ許可のインスタンスと第２のＳＰＳ許可のインスタンスは同じサブフレーム内で重複し得る。
【００９７】
例示的な実施形態では、基地局スケジューリング機構はそのようなシナリオの可能性を回避又は低減し得る。そのような制限は、基地局スケジューリング機構に対する更なる複雑さ及び制約を追加し得、そしてアップリンクにおける全体的なスペクトル効率を低下させ得る。複数のアップリンクＳＰＳ許可が同じサブフレーム及び／又はＴＴＩ内で一致するとき、アップリンク送信機構を強化するためにＵＥ及び／又は基地局のための機構を具現化する必要がある。
【００９８】
例示的な実施形態では、複数のアップリンクＳＰＳが、例えば異なる周期性又は他のパラメータを用いてセル上に構成される。一実施例においては、ＲＲＣパラメータのうちの幾つかは、セル上の種々のＳＰＳ構成について同じであり得る。例えば、セル上に複数のＳＰＳが構成されている場合、ＳＰＳは、セル上の複数のＳＰＳに対して同じアップリンク電力計算構成を可能にするために、同じｐ０−Ｐｅｒｓｉｓｔｅｎｔ及び／又はｐ０−ＰｅｒｓｉｓｔｅｎｔＳｕｂｆｒａｍｅＳｅｔ２−ｒ１２を採用することができる。一実施例においては、ｔｗｏＩｎｔｅｒｖａｌｓＣｏｎｆｉｇ、ｉｍｐｌｉｃｉｔＲｅｌｅａｓｅＡｆｔｅｒ、及び／又はＭＣＳ（ＲＲＣパラメータとして設定されている場合）などの幾つかの他のパラメータは、複数のＳＰＳ構成にわたって同じであり得る。複数のＳＰＳ設定は同じ共通パラメータを持ち、独自のＳＰＳ固有のパラメータを持つことができる。
【００９９】
一実施例においては、ＤＣＩフォーマット０は、１つのＵＬセル内のＰＵＳＣＨのスケジューリングに使用され得る。他のＤＣＩフォーマットがダウンリンク又はアップリンクＳＰＳ許可に使用されてもよい。複数のＳＰＳが並行してアクティブにされるとき、ＳＰＳの幾つかの例は同じサブフレーム内で一致し得る。幾つかの送信パラメータがＳＰＳ許可を横切って同じであるとき、ＵＥは同じサブフレーム内の両方の許可で送信することができる。例えば、許可が同じＭＣＳ及び／又は同じホッピングパターンを有するとき、ＵＥは同じサブフレーム内の複数の許可で送信することができる可能性がある。一実施例においては、追加の制限が適用され得る。例えば、２つの許可は、ＤＭ  ＲＳ及びＯＣＣインデックスに対して同じ、ＤＭ  ＲＳ及びＯＣＣインデックスの巡回シフトを有する必要があり得、及び／又は隣接ＲＢ割り当てを有する必要があり得る。例示的実施形態では、基地局スケジューリング機構は、セル上で並列ＳＰＳをアクティブ化するとき（例えば、ＳＰＳ許可のインスタンスが同じサブフレーム上で一致するとき）にこれらの制約を考慮することができる。一実施例においては、サブフレーム上の複数の許可に基づく並列送信が具現化され得る。
【０１００】
一実施例においては、ＵＥはサブフレーム内に複数の許可を集約することができる。例えば、ＵＬ  ＰＵＳＣＨ送信電力は、共通のＲＲＣ構成パラメータ、両方の許可についての集約ＲＢ、及び両方の許可を含むサブフレーム上のセルについての電力制御パラメータを考慮して計算され得る。ＵＥは、アップリンク送信のためのＲＢの数を計算するために、第１の許可及び第２の許可にＲＢの数を加算することができる。ＵＥは、電力を計算する際に両方の許可に対して同じＭＣＳを考慮することができる。２つの許可が同じＭＣＳを有する場合、ＭＣＳは許可のどちらかのＭＣＳになり得る。２つの許可が異なるＭＣＳを有する場合、ＵＥは、ＵＥ具現化規則に従って、より厳格なＭＣＳ（より低い変調及びコーディング）、より高い優先度の許可のＭＣＳ、又は２つのＭＣＳのうちの一方を考慮することができる。ＵＥは、電力制御計算に採用されるものと同じＭＣＳを用いて両方の許可を送信することができる。一実施例においては、ＭＡＣ  ＴＢは、複数の許可の集合において割り当てられたリソース上で送信され得る。基地局は、受信したＴＢに対してＡＣＫを送信することができる。一実施例においては、各許可のＭＡＣ  ＴＢは、関連する許可で構築され送信され得る。複数のＴＢが送信されるとき、基地局は異なる許可に対して異なるＡＣＫ／ＮＡＣＫを送信し得る。
【０１０１】
一実施例においては、複数のＳＰＳ許可が同じサブフレーム内で一致するとき、ＵＥはＰＵＳＣＨ電力計算式に基づいて各許可の電力を別々に計算することができる。ＰＵＳＣＨ電力の計算方法の例を以下に示す。他の例の式及びシナリオは付録に記載されている。
【数７】
2019530294.tif 000011
［ｄＢｍ］
【０１０２】
サブフレーム内の複数のＳＰＳ許可の電力の合計がＰｃＭＡＸを超える場合、ＵＥは、電力の合計がＰｃＭＡＸを下回るように送信電力をスケーリングすることができる。一実施例においては、ＵＥは、他の許可と比較して、許可のうちの１つの許可の電力に高い優先度を割り当てることができる。一実施例においては、ＵＥは、例えば、許可優先度、許可のサイズ、ＭＣＳ、及び／又は許可のタイミングに基づいて、優先度を決定するために所定の規則を使用することができる。
【０１０３】
一実施例においては、ＵＥは、ＰｃＭＡＸを考慮せずに各許可についてＰＵＳＣＨのＰＵＳＣＨ電力を計算することができる。ＵＥは、ＰＵＳＣＨの電力を加算することができ、総電力がＰｃＭＡＸを超えるとき、ＵＥは、セル上の送信電力がＰｃＭＡＸを超えないように、送信電力をスケーリングするためのスケーリング規則を採用することができる。
【０１０４】
【数８】
2019530294.tif 000012
【０１０５】
一実施例においては、複数のＳＰＳ許可が同じサブフレーム内で一致するとき、ＵＥは、選択された許可（例えば、より高い優先度を有する許可）の許可パラメータ（例えば、ＭＣＳ、及び／又は電力パラメータ）のうちの幾つかを採用することができる。一実施例においては、ＵＥは、基準、例えば、最初に受信された許可、より高い優先度の許可、より広範囲の許可、より高い優先度を有する論理チャネルと関連付けられた許可に基づいて、及び／又は事前に定義された具現化規則に従って、許可のうちの１つを選択し得る。ＵＥは、複数の許可についてのアップリンク送信のために選択された許可の幾つかのパラメータを使用することができる。ＵＥは、例えば、上記の例示的な方法を用いて、選択された許可のパラメータに基づいて電力を計算し得る。
【０１０６】
一実施例においては、複数のＳＰＳ許可が同じサブフレーム内で一致するとき、ＵＥは、選択された許可（例えば、より高い優先度を有する許可）を用いてアップリンクＴＢを送信し得る。ＵＥは他の許可をドロップしてもよい。一実施例においては、ＵＥは、基準、例えば、最初に受信された許可、より高い優先度の許可、より広範囲の許可、より高い優先度を有する論理チャネルと関連付けられた許可に基づいて、及び／又は事前に定義された具現化規則に従って、許可のうちの１つを選択し得る。ＵＥは、選択された許可を用いてアップリンク信号を送信することができる。ＵＥは他の許可をドロップ／無視し、他の許可でアップリンク信号（ＴＢ）を送信しなくてもよい。基地局はこの規則で構成されてもよく、ドロップ／無視される許可でＴＢを受信することを予測しなくてもよい。
【０１０７】
一実施例においては、複数のＳＰＳ許可が同じサブフレームｎ内で一致するとき、ＵＥは、サブフレームｎ内で選択された許可（例えば、より高い優先度を有する許可）を用いてアップリンクＴＢを送信し得る。ＵＥは、他の許可をシフトし、サブフレームｎ＋ｋ、例えば、ｋ＝１に対してこれらの許可を採用することができる（例えば、ｋ＝−１、２など、ｋのための他の値も具現化することができる）。一実施例においては、ＵＥは、基準、例えば、最初に受信された許可、より高い優先度の許可、より広範囲の許可に基づいて、及び／又は事前に定義された具現化規則に従って、許可のうちの１つを選択し得る。ＵＥは、選択された許可を用いてサブフレームｎにおいてアップリンク信号を送信することができる。ＵＥは、サブフレームｎ＋ｋについて他の許可を採用し、サブフレームｎ＋ｋ内の他の許可についてアップリンク信号（ＴＢ）を送信することができる。例えば、２回目の許可ではｋ＝１、３回目の許可ではｋ＝２である。この機構は、ＵＥ及び基地局において事前設定されてもよく、基地局はサブフレームｎ＋ｋにおいて他の許可のためのＴＢを受信することを予測してもよく、他のＵＥに対してそれらのリソースをスケジュールしなくてもよい。
【０１０８】
例示的実施形態は、ＵＥ及び基地局に事前設定されてもよく、基地局は例示機構に従ってＴＢを受信することを予測してもよい。例のうちの幾つかは組み合わされてもよく、異なるＵＥは、ＵＥ構成及び／又は能力に基づいて異なる例示的実装を具現化してもよい。
【０１０９】
一実施例においては、ＵＬ−ＳＣＨ上で送信するために、ＭＡＣエンティティは、非適応型ＨＡＲＱ再伝送を除いて有効なアップリンク許可を必要とし得る。一実施例においては、ＭＡＣエンティティは、アップリンク許可をＰＤＣＣＨ上で動的に又はランダムアクセス応答で受信することができる。一実施例においては、アップリンク許可は半永続的に構成され得る。一実施例においては、ＭＡＣ層は、下位層からＨＡＲＱ情報を受信することができる。一実施例においては、物理層がアップリンク空間多重化用に構成されている場合、ＭＡＣ層は、下位層から同じＴＴＩについて２つの許可まで（ＨＡＲＱプロセス毎に１つ）を受信することができる。
【０１１０】
一実施例においては、ＭＡＣエンティティは、Ｃ−ＲＮＴＩ、セミパーシステントスケジューリングＣ−ＲＮＴＩ、又は一時的Ｃ−ＲＮＴＩを有することができる。ＭＡＣエンティティは、ＴＴＩについて、及び実行時間整合タイマを有するＴＡＧに属するサービングセルについて、ＭＡＣエンティティのＣ−ＲＮＴＩ又は一時的Ｃ−ＲＮＴＩについてのＰＤＣＣＨ上でＴＴＩ及びサービングセルについてのアップリンク許可を受信することができ、又はＭＡＣエンティティは、ランダムアクセス応答においてＴＴＩのためのアップリンク許可を受信することができる。一実施例においては、アップリンク許可がＭＡＣエンティティのＣ−ＲＮＴＩに対するものである場合、及び同じＨＡＲＱプロセスに関してＨＡＲＱエンティティに配信された前のアップリンク許可が、ＭＡＣエンティティのセミパーシステントスケジューリングＣ−ＲＮＴＩに対して受信されたアップリンク許可であるか、又は設定されたアップリンク許可である場合、ＭＡＣエンティティは、ＮＤＩの値に関係なく、ＮＤＩが対応するＨＡＲＱプロセスに切り替えられたと考えることができる。ＭＡＣエンティティは、ＴＴＩのためにアップリンク許可及び関連するＨＡＲＱ情報をＨＡＲＱエンティティに配信することができる。
【０１１１】
一実施例においては、サービングセルはＳｐＣｅｌｌであり得る。ＴＴＩに対するアップリンク許可は、ＭＡＣエンティティのセミパーシステントスケジューリングＣ−ＲＮＴＩに対するＳｐＣｅｌｌのＰＤＣＣＨ上のＳｐＣｅｌｌに対して受信されてもよく、受信されたＨＡＲＱ情報内のＮＤＩは１であってもよい。ＭＡＣエンティティは、対応するＨＡＲＱプロセスに対するＮＤＩが切り替えられていないと考えることができる。一実施例においては、ＭＡＣエンティティは、ＴＴＩのためにアップリンク許可及び関連するＨＡＲＱ情報をＨＡＲＱエンティティに配信することができる。
【０１１２】
一実施例においては、サービングセルはＳｐＣｅｌｌであり得、ＴＴＩのためのアップリンク許可は、ＭＡＣエンティティのセミパーシステントスケジューリングＣ−ＲＮＴＩのためのＳｐＣｅｌｌのＰＤＣＣＨ上でＳｐＣｅｌｌのために受信され得る。受信されたＨＡＲＱ情報内のＮＤＩは０であり得、ＰＤＣＣＨ内容はＳＰＳリリースを示し得る。一実施例においては、ＭＡＣエンティティは、（もしあれば）設定されたアップリンク許可をクリアすることができる。
【０１１３】
一実施例においては、サービングセルはＳｐＣｅｌｌであり得る。ＴＴＩのためのアップリンク許可は、ＭＡＣエンティティのセミパーシステントスケジューリングＣ−ＲＮＴＩのためのＳｐＣｅｌｌのＰＤＣＣＨ上のＳｐＣｅｌｌのために受信されることができる。ａ受信したＨＡＲＱ情報のＮＤＩが０であり得、ＰＤＣＣＨがＳＰＳのリリースを示していない可能性がある。ＭＡＣエンティティは、構成されたアップリンク許可としてアップリンク許可及び関連するＨＡＲＱ情報を記憶することができる。ＭＡＣエンティティは、ＴＴＩで開始し、セミパーシステントスケジューリング規則に従って繰り返すように、設定されたアップリンク許可を（アクティブでない場合）初期化し、又は（既にアクティブである場合）再初期化する。一実施例においては、ＵＬ  ＨＡＲＱ動作が非同期である場合、ＭＡＣエンティティは、ＨＡＲＱプロセスＩＤをＴＴＩと関連付けられたＨＡＲＱプロセスＩＤに設定することができる。ＭＡＣエンティティは、対応するＨＡＲＱプロセスに対するＮＤＩビットが切り替えられたと考えることができる。ＭＡＣエンティティは、設定されたアップリンク許可及び関連するＨＡＲＱ情報をＴＴＩのためにＨＡＲＱエンティティに配信することができる。
【０１１４】
一実施例においては、サービングセルはＳｐＣｅｌｌであり得、ＴＴＩのためのアップリンク許可はＳｐＣｅｌｌのために構成され得る。一実施例においては、ＵＬ  ＨＡＲＱ動作が非同期である場合、ＭＡＣエンティティは、ＨＡＲＱプロセスＩＤをＴＴＩと関連するＨＡＲＱプロセスＩＤに設定することができる。ＭＡＣエンティティは、対応するＨＡＲＱプロセスに対するＮＤＩビットがトグルされたと考えることができる。ＭＡＣエンティティは、設定されたアップリンク許可、及び関連するＨＡＲＱ情報をＴＴＩのためにＨＡＲＱエンティティに配信することができる。一実施例においては、設定されたアップリンク許可の期間はＴＴＩで表現され得る。
【０１１５】
一実施例においては、ＭＡＣエンティティは、ランダムアクセス応答における許可と、同じＵＬサブフレーム内でＳｐＣｅｌｌ上での送信を必要とするそのＣ−ＲＮＴＩ又はセミパーシステントスケジューリングＣ−ＲＮＴＩに対する許可との両方を受信し得る。ＭＡＣエンティティは、そのＲＡ−ＲＮＴＩに対する許可、又はそのＣ−ＲＮＴＩ又はセミパーシステントスケジューリングＣ−ＲＮＴＩに対する許可のいずれかを継続することを選択することができる。
【０１１６】
一実施例においては、設定されたアップリンク許可が測定ギャップ中に示され、測定ギャップ中にＵＬ−ＳＣＨ送信を示すとき、ＭＡＣエンティティは許可を処理すし得るが、ＵＬ−ＳＣＨ上で送信しなくてもよい。設定されたアップリンク許可が受信のためのサイドリンク発見ギャップ中に示され、ＳＬ−ＤＣＨ送信を伴う送信のためのサイドリンク発見ギャップ中にＵＬ−ＳＣＨ送信を示すとき、ＭＡＣエンティティは許可を処理し得るが、ＵＬ−ＳＣＨ上で送信しなくてもよい。
【０１１７】
（３ＧＰＰ  ＴＳ  ３６．３２１  ｖ１３．２  ２０１６−６に規定されているような）レガシーＳＰＳプロシージャでは、設定されたアップリンク許可について、このＴＴＩと関連付けられたＨＡＲＱプロセスＩＤは、非同期ＵＬ  ＨＡＲＱ動作についての以下の式から導出され得る。
ＨＡＲＱプロセスＩＤ＝［ｆｌｏｏｒ（ＣＵＲＲＥＮＴ＿ＴＴＩ／ｓｅｍｉＰｅｒｓｉｓｔＳｃｈｅｄＩｎｔｅｒｖａｌＵＬ）］モジュロｎｕｍｂｅｒＯｆＣｏｎｆＵｌＳＰＳ−プロセス、
ここで、ＣＵＲＲＥＮＴ＿ＴＴＩ＝［（ＳＦＮ＊１０）＋サブフレーム番号］であり、それはバンドルの最初の送信が行われるサブフレームを指すことができる。
【０１１８】
一実施例においては、設定されたアップリンクを有するサービングセルのためのＭＡＣエンティティに１つのＨＡＲＱエンティティがあり得、それは、前回の送信の成功又は失敗した受信に関するＨＡＲＱフィードバックを待つ間、送信を継続的に行うことを可能にする幾つかの並列ＨＡＲＱプロセスを維持し得る。
【０１１９】
一実施例においては、ＨＡＲＱエンティティ毎に固定最大数の並列ＨＡＲＱプロセスがあり得る。一実施例においては、ＮＢ−ＩｏＴは１つのＵＬ  ＨＡＲＱプロセスを有し得る。一実施例においては、物理層がアップリンク空間多重化用に構成されているとき、所与のＴＴＩと関連付けられた２つのＨＡＲＱプロセスがあり得る。そうでなければ、所与のＴＴＩと関連付けられた１つのＨＡＲＱプロセスがあり得る。
【０１２０】
所与のＴＴＩにおいて、ＴＴＩについてアップリンク許可が示される場合、ＨＡＲＱエンティティは、送信が行われ得るＨＡＲＱプロセスを識別し得る。一実施例においては、ＨＡＲＱエンティティは、物理層によって中継された、受信したＨＡＲＱフィードバック（ＡＣＫ／ＮＡＣＫ情報）、ＭＣＳ、及びリソースを適切なＨＡＲＱプロセスにルーティングすることができる。
【０１２１】
例示的な非同期ＨＡＲＱ動作では、ＨＡＲＱプロセスは、ＲＡＲにおけるＵＬ許可を除いて、受信されたＵＬ許可に基づいてＴＴＩと関連付けられ得る。一実施例においては、ＮＢ−ＩｏＴを除いて、非同期ＨＡＲＱプロセスは、ＨＡＲＱプロセス識別子と関連付けられ得る。ＲＡＲにおけるＵＬ許可を伴うＵＬ送信のために、ＨＡＲＱプロセス識別子０が使用され得る。ＨＡＲＱフィードバックは、非同期ＵＬ  ＨＡＲＱには適用できない場合がある。
【０１２２】
一実施例においては、ＴＴＩバンドリングが構成されているとき、パラメータＴＴＩ＿ＢＵＮＤＬＥ＿ＳＩＺＥは、ＴＴＩバンドルのＴＴＩの数を提供することができる。ＴＴＩバンドリング動作は、同じバンドルの一部である送信のために同じＨＡＲＱプロセスを呼び出すためにＨＡＲＱエンティティに依存し得る。一実施例においては、バンドル内で、ＨＡＲＱ再伝送は非適応であり得、ＴＴＩ＿ＢＵＮＤＬＥ＿ＳＩＺＥに従って前回の送信からのフィードバックを待つことなくトリガされ得る。そのＴＴＩにおける送信が行われるか否（例えば測定ギャップが発生した場合）かに関わらず、バンドルの最後のＴＴＩ（すなわち、ＴＴＩ＿ＢＵＮＤＬＥ＿ＳＩＺＥに対応するＴＴＩ）について、バンドルのＨＡＲＱフィードバックを受信することができる。ＴＴＩバンドルの再伝送はまた、ＴＴＩバンドルであり得る。ＭＡＣエンティティがアップリンクを構成した１つ以上のＳＣｅｌｌを用いて構成されているとき、ＴＴＩバンドリングはサポートされないことがある。一実施例においては、アップリンクＨＡＲＱ動作は、ＮＢ−ＩｏＴ  ＵＥ、ＢＬ  ＵＥ、又はバンドル内の繰り返しを除いて強化カバレッジ内のＵＥに対して非同期であり得る。
【０１２３】
一実施例においては、ＴＴＩに関して、ＨＡＲＱエンティティは、そのＴＴＩと関連付けられたＨＡＲＱプロセスを識別し得る。識別されたＨＡＲＱプロセスの場合、そのプロセス及びＴＴＩに対してアップリンク許可が示され得る。一実施例においては、受信された許可は、ＰＤＣＣＨ上の一時的Ｃ−ＲＮＴＩにアドレス指定されないことがある。一実施例においては、関連付けられたＨＡＲＱ情報において提供されたＮＤＩは、このＨＡＲＱプロセスの前回の送信における値と比較して切り替えられ得る。アップリンク許可がＣ−ＲＮＴＩに対するＰＤＣＣＨ上で受信され、識別されたプロセスのＨＡＲＱバッファが空の場合、又は、アップリンク許可がランダムアクセス応答で受信された場合、Ｍｓｇ３バッファにＭＡＣ  ＰＤＵがあり、アップリンク許可がランダムアクセス応答で受信された場合：ＭＡＣエンティティはＭｓｇ３バッファから送信するＭＡＣ  ＰＤＵを取得する。そうでなければ、ＭＡＣエンティティは、多重化及びアセンブリエンティティから送信するためのＭＡＣ  ＰＤＵを取得することができる。ＭＡＣエンティティは、識別されたＨＡＲＱプロセスにＭＡＣ  ＰＤＵ及びアップリンク許可及びＨＡＲＱ情報を配信することができる。識別されたＨＡＲＱプロセスに新しい送信を引き起こすよう指示する。そうでなければ、ＭＡＣエンティティは、アップリンク許可及びＨＡＲＱ情報（冗長バージョン）を識別されたＨＡＲＱプロセスに配信することができる。そして、識別されたＨＡＲＱプロセスに適応型再伝送を生成するように指示する。
【０１２４】
ＴＴＩの場合、ＨＡＲＱエンティティは、ＴＴＩと関連付けられたＨＡＲＱプロセスを識別することができ、識別されたＨＡＲＱプロセスの場合、プロセス及びＴＴＩに対してアップリンク許可が示されていない場合、及びこのＨＡＲＱプロセスのＨＡＲＱバッファが空ではない場合、ＭＡＣエンティティは、識別されたＨＡＲＱプロセスに、非適応型再伝送を生成するように指示することができる。一実施例においては、ＨＡＲＱプロセスは、ＨＡＲＱバッファと関連付けられてもよい。
【０１２５】
一実施例においては、新しい送信は、リソース上で、そしてＰＤＣＣＨ又はランダムアクセス応答上に示されたＭＣＳを用いて実行され得る。適応型再伝送は、リソース上で、提供されている場合、ＰＤＣＣＨ上に示されたＭＣＳと共に実行されてもよい。非適応型再伝送は、最後に行われた送信試行に使用されたのと同じリソース及び同じＭＣＳを用いて実行され得る。一実施例においては、非同期ＨＡＲＱ動作の場合、ＵＬ再伝送は、バンドル内の再伝送を除いて、適応型再伝送許可によってトリガされ得る。
【０１２６】
複数のＳＰＳ構成がサポートされているときの現在のＳＰＳ機構及びＨＡＲＱプロシージャの具現化は、ＨＡＲＱ再伝送におけるエラー及びＨＡＲＱプロセスＩＤの非効率的な使用をもたらす可能性がある。複数のＳＰＳが設定されているとき、ＨＡＲＱプロセスを改善する必要がある。例示的実施形態は、複数のＳＰＳが構成されているときにアップリンク伝送効率及びスループットを改善する。
【０１２７】
例示的実施形態では、ｅＮＢは、１つ以上のセルの構成パラメータを含む少なくとも１つのＲＲＣメッセージをＵＥに送信することができる。構成パラメータは、ＳＰＳ構成パラメータを含み得る。ＳＰＳ構成パラメータは、ＳＰＳ構成に対するオフセットを含み得る。一実施例においては、ＳＰＳ構成にＨＡＲＱプロセスＩＤオフセットを割り当てることができる。
【０１２８】
例示的実施形態では、ｅＮＢは、サービングセル上のＳＰＳのためのＨＡＲＱプロセスＩＤオフセット（例えば、ＨＡＲＱＰｒｏｃｅｓｓＩＤＯｆｆｓｅｔ）を示すパラメータをＲＲＣと共に構成することができる。ＲＲＣは、サービングセル上のＳＰＳについて、他のＳＰＳパラメータ、例えば、ＳｅｍｉＰｅｒｓｉｓｔｅｎｔＩｎｔｅｒｖａｌＵＬ、ｎｕｍｂｅｒＯｆＣｏｎｆＵｌｓＰＳ−Ｐｒｏｃｅｓｓｅｓ、ｉｍｐｌｉｃｉｔＲｅｌｅａｓｅＡｆｔｅｒ、ｐ０−Ｐｅｒｓｉｓｔｅｎｔ、ｔｗｏＩｎｔｅｒｖａｌＣｏｎｆｉｇなどを構成することができる。一実施例においては、幾つかのＳＰＳパラメータは、（サービングセル上及び／又はサービングセルにわたって）構成されたＳＰＳの間で共通であり得、幾つかは構成されたＳＰＳのうちの１つ以上（例えば単一のＳＰＳ）に対して構成され得る。一実施例においては、サービングセル上のＳＰＳの構成されたアップリンク許可について、このＴＴＩと関連付けられたＨＡＲＱプロセスＩＤは、非同期ＵＬ  ＨＡＲＱ動作についての以下の式から導出され得る。ＨＡＲＱプロセスＩＤ＝［ｆｌｏｏｒ（ＣＵＲＲＥＮＴ＿ＴＴＩ／ｓｅｍｉＰｅｒｓｉｓｔＳｃｈｅｄＩｎｔｅｒｖａｌＵＬ）］ｍｏｄｕｌｏ  ｎｕｍｂｅｒＯｆＣｏｎｆＵｌＳＰＳ−Ｐｒｏｃｅｓｓｅｓ＋ＨＡＲＱＰｒｏｃｅｓｓＩＤＯｆｆｓｅｔ
ここで、ＣＵＲＲＥＮＴ＿ＴＴＩ＝［（ＳＦＮ＊１０）＋サブフレーム番号］であり、それはバンドルの最初の送信が行われるサブフレームを指すことができる。パラメータｓｅｍｉＰｅｒｓｉｓｔＳｃｈｅｄＩｎｔｅｒｖａｌＵＬ、ｎｕｍｂｅｒＯｆＣｏｎｆＵｌＳＰＳ−Ｐｒｏｃｅｓｓｅｓ、及び  ＨＡＲＱＰｒｏｃｅｓｓＩＤＯｆｆｓｅｔは、サービングセル上のＳＰＳに対して設定されたＲＲＣであり得る。ＨＡＲＱプロセスＩＤオフセットパラメータを使用してＨＡＲＱプロセスＩＤを導出するために他の式を使用することができる。プロシージャの一例を図１８に示す。無線デバイスは、第１のＳＰＳ及び第２のＳＰＳに関する構成パラメータを受信する。第１のＳＰＳに関する構成パラメータは、第１のＨＡＲＱプロセスオフセット値を含み得る。第２のＳＰＳに関する構成パラメータは、第２のＨＡＲＱプロセスオフセット値を含み得る。無線デバイスは、第１のＳＰＳをアクティブ化する第１のＤＣＩ及び第２のＳＰＳをアクティブ化する第２のＤＣＩを受信することができる。無線デバイスは、少なくとも第１のＨＡＲＱプロセスオフセット値に基づいて、第１のＳＰＳに対応する第１の送信と関連付けられた第１のＨＡＲＱプロセスＩＤを決定し得る。無線デバイスは、少なくとも第２のＨＡＲＱプロセスオフセット値に基づいて、第２のＳＰＳと関連付けられた第２の送信を決定し得る。
【０１２９】
一実施例においては、ｅＮＢは、サービングセル上のＵＥに対して２つのＳＰＳを構成し得、第１のＳＰＳに対して、ｎｕｍｂｅｒＯｆＣｏｎｆＵＬＳＰＳ−Ｐｒｏｃｅｓｓｅｓ及びＨＡＲＱＰｒｏｃｅｓｓＩＤＯｆｆｓｅｔの値をそれぞれ２及び０として構成し得る。ｅＮＢは、第２のＳＰＳについて、ｎｕｍｂｅｒＯｆＣｏｎｆＵＩＳＰＳ−Ｐｒｏｃｅｓｓｅｓ及びＨＡＲＱＰｒｏｃｅｓｓＩＤＯｆｆｓｅｔの値をそれぞれ３及び２に設定し得る。第１のＳＰＳの設定されたアップリンク許可のためのＨＡＲＱプロセスＩＤは、それらの関連するＴＴＩにおいて連続的に０、１、０、１、０、１、０、１、．．．の値をとり、そして、第２のＳＰＳの設定されたアップリンク許可のためのＨＡＲＱプロセスＩＤは、それらの関連するＴＴＩにおいて連続的に２、３、４、２、３、４、２、３、４、．．．の値をとる。
【０１３０】
一実施例においては、１つ以上のセミパーシステントスケジューリング（ＳＰＳ）許可の構成パラメータを含む少なくとも１つのメッセージを無線デバイスによって受信することを含む方法が使用され得る。少なくとも１つのメッセージは、１つ以上のＲＲＣメッセージであり得る。構成パラメータは、ＳＰＳ許可のためのＨＡＲＱプロセス識別子オフセットを含む１つ以上のＨＡＲＱ識別子（ＩＤ）オフセットを含むことができる。ＨＡＲＱプロセス識別子オフセットは、０から最大値までの整数値をとり得る。本方法は、ＳＰＳ許可を示すＤＣＩを無線デバイスによって受信することを含み得る。無線デバイスは、ＳＰＳ  ＰＤＣＣＨ検証プロシージャを使用してＳＰＳ許可のとおりにＤＣＩを検証し得る。本方法は、ＨＡＲＱプロセス数＋ＨＡＲＱプロセス識別子オフセットを法とする初期値に等しい第１のＨＡＲＱプロセス識別子を有する第１のＨＡＲＱプロシージャと関連付けられた第１のトランスポートブロック（ＴＢ）を送信することと、ＳＰＳ許可のリソースにおいて第１のトランスポートブロックに続いて第２のＴＢを送信することであって、第２のＴＢが、ＨＡＲＱプロセス数＋ＨＡＲＱプロセス識別子オフセットを法とする、第２値に等しい第２のＨＡＲＱプロセス識別子を有する第２のＨＡＲＱプロシージャと関連付けられ、第２の値が、初期値の増分に等しくてもよい、第２のＴＢを送信することと、を含み得る。
【０１３１】
例示的実施形態では、ｅＮＢは、１つ以上のセルの構成パラメータを含む少なくとも１つのＲＲＣメッセージをＵＥに送信することができる。構成パラメータは、ＳＰＳ構成パラメータを含み得る。ＳＰＳ構成パラメータは、ＳＰＳ許可構成のシーケンスに関するパラメータを含むことができる。
【０１３２】
例示的実施形態では、ｅＮＢは、ＲＲＣを用いてＳＰＳ許可構成のシーケンスを構成することができる。ＳＰＳ許可構成は（例えば順次に）順序付けられてもよい。ＳＰＳ許可は、（例えば、シーケンス内の順序に基づいて、ＲＮＴＩ値の順序に基づいて、又は他のＳＰＳ関連パラメータに基づいて）暗黙的に、又は（例えば、構成パラメータ、例えばＳＰＳＳｅｑＩＤを使用して）明示的に、サービングセル上のＳＰＳに対するＳＰＳシーケンスＩＤを示すことができる。ＲＲＣは、サービングセル上のＳＰＳについて、他のＳＰＳパラメータ、例えば、ＳｅｍｉＰｅｒｓｉｓｔｅｎｔＩｎｔｅｒｖａｌＵＬ、ｎｕｍｂｅｒＯｆＣｏｎｆＵｌｓＰＳ−Ｐｒｏｃｅｓｓｅｓ、ｉｍｐｌｉｃｉｔＲｅｌｅａｓｅＡｆｔｅｒ、ｐ０−Ｐｅｒｓｉｓｔｅｎｔ、ｔｗｏＩｎｔｅｒｖａｌＣｏｎｆｉｇなどを構成することができる。一実施例においては、幾つかのＳＰＳパラメータは、（サービングセル上及び／又はサービングセルにわたって）構成されたＳＰＳの間で共通であり得、幾つかは、構成されたＳＰＳのうちの１つ以上（例えば単一のＳＰＳ）に対して構成され得る。
【０１３３】
一実施例においては、ＵＥは、ＳＰＳについてのＨＡＲＱプロセスＩＤオフセットを導出し得る。ＨＡＲＱプロセスＩＤオフセットは、事前に定義された規則に従ってＵＥによって計算され得る。一実施例においては、ＨＡＲＱプロセスＩＤオフセットは、より小さいＳＰＳシーケンスＩＤを有する（又は他の順序付けられたパラメータに従って順に先行する）サービングセル上に構成されたＳＰＳについてのｎｕｍｂｅｒＯｆＣｏｎｆＵＩＳＰＳ−Ｐｒｏｃｅｓｓｅｓの合計として計算され得る。一実施例においては、ＳＰＳシーケンスＩＤ（又は順序）３を有するサービングセル上に構成されたＳＰＳのＨＡＲＱプロセスＩＤオフセットは、３より小さいＳＰＳシーケンスＩＤ（又は順序）を有するサービングセル上に構成されたＳＰＳのｎｕｍｂｅｒＯｆＣｏｎｆＵｌＳＰＳ−プロセスの合計であり得る。ＳＰＳシーケンスＩＤは、０又は１から開始する。一実施例においては、サービングセル上のＳＰＳの構成されたアップリンク許可について、このＴＴＩと関連付けられたＨＡＲＱプロセスＩＤは、非同期ＵＬ  ＨＡＲＱ動作についての以下の式から導出され得る。
ＨＡＲＱプロセスＩＤ＝［ｆｌｏｏｒ（ＣＵＲＲＥＮＴ＿ＴＴＩ／ｓｅｍｉＰｅｒｓｉｓｔＳｃｈｅｄＩｎｔｅｒｖａｌＵＬ）］モジュロｎｕｍｂｅｒＯｆＣｏｎｆＵｌＳＰＳ−プロセス＋ＨＡＲＱプロセスＩＤオフセット
ここで、ＣＵＲＲＥＮＴ＿ＴＴＩ＝［（ＳＦＮ＊１０）＋サブフレーム番号］であり、それはバンドルの最初の送信が行われるサブフレームを指すことができる。パラメータｓｅｍｉＰｅｒｓｉｓｔＳｃｈｅｄＩｎｔｅｒｖａｌＵＬ、ｎｕｍｂｅｒＯｆＣｏｎｆＵｌＳＰＳ−Ｐｒｏｃｅｓｓｅｓは、サービングセル上のＳＰＳに対して設定されたＲＲＣであり得、ＨＡＲＱプロセスＩＤオフセットは、ＵＥによって導出され得る。ＨＡＲＱプロセスＩＤオフセットパラメータを使用してＨＡＲＱプロセスＩＤを導出するために他の式を使用することができる。
【０１３４】
一実施例においては、ｅＮＢは、サービングセル上のＵＥについて２つのＳＰＳを構成し、第１及び第２のＳＰＳについてそれぞれｎｕｍｂｅｒＯｆＣｏｎｆＵＩＳＰＳ−Ｐｒｏｃｅｓｓｅｓの値を２及び３として構成することができる。一実施例においては、ｅＮＢは、（例えば、シーケンス内の順序に基づいて、ＲＮＴＩ値の順序に基づいて、又は他のＳＰＳ関連パラメータに基づいて）暗黙的に、又は（例えばＲＲＣ構成パラメータ、例えばＳＰＳＳｅｑＩＤを使用して）明示的に、第１及び第２のＳＰＳのＳＰＳシーケンスＩＤをそれぞれ１及び２に設定する。ＵＥは、第１のＳＰＳに対するＨＡＲＱプロセスＩＤオフセットを０として導き、第２のＳＰＳに対するＨＡＲＱプロセスＩＤオフセットを２として導き出すことができる。第１のＳＰＳの設定されたアップリンク許可のためのＨＡＲＱプロセスＩＤは、それらの関連するＴＴＩにおいて連続的に０、１、０、１、０、１、０、１、．．．の値をとり、そして、第２のＳＰＳの設定されたアップリンク許可のためのＨＡＲＱプロセスＩＤは、それらの関連するＴＴＩにおいて連続的に２、３、４、２、３、４、２、３、４、．．．の値をとる。
【０１３５】
一実施例においては、１つ以上のセミパーシステントスケジューリング（ＳＰＳ）許可のシーケンスの構成パラメータを含む少なくとも１つのメッセージを、無線デバイスによって受信することを含む方法が使用され得る。少なくとも１つのメッセージは、１つ以上のＲＲＣメッセージであり得る。構成パラメータは、ＳＰＳ許可のためのＨＡＲＱプロセス番号を含む１つ以上のＨＡＲＱプロセス番号を含むことができる。本方法は、ＳＰＳ許可を示すＤＣＩを受信することを含み得る。無線デバイスは、ＳＰＳ  ＰＤＣＣＨ検証プロシージャを使用してＳＰＳ許可のとおりにＤＣＩを検証し得る。本方法は、ＨＡＲＱプロセス数＋ＨＡＲＱプロセス識別子オフセットを法とする初期値に等しい第１のＨＡＲＱプロセス識別子を有する第１のＨＡＲＱプロシージャと関連付けられた第１のトランスポートブロック（ＴＢ）を送信することと、ＳＰＳ許可のリソースにおいて第１のトランスポートブロックに続いて第２のＴＢを送信することであって、第２のＴＢが、ＨＡＲＱプロセス数＋ＨＡＲＱプロセス識別子オフセットを法とする第２値に等しい第２のＨＡＲＱプロセス識別子を有する第２のＨＡＲＱプロシージャと関連付けられ、第２の値が初期値の増分に等しくてもよい、第２のＴＢを送信することと、を含み得る。
【０１３６】
一実施例においては、上記の方法におけるＨＡＲＱプロセス識別子オフセットは、第２のＳＰＳ許可についての１つ以上のＨＡＲＱプロセス数のうちの少なくとも１つを用いて計算され得る。一実施例においては、ｎ番目のＳＰＳ許可に対するＨＡＲＱプロセス識別子オフセットは、第１から（ｎ−１）番目までのＳＰＳ許可のＨＡＲＱプロセスの数の合計として計算することができる。
【０１３７】
一実施例においては、上記の方法で、ＨＡＲＱプロセス識別子オフセットは、第１のＳＰＳ許可についてゼロであり得る。
【０１３８】
例示的実施形態では、ｅＮＢは、１つ以上のセルの構成パラメータを含む少なくとも１つのＲＲＣメッセージをＵＥに送信することができる。構成パラメータは、ＳＰＳ構成パラメータを含み得る。ＳＰＳ構成パラメータは、１つ以上のＳＰＳ許可構成に関するパラメータを含み得る。一実施例においては、ＲＲＣは、サービングセル上のＳＰＳについて、ＳＰＳパラメータ、例えば、ＳｅｍｉＰｅｒｓｉｓｔｅｎｔＩｎｔｅｒｖａｌＵＬ、ｎｕｍｂｅｒＯｆＣｏｎｆｕｌＳＰＳ−Ｐｒｏｃｅｓｓ、ｉｍｐｌｉｃａｔｅＲｅｌｅａｓｅＡｆｔｅｒ、ｐ０−Ｐｅｒｓｉｓｔｅｎｔ、ｔｗｏＩｎｔｅｒｖａｌＣｏｎｆｉｇなどを構成することができる。一実施例においては、幾つかのＳＰＳパラメータは、（サービングセル上及び／又はサービングセルにわたって）構成されたＳＰＳの間で共通であり得、幾つかは構成されたＳＰＳのうちの１つ以上（例えば単一のＳＰＳ）に対して構成され得る。
【０１３９】
一実施例においては、ｅＮＢは、サービングセル上でＳＰＳを初期化するＤＣＩ内のＨＡＲＱプロセスＩＤオフセットを示し得る。一実施例においては、ＳＰＳを初期化するＤＣＩ内のフィールド（例えば、ＤＣＩフォーマット０）は、ＳＰＳについてのＨＡＲＱプロセスＩＤオフセットを明示的に示すために予約され得る。一実施例においては、ＳＰＳを初期化するＤＣＩ内の既存のフィールド（例えば、「変調及びコーディングスキーム並びに冗長バージョン」又は「ＴＰＣコマンド」又は「ＤＭ  ＲＳ及びＯＣＣインデックスの巡回シフトインデックス」又は別のフィールド）のうちの１つは、ＨＡＲＱプロセスＩＤオフセットを示すために再使用することができる。プロシージャの一例を図１９に示す。無線デバイスは、第１のＳＰＳ及び第２のＳＰＳに関する構成パラメータを受信する。無線デバイスは、第１のＳＰＳをアクティブ化する第１のＤＣＩ、及び第２のＳＰＳをアクティブ化する第２のＤＣＩを受信することができる。第１のＤＣＩは、第１のＨＡＲＱプロセスオフセット値を示してもよい。第２のＤＣＩは、第２のＨＡＲＱプロセスオフセット値を示してもよい。無線デバイスは、少なくとも第１のＨＡＲＱプロセスオフセット値に基づいて、第１のＳＰＳに対応する第１の送信と関連付けられた第１のＨＡＲＱプロセスＩＤを決定し得る。無線デバイスは、少なくとも第２のＨＡＲＱプロセスオフセット値に基づいて、第２のＳＰＳと関連付けられた第２の送信を決定することができる。
【０１４０】
一実施例においては、サービングセル上のＳＰＳの構成されたアップリンク許可について、このＴＴＩと関連付けられたＨＡＲＱプロセスＩＤは、非同期ＵＬ  ＨＡＲＱ動作についての以下の式から導出され得る。
ＨＡＲＱプロセスＩＤ＝［ｆｌｏｏｒ（ＣＵＲＲＥＮＴ＿ＴＴＩ／ｓｅｍｉＰｅｒｓｉｓｔＳｃｈｅｄＩｎｔｅｒｖａｌＵＬ）］モジュロｎｕｍｂｅｒＯｆＣｏｎｆＵｌＳＰＳ−プロセス＋ＨＡＲＱプロセスＩＤオフセット
ここで、ＣＵＲＲＥＮＴ＿ＴＴＩ＝［（ＳＦＮ＊１０）＋サブフレーム番号］であり、それはバンドルの最初の送信が行われるサブフレームを指すことができる。パラメータｓｅｍｉＰｅｒｓｉｓｔＳｃｈｅｄＩｎｔｅｒｖａｌＵＬ、ｎｕｍｂｅｒＯｆＣｏｎｆＵｌＳＰＳ−Ｐｒｏｃｅｓｓｅｓは、サービングセル上のＳＰＳに対して設定されたＲＲＣであり得、ＨＡＲＱプロセスＩＤオフセットは、ＳＰＳを初期化するＤＣＩによってＵＥに示され得る。ＨＡＲＱプロセスＩＤオフセットパラメータを使用してＨＡＲＱプロセスＩＤを導出するために他の式を使用することができる。
【０１４１】
一実施例においては、ｅＮＢは、サービングセル上のＵＥについて２つのＳＰＳを構成し、第１及び第２のＳＰＳについてそれぞれｎｕｍｂｅｒＯｆＣｏｎｆＵＩＳＰＳ−Ｐｒｏｃｅｓｓｅｓの値を２及び３として構成することができる。一実施例においては、ｅＮＢは、第１及び第２のＳＰＳを初期化するＤＣＩにおいて、ＨＡＲＱプロセスＩＤオフセット値をそれぞれ０及び２として示すことができる。第１のＳＰＳの設定されたアップリンク許可のためのＨＡＲＱプロセスＩＤは、それらの関連するＴＴＩにおいて連続的に０、１、０、１、０、１、０、１、．．．の値をとり、そして、第２のＳＰＳの設定されたアップリンク許可のためのＨＡＲＱプロセスＩＤは、それらの関連するＴＴＩにおいて連続的に２、３、４、２、３、４、２、３、４、．．．の値をとる。
【０１４２】
一実施例においては、１つ以上のセミパーシステントスケジューリング（ＳＰＳ）許可の構成パラメータを含む少なくとも１つのメッセージを無線デバイスによって受信することを含む方法が使用され得る。少なくとも１つのメッセージは、１つ以上のＲＲＣメッセージであり得る。構成パラメータは、ＳＰＳ許可のためのＨＡＲＱプロセス番号を含む１つ以上のＨＡＲＱプロセス番号を含むことができる。本方法は、ＳＰＳ許可を示すＤＣＩを受信することを含み得る。無線デバイスは、ＳＰＳ  ＰＤＣＣＨ検証プロシージャを使用してＳＰＳ許可のとおりにＤＣＩを検証し得る。一実施例においては、ＤＣＩフォーマット０は、ＳＰＳ許可を示すために使用され得る。ＤＣＩ許可は、ＨＡＲＱプロセスＩＤオフセットを含み得る。一実施例においては、ＤＣＩ内の既存のフィールド（例えば、「変調及びコーディングスキーム並びに冗長バージョン」又は「ＴＰＣコマンド」又は「ＤＭＲＳ及びＯＣＣインデックスの巡回シフト」又は別のフィールド）のうちの１つは、ＨＡＲＱプロセスＩＤオフセットを示すために再使用することができる。本方法は、ＨＡＲＱプロセス数＋ＨＡＲＱプロセス識別子オフセットを法とする初期値に等しい第１のＨＡＲＱプロセス識別子を有する第１のＨＡＲＱプロシージャと関連付けられた第１のトランスポートブロック（ＴＢ）を送信することと、ＳＰＳ許可のリソースにおいて第１のトランスポートブロックに続いて第２のＴＢを送信することであって、第２のＴＢが、ＨＡＲＱプロセス数＋ＨＡＲＱプロセス識別子オフセットを法とする第２の値に等しい第２のＨＡＲＱプロセス識別子を有する第２のＨＡＲＱプロシージャと関連付けられ、第２の値が初期値の増分に等しくてもよい、第２のＴＢを送信することと、を含み得る。
【０１４３】
例示的実施形態では、ｅＮＢは、１つ以上のセルの構成パラメータを含む少なくとも１つのＲＲＣメッセージをＵＥに送信することができる。構成パラメータは、ＳＰＳ構成パラメータを含み得る。ＳＰＳ構成パラメータは、１つ以上のＳＰＳ許可構成に関するパラメータを含み得る。
【０１４４】
例示的な実施形態では、ｅＮＢが、サービングセル上のＳＰＳについての可能なＨＡＲＱプロセスＩＤオフセット値のセット（又はサービングセル上の１つ以上のＳＰＳに使用され得る共通のセット、又はサービングセルにわたるＳＰＳに使用され得る共通のセット）をＲＲＣで構成し（又はＵＥがセットで事前構成され）得る。ＲＲＣは、サービングセル上のＳＰＳについて、他のＳＰＳパラメータ、例えば、ＳｅｍｉＰｅｒｓｉｓｔｅｎｔＩｎｔｅｒｖａｌＵＬ、ｎｕｍｂｅｒＯｆＣｏｎｆＵｌｓＰＳ−Ｐｒｏｃｅｓｓｅｓ、ｉｍｐｌｉｃｉｔＲｅｌｅａｓｅＡｆｔｅｒ、ｐ０−Ｐｅｒｓｉｓｔｅｎｔ、ｔｗｏＩｎｔｅｒｖａｌＣｏｎｆｉｇなどを構成することができる。一実施例においては、幾つかのＳＰＳパラメータは、（サービングセル上及び／又はサービングセルにわたって）構成されたＳＰＳの間で共通であり得、幾つかは構成されたＳＰＳのうちの１つ以上（例えば単一のＳＰＳ）に対して構成され得る。一実施例においては、ＳＰＳを初期化するＤＣＩ（例えば、ＤＣＩフォーマット０）は、ＳＰＳについての可能なＨＡＲＱプロセスＩＤオフセット値の構成されたセット内の値のうちの１つを指すことによってＳＰＳについてのＨＡＲＱプロセスＩＤオフセットを示し得る。一実施例においては、ＳＰＳを初期化するＤＣＩ内の既存のフィールド（例えば、「変調及びコーディングスキーム並びに冗長バージョン」又は「ＴＰＣコマンド」又は「ＤＭＲＳ及びＯＣＣインデックスの巡回シフト」又は別のフィールド）のうちの１つは、可能なＨＡＲＱプロセスＩＤオフセット値のセット内の値の１つを指すために再使用することができる。
【０１４５】
一実施例においては、サービングセル上のＳＰＳの構成されたアップリンク許可について、このＴＴＩと関連するＨＡＲＱプロセスＩＤは、非同期ＵＬ  ＨＡＲＱ動作についての以下の式から導出され得る。
ＨＡＲＱプロセスＩＤ＝［ｆｌｏｏｒ（ＣＵＲＲＥＮＴ＿ＴＴＩ／ｓｅｍｉＰｅｒｓｉｓｔＳｃｈｅｄＩｎｔｅｒｖａｌＵＬ）］モジュロｎｕｍｂｅｒＯｆＣｏｎｆＵｌＳＰＳ−プロセス＋ＨＡＲＱプロセスＩＤオフセット
ここで、ＣＵＲＲＥＮＴ＿ＴＴＩ＝［（ＳＦＮ＊１０）＋サブフレーム番号］であり、それはバンドルの最初の送信が行われるサブフレームを指すことができる。パラメータｓｅｍｉＰｅｒｓｉｓｔＳｃｈｅｄＩｎｔｅｒｖａｌＵＬ、ｎｕｍｂｅｒＯｆＣｏｎｆＵｌＳＰＳ−Ｐｒｏｃｅｓｓｅｓは、サービングセル上のＳＰＳに対して設定されたＲＲＣであり得、ＨＡＲＱプロセスＩＤオフセットは、可能なＨＡＲＱプロセスＩＤオフセット値のＲＲＣ設定されたセットのうちの１つを指すことによりＳＰＳを初期化するＤＣＩによりＵＥに示され得る。ＨＡＲＱプロセスＩＤオフセットパラメータを使用してＨＡＲＱプロセスＩＤを導出するために他の式を使用することができる。
【０１４６】
一実施例においては、ｅＮＢは、サービングセル上のＵＥについて２つのＳＰＳを構成し、第１及び第２のＳＰＳについてそれぞれｎｕｍｂｅｒＯｆＣｏｎｆＵＩＳＰＳ−Ｐｒｏｃｅｓｓｅｓの値を２及び３として構成することができる。ｅＮＢは、第１及び第２のＳＰＳについての可能性のあるＨＡＲＱプロセスＩＤオフセット値のセットをそれぞれ｛０，２｝及び｛０，２，４｝としてＲＲＣ設定することができる。他のセットを設定することも、共通セットを両方のＳＰＳに設定することもできる。一実施例においては、ｅＮＢは、第１及び第２のＳＰＳを初期化するＤＣＩにおいて、第１のＤＣＩにおける第１のセットの第１の値、及び第２のＤＣＩにおける第２のセットの第２の値を指すことによって、それぞれ０及び２としてＨＡＲＱプロセスＩＤオフセット値を示す。第１のＳＰＳの設定されたアップリンク許可のためのＨＡＲＱプロセスＩＤは、それらの関連するＴＴＩにおいて連続的に０、１、０、１、０、１、０、１、．．．の値をとり、そして、第２のＳＰＳの設定されたアップリンク許可のためのＨＡＲＱプロセスＩＤは、それらの関連するＴＴＩにおいて連続的に２、３、４、２、３、４、２、３、４、．．．の値をとる。
【０１４７】
一実施例においては、１つ以上のセミパーシステントスケジューリング（ＳＰＳ）許可の構成パラメータを含む少なくとも１つのメッセージを無線デバイスによって受信することを含む方法が使用され得る。少なくとも１つのメッセージは、１つ以上のＲＲＣメッセージであり得る。構成パラメータは、ＳＰＳ許可のためのＨＡＲＱプロセス番号を含む１つ以上のＨＡＲＱプロセス番号、ＳＰＳ許可のための可能なＨＡＲＱプロセスＩＤオフセットのセットを含む可能なＨＡＲＱプロセスＩＤオフセットの１つ以上のセットを含むことができる。本方法は、ＳＰＳ許可を示すＤＣＩを受信することを含み得る。無線デバイスは、ＳＰＳ  ＰＤＣＣＨ検証プロシージャを使用してＳＰＳ許可のとおりにＤＣＩを検証し得る。一実施例においては、ＤＣＩフォーマット０は、ＳＰＳ許可を示すために使用され得る。ＤＣＩ許可は、ＳＰＳ許可のためのＨＡＲＱプロセスＩＤオフセットを示す、可能なＨＡＲＱプロセスＩＤオフセットのセット内の値のうちの１つへのポインタを含むことができる。一実施例においては、ＤＣＩ内の既存のフィールド（例えば、「変調及びコーディングスキーム並びに冗長バージョン」又は「ＴＰＣコマンド」又は「ＤＭＲＳ及びＯＣＣインデックスの巡回シフト」又は別のフィールド）のうちの１つは、可能なＨＡＲＱプロセスＩＤオフセットのセット内の値の１つを指すために再使用することができる。本方法は、ＨＡＲＱプロセス数＋ＨＡＲＱプロセス識別子オフセットを法とする初期値に等しい第１のＨＡＲＱプロセス識別子を有する第１のＨＡＲＱプロシージャと関連付けられた第１のトランスポートブロック（ＴＢ）を送信することと、ＳＰＳ許可のリソースにおいて第１のトランスポートブロックに続いて第２のＴＢを送信することであって、第２のＴＢが、ＨＡＲＱプロセス数＋ＨＡＲＱプロセス識別子オフセットを法とする第２の値に等しい第２のＨＡＲＱプロセス識別子を有する第２のＨＡＲＱプロシージャと関連付けられ、第２の値が初期値の増分に等しくてもよい、第２のＴＢを送信することと、を含み得る。
【０１４８】
例示的実施形態では、ｅＮＢは、１つ以上のセルの構成パラメータを含む少なくとも１つのＲＲＣメッセージをＵＥに送信することができる。構成パラメータは、ＳＰＳ構成パラメータを含み得る。ＳＰＳ構成パラメータは、１つ以上のＳＰＳ許可構成に関するパラメータを含み得る。
【０１４９】
例示的実施形態では、ｅＮＢは、サービングセル上のＳＰＳについて、ＲＲＣ  ＳＰＳ構成パラメータ、例えば、ＳｅｍｉＰｅｒｓｉｓｔｅｎｔＩｎｔｅｒｖａｌＵＬ、ｎｕｍｂｅｒＯｆＣｏｎｆＵＩＳＰＳ−Ｐｒｏｃｅｓｓｅｓ、ｉｍｐｌｉｃｉｔＲｅｌｅａｓｅＡｆｔｅｒ、ｐ０−Ｐｅｒｓｉｓｔｅｎｔ、ｔｗｏＩｎｔｅｒｖａｌＣｏｎｆｉｇなどで構成することができる。一実施例においては、幾つかのＳＰＳパラメータは、（サービングセル上及び／又はサービングセルにわたって）構成されたＳＰＳの間で共通であり得、幾つかは構成されたＳＰＳのうちの１つ以上（例えば単一のＳＰＳ）に対して構成され得る。一実施例においては、ｅＮＢは、ＲＲＣを用いてＳＰＳのためのＨＡＲＱプロセスのセット、｛Ｐｒｏｃｅｓｓ＿０，Ｐｒｏｃｅｓｓ＿１，．．．，Ｐｒｏｃｅｓｓ＿（Ｋ−１）｝を構成することができ、ここで、Ｋ＝ｎｕｍｂｅｒＯｆＣｏｎｆＵｌＳＰＳ−Ｐｒｏｃｅｓｓｅｓであり、ＨＡＲＱプロセスのセットは、ＳＰＳについては、連続又は非連続的でもよい。一実施例においては、ＲＲＣは、異なる構成されたＳＰＳについて互いに素な集合を構成し得る。
【０１５０】
一実施例においては、サービングセル上のＳＰＳの構成されたアップリンク許可について、このＴＴＩと関連付けられたＨＡＲＱプロセスＩＤは、ＳＰＳのための構成されたＨＡＲＱ  Ｐｒｏｃｅｓｓｅｓのセットの中のｉ番目のプロセス（例えば、Ｐｒｏｃｅｓｓ＿ｉ）であり得る。
ｉ＝［ｆｌｏｏｒ（ＣＵＲＲＥＮＴ＿ＴＴＩ／ｓｅｍｉＰｅｒｓｉｓｔＳｃｈｅｄＩｎｔｅｒｖａｌＵＬ）］モジュロｎｕｍｂｅｒＯｆＣｏｎｆＵｌＳＰＳ−プロセス
かつ、ＣＵＲＲＥＮＴ＿ＴＴＩ＝［（ＳＦＮ＊１０）＋ｓｕｂｆｒａｍｅ  ｎｕｍｂｅｒ］であり、それはバンドルの最初の送信が行われるサブフレームを指すことができる。パラメータｓｅｍｉＰｅｒｓｉｓｔＳｃｈｅｄＩｎｔｅｒｖａｌＵＬ、ｎｕｍｂｅｒＯｆＣｏｎｆＵｌＳＰＳ−Ｐｒｏｃｅｓｓｅｓは、サービングセル上のＳＰＳに対して設定されたＲＲＣであり得る。
【０１５１】
一実施例においては、ｅＮＢは、サービングセル上のＵＥについて２つのＳＰＳを構成し、第１及び第２のＳＰＳについてそれぞれｎｕｍｂｅｒＯｆＣｏｎｆＵＩＳＰＳ−Ｐｒｏｃｅｓｓｅｓの値を２及び３として、並びに第１及び第２のＳＰＳについてそれぞれＨＡＲＱプロセスＩＤのセットを｛０、１｝及び｛２、３、４｝として構成し得る。第１のＳＰＳの設定されたアップリンク許可のためのＨＡＲＱプロセスＩＤは、それらの関連するＴＴＩにおいて連続的に０、１、０、１、０、１、０、１、．．．の値をとり、そして、第２のＳＰＳの設定されたアップリンク許可のためのＨＡＲＱプロセスＩＤは、それらの関連するＴＴＩにおいて連続的に２、３、４、２、３、４、２、３、４、．．．の値をとる。
【０１５２】
一実施例においては、１つ以上のセミパーシステントスケジューリング（ＳＰＳ）許可の構成パラメータを含む少なくとも１つのメッセージを無線デバイスによって受信することを含む方法が使用され得る。少なくとも１つのメッセージは、１つ以上のＲＲＣメッセージであり得る。構成パラメータは、ＳＰＳ許可のためのＨＡＲＱプロセス番号を含む１つ以上のＨＡＲＱプロセス番号、ＳＰＳ許可のためのＨＡＲＱプロセスＩＤのセットを含む１つ以上のＨＡＲＱプロセスＩＤのセットを含むことができる。本方法は、ＳＰＳ許可を示すＤＣＩを受信することを含み得る。無線デバイスは、ＳＰＳ  ＰＤＣＣＨ検証プロシージャを使用してＳＰＳ許可のとおりにＤＣＩを検証し得る。一実施例においては、ＤＣＩフォーマット０は、ＳＰＳ許可を示すために使用され得る。本方法は、ＳＰＳ許可のためのＨＡＲＱプロセスのセットのｎ番目の要素に等しい第１のＨＡＲＱプロセス識別子を有する第１のＨＡＲＱプロシージャに関連する第１のトランスポートブロック（ＴＢ）を送信することであって、ｎの値がＨＡＲＱプロセス数を法とする第１の値に等しい、第１のＴＢを送信すること、ＳＰＳ許可のためのＨＡＲＱプロセスのセットのｍ番目の要素に等しい第２のＨＡＲＱプロセス識別子を有する第２のＨＡＲＱプロシージャに関連する第２のトランスポートブロック（ＴＢ）を送信することであって、ｍの値がＨＡＲＱプロセス数を法とする第２の値に等しく、第２の値が第１の値の増分である、第２のＴＢを送信することと、を含み得る。
【０１５３】
例示的実施形態では、ｅＮＢは、１つ以上のセルの構成パラメータを含む少なくとも１つのＲＲＣメッセージをＵＥに送信することができる。構成パラメータは、ＳＰＳ構成パラメータを含み得る。ＳＰＳ構成パラメータは、１つ以上のＳＰＳ許可構成に関するパラメータを含み得る。
【０１５４】
例示的実施形態においては、ｅＮＢは、サービングセル上のＳＰＳについて、ＲＲＣ  ＳＰＳ構成パラメータ、例えば、ＳｅｍｉＰｅｒｓｉｓｔｅｎｔＩｎｔｅｒｖａｌＵＬ、ｎｕｍｂｅｒＯｆＣｏｎｆＵＩＳＰＳ−Ｐｒｏｃｅｓｓｅｓ、ｉｍｐｌｉｃｉｔＲｅｌｅａｓｅＡｆｔｅｒ、ｐ０−Ｐｅｒｓｉｓｔｅｎｔ、ｔｗｏＩｎｔｅｒｖａｌＣｏｎｆｉｇなどで構成することができる。一実施例においては、幾つかのＳＰＳパラメータは、（サービングセル上及び／又はサービングセルにわたって）構成されたＳＰＳの間で共通であり得、幾つかは構成されたＳＰＳのうちの１つ以上（例えば単一のＳＰＳ）に対して構成され得る。一実施例においては、ｅＮＢは、サービングセル上に構成されたＳＰＳについてサービングセル上のＵＬ  ＳＰＳプロセスの総数を示すパラメータ（例えば、ｍａｘＵＬＳＰＳＰｒｏｃｅｓｓ）をＲＲＣで構成することができる。一実施例においては、ＨＡＲＱ  Ｐｒｏｃｅｓｓｅｓ  ０、１、．．．、ｍａｘＵＬＳＰＳＰｒｏｃｅｓｓ−１は、ＳＰＳ送信が同じ又は異なるＳＰＳ構成に対応することがある連続ＳＰＳ送信に順次割り当てられることができる。一実施例においては、ＳＰＳ  ＨＡＲＱ  ＩＤオフセットが（例えば、ＲＲＣを介して）構成され得、ＳＰＳ送信のためのＨＡＲＱプロセスＩＤが、ゼロから開始する代わりにオフセット値から開始し得る（例えば、ｏｆｆｓｅｔ、．．．、ｍａｘＵＬＳＰＳＰｒｏｃｅｓｓ−１＋ｏｆｆｓｅｔ）。
【０１５５】
以下のように、ＵＥは、ＳＰＳ送信のためのＨＡＲＱプロセスＩＤを順次増加させ、ｎ番目のＳＰＳ送信のためのＨＡＲＱプロセスＩＤを設定することができる。
ＨＡＲＱプロセスＩＤ（ｎ）＝（ＨＡＲＱプロセスＩＤ（ｎ−１）＋１）モジュロｍａｘＵＬＳＰＳＰｒｏｃｅｓｓ
ここで、ＨＡＲＱプロセスＩＤ（ｎ−１）及びＨＡＲＱプロセスＩＤ（ｎ）は、それぞれ、（ｎ−１）番目及びｎ番目のＳＰＳ送信に使用されるＨＡＲＱプロセスＩＤであり、（ｎ−１）番目及びｎ番目のＳＰＳ送信は、同じ又は異なるＳＰＳ構成に対応し得る。
【０１５６】
一実施例においては、同様の式を具現化することができる。
ＨＡＲＱプロセスＩＤ（ｉ）＝（ＨＡＲＱプロセスＩＤ（ｉ−１）＋ｄｅｌｔａ＿ｉ）モジュロｍａｘＵＬＳＰＳＰｒｏｃｅｓｓ
ここで、ｉはサブフレーム番号であり、ｄｅｌｔａ＿ｉは、ＳＰＳがサブフレーム内で送信されるとき１であり、ＳＰＳ許可がサブフレームｉ内にないときゼロであり得る。ＳＰＳ送信は、同じ又は異なるＳＰＳ構成に対応し得る。ＨＡＲＱプロセスＩＤ（ｉ）は、サブフレームｉにＳＰＳ許可がある場合に適用可能であり得る。
【０１５７】
プロシージャの一例を図２０に示す。無線デバイスは、第１のＳＰＳに対する構成パラメータ、第２のＳＰＳに対する構成パラメータ、並びに第１のＳＰＳと第２のＳＰＳの間で共有される最大数のアップリンクＨＡＲＱプロセスを含む１つ以上のメッセージを受信することができる。無線デバイスは、第１のＳＰＳをアクティブ化する第１のＤＣＩを受信することができる。無線デバイスは、第１のＳＰＳと関連付けられた第１の送信に対応する第１のＨＡＲＱプロセスＩＤを決定し得る。無線デバイスは、第２のＳＰＳをアクティブ化する第２のＤＣＩを受信することができる。無線デバイスは、第２のＳＰＳと関連付けられた第２の送信に対応する第２のＨＡＲＱプロセスＩＤを決定してもよい。第２のＨＡＲＱプロセスＩＤは、少なくとも部分的に、第１のＨＡＲＱプロセスＩＤに基づいてもよい。
【０１５８】
一実施例においては、ＨＡＲＱプロセスＩＤは、１つ以上のＳＰＳ許可のうちの第１のＳＰＳがアクティブ化されたときに０で開始され得る（例えば、ＨＡＲＱプロセスＩＤ（０）＝０）。一実施例においては、ＨＡＲＱプロセスＩＤは、新しいＳＰＳがアクティブ化された後又は既存のＳＰＳがリリースされた後に上記の式を使用して順次増加し続けることができる。一実施例においては、アクティブ化されたＳＰＳの全てがリリースされると、ＨＡＲＱプロセスＩＤはリセットされ、次のＳＰＳアクティブ化の送信のために０から開始することができる。一実施例においては、アクティブ化されたＳＰＳの全てがリリースされるか、又はＲＲＣがそれらの構成を更新する（例えば、ＳｅｍｉＰｅｒｓｉｓｔｅｎｔＩｎｔｅｒｖａｌＵＬを更新する）とき、ＨＡＲＱプロセスＩＤはリセットされ、次のＳＰＳ送信のために０から開始する。
【０１５９】
一実施例においては、ｅＮＢは、サービングセル上のＵＥについて３つのＳＰＳを構成し初期化し、ｍａｘＵＬＳＰＳＰｒｏｃｅｓｓを４に構成することができる。設定されたアップリンク許可のためのＨＡＲＱプロセスＩＤは、設定されたアップリンク許可がどのＳＰＳ設定に属するかとは無関係に、０、１、２、３、０、１、２、３、０、１、２、３、．．．の値をとり得る。
【０１６０】
一実施例においては、１つ以上のセミパーシステントスケジューリング（ＳＰＳ）許可の構成パラメータを含む少なくとも１つのメッセージを無線デバイスによって受信することを含む方法が使用され得る。少なくとも１つのメッセージは、１つ以上のＲＲＣメッセージであり得る。構成パラメータは、サービングセル上のＳＰＳ送信のための最大数のＨＡＲＱプロセスを含み得る。方法は、１つ以上のＳＰＳ許可を示す１つ以上のＤＣＩを受信することを含み得る。無線デバイスは、ＳＰＳ  ＰＤＣＣＨ検証プロシージャを使用してＳＰＳ許可としてＤＣＩを検証し得る。一実施例においては、ＤＣＩフォーマット０は、ＳＰＳ許可を示すために使用され得る。本方法は、第１のＨＡＲＱプロセス識別子を有する第１のＨＡＲＱプロシージャに関連する第１のトランスポートブロック（ＴＢ）を送信すること、ＳＰＳ送信のためのＨＡＲＱプロセスの最大数を法とする、第１のＨＡＲＱプロセス識別子＋１に等しい第２のＨＡＲＱプロセス識別子を有する第２のＨＡＲＱプロシージャに関連する第２のトランスポートブロック（ＴＢ）を送信することを含む。
【０１６１】
一実施例においては、上記の方法では、第１のＳＰＳ送信のためのＨＡＲＱプロセス識別子は０に等しいことがある。一実施例においては、上記の方法では、連続ＳＰＳ送信のためのＨＡＲＱプロセス識別子は、新しいＳＰＳがアクティブ化された後、又は既存のＳＰＳがリリースされた後に順次増加し続けることができる。一実施例においては、上記の方法では、アクティブ化されたＳＰＳがリリースされるとき、ＨＡＲＱプロセス識別子はリセットされ、次のＳＰＳ送信のために０から開始することができる。一実施例においては、上記の方法では、アクティブ化されたＳＰＳがリリースされるか又はＲＲＣがそれらの構成を更新するとき、ＨＡＲＱプロセスＩＤはリセットされ、次のＳＰＳ送信のために０から開始することができる。
【０１６２】
例示的実施形態においては、ＵＥは、サービングセル上の構成されたＳＰＳについてのＲＲＣ構成パラメータｎｕｍｂｅｒＯｆＣｏｎｆＵｌＳＰＳ−Ｐｒｏｃｅｓｓｅｓの合計として、パラメータ最大ＵＬ  ＳＰＳ  Ｐｒｏｃｅｓｓｅｓを導出することができる。一実施例においては、パラメータｍａｘ  ＵＬ  ＳＰＳ  Ｐｒｏｃｅｓｓｅｓは、サービングセル上のアクティブＳＰＳについてのＲＲＣ構成パラメータ  ｎｕｍｂｅｒＯｆＣｏｎｆＵｌＳＰＳ−Ｐｒｏｃｅｓｓｅｓの合計としてＵＥによって導出され得る。一実施例においては、ＨＡＲＱプロセス０、１、．．．、（ｍａｘ  ＵＬ  ＳＰＳ  Ｐｒｏｃｅｓｓｅｓ）−１は、ＳＰＳ送信が同じ又は異なるＳＰＳ構成に対応し得る連続ＳＰＳ送信に順次割り当てられ得る。一実施例においては、ＳＰＳ  ＨＡＲＱ  ＩＤオフセットが（例えば、ＲＲＣを介して）構成され得、ＳＰＳ送信のためのＨＡＲＱプロセスＩＤが、ゼロから開始する代わりにオフセット値から開始し得る（例えば、ｏｆｆｓｅｔ、．．．、ｍａｘＵＬＳＰＳＰｒｏｃｅｓｓ−１＋ｏｆｆｓｅｔ）。
【０１６３】
以下のように、ＵＥは、ＳＰＳ送信のためのＨＡＲＱプロセスＩＤを順次増加させ、ｎ番目のＳＰＳ送信のためのＨＡＲＱプロセスＩＤを設定することができる。
ＨＡＲＱプロセスＩＤ（ｎ）＝（ＨＡＲＱプロセスＩＤ（ｎ−１）＋１）モジュロ（ｍａｘ  ＵＬ  ＳＰＳプロセス）
ここで、ＨＡＲＱプロセスＩＤ（ｎ−１）及びＨＡＲＱプロセスＩＤ（ｎ）は、それぞれ、（ｎ−１）番目及びｎ番目のＳＰＳ送信に使用されるＨＡＲＱプロセスＩＤであり、（ｎ−１）番目及びｎ番目のＳＰＳ送信は、同じ又は異なるＳＰＳ構成に対応し得る。
【０１６４】
一実施例においては、同様の方程式を具現化することができる。
ＨＡＲＱプロセスＩＤ（ｉ）＝（ＨＡＲＱプロセスＩＤ（ｉ−１）＋ｄｅｌｔａ＿ｉ）ｍｏｄｕｌｏ  ｍａｘＵＬＳＰＳＰｒｏｃｅｓｓ
ここで、ｉはサブフレーム番号であり、ｄｅｌｔａ＿ｉは、ＳＰＳがサブフレーム内で送信されるとき１であり、ＳＰＳ許可がサブフレームｉ内にないときゼロであり得る。ＳＰＳ送信は、同じ又は異なるＳＰＳ構成に対応し得る。ＨＡＲＱプロセスＩＤ（ｉ）は、サブフレームｉにＳＰＳ許可がある場合に適用可能であり得る。
【０１６５】
一実施例においては、ＨＡＲＱプロセスＩＤは０で開始され得る（例えば、ＨＡＲＱプロセスＩＤ（０）＝０）。一実施例においては、ＨＡＲＱプロセスＩＤは、新しいＳＰＳがアクティブ化された後又は既存のＳＰＳがリリースされた後に上記の式を使用して順次増加し続けることができる。一実施例においては、アクティブ化されたＳＰＳの全てがリリースされると、ＨＡＲＱプロセスＩＤはリセットされ、次のＳＰＳ送信のために０から開始することができる。一実施例においては、アクティブ化されたＳＰＳの全てがリリースされるか、又はＲＲＣがそれらの構成を更新する（例えば、ＳｅｍｉＰｅｒｓｉｓｔｅｎｔＩｎｔｅｒｖａｌＵＬを更新する）と、ＨＡＲＱプロセスＩＤはリセットされ、次のＳＰＳ送信のために０から開始する。
【０１６６】
一実施例においては、ｅＮＢは、サービングセル上のＵＥについて３つのＳＰＳを構成し初期化することができ、第１、第２、及び第３のＳＰＳについてパラメータｎｕｍｂｅｒＯｆＣｏｎｆＵｌＳＰＳ−Ｐｒｏｃｅｓｓｅｓはそれぞれ２、２、及び４であることができる。設定されたアップリンク許可のためのＨＡＲＱプロセスＩＤは、設定されたアップリンク許可がどのＳＰＳ設定に属するかとは無関係に、０、１、２、３、４、５、６、７、０、１、２、３、．．．の値をとり得る。
【０１６７】
一実施例においては、１つ以上のセミパーシステントスケジューリング（ＳＰＳ）許可の構成パラメータを含む少なくとも１つのメッセージを無線デバイスによって受信することを含む方法が使用され得る。少なくとも１つのメッセージは、１つ以上のＲＲＣメッセージであり得る。構成パラメータは、ＳＰＳ許可のためのｎｕｍｂｅｒ  ＨＡＲＱ  ｐｒｏｃｅｓｓを含む１つ以上のｎｕｍｂｅｒ  ＨＡＲＱ  ｐｒｏｃｅｓｓを含むことができる。方法は、１つ以上のＳＰＳ許可を示す１つ以上のＤＣＩを受信することを含み得る。無線デバイスは、ＳＰＳ  ＰＤＣＣＨ検証プロシージャを使用してＳＰＳ許可としてＤＣＩを検証し得る。一実施例においては、ＤＣＩフォーマット０は、ＳＰＳ許可を示すために使用され得る。方法は、ＳＰＳ送信のための最大数のＨＡＲＱプロセスを無線デバイスによって導出することを含み得る。本方法は、第１のＨＡＲＱプロセス識別子を有する第１のＨＡＲＱプロシージャに関連する第１のトランスポートブロック（ＴＢ）を送信すること、ＳＰＳ送信のためのＨＡＲＱプロセスの最大数を法とする、第１のＨＡＲＱプロセス識別子＋１に等しい第２のＨＡＲＱプロセス識別子を有する第２のＨＡＲＱプロシージャに関連する第２のトランスポートブロック（ＴＢ）を送信することを含み得る。
【０１６８】
一実施例においては、上記の方法におけるＳＰＳ送信のためのＨＡＲＱプロセスの最大数は、１つ以上のＳＰＳ許可のためのＨＡＲＱプロセスの数の合計としてＵＥによって導出され得る。一実施例においては、上記の方法におけるＳＰＳ送信のためのＨＡＲＱプロセスの最大数は、アクティブである１つ以上のＳＰＳ許可のためのＨＡＲＱプロセスの数の合計としてＵＥによって導出され得る。一実施例においては、上記の方法では、第１のＳＰＳ送信のためのＨＡＲＱプロセス識別子は０に等しいことがある。一実施例においては、上記の方法では、連続ＳＰＳ送信のためのＨＡＲＱプロセス識別子は、新しいＳＰＳがアクティブ化された後、又は既存のＳＰＳがリリースされた後に順次増加し続けることができる。一実施例においては、上記の方法では、アクティブ化されたＳＰＳの全てがリリースされるとき、ＨＡＲＱプロセス識別子はリセットされ、次のＳＰＳ送信のために０から開始することができる。一実施例においては、上記の方法では、アクティブ化されたＳＰＳの全てがリリースされるか又はＲＲＣがそれらの構成を更新するとき、ＨＡＲＱプロセスＩＤはリセットされ、次のＳＰＳ送信のために０から開始する。
【０１６９】
種々の実施形態によれば、デバイス（例えば、無線デバイス、ネットワーク外無線デバイス、基地局及び／又は同等物）は、１つ以上のプロセッサ及びメモリを含み得る。メモリは、１つ以上のプロセッサによって実行されるとき、デバイスに一連の動作を実行させる命令を記憶することができる。例示的な動作の実施形態は、添付の図面及び明細書に示されている。種々の実施形態からの特徴を組み合わせて更に別の実施形態を作成することができる。
【０１７０】
図２１は、本開示の一実施形態の一局面による例示的な流れ図である。２１１０において、無線デバイスは少なくとも１つのメッセージを受信し得る。少なくとも１つのメッセージは、アップリンクセミパーシステントスケジューリング（ＳＰＳ）無線ネットワーク一時識別子（ＲＮＴＩ）と、少なくとも１つのアップリンクＳＰＳ情報要素（ＩＥ）のシーケンスとを含み得る。シーケンスのアップリンクＳＰＳ  ＩＥは、アップリンクＳＰＳ間隔を含む少なくとも１つのアップリンクＳＰＳ構成パラメータと、少なくとも１つのアップリンクＳＰＳ構成パラメータに関するＳＰＳ構成インデックスとを含むことができる。２１２０において、アップリンクＳＰＳ  ＲＮＴＩに対応するダウンリンク制御情報（ＤＣＩ）を受信することができる。ＤＣＩは、少なくとも１つのアップリンクＳＰＳ  ＩＥのうちの１つの第１のＳＰＳ構成インデックスを含み得る。２１３０において、第１のＳＰＳ構成インデックスに対応する少なくとも１つの第１のアップリンクＳＰＳ構成パラメータを用いて少なくとも１つのトランスポートブロックが送信され得る。
【０１７１】
一実施形態によれば、ＤＣＩは少なくとも１つの第１のアップリンクＳＰＳ構成のアクティブ化を示すことができる。ＤＣＩは、少なくとも１つのリソースパラメータを更に含み得る。サブフレーム内の少なくとも１つのトランスポートブロックの送信は、少なくとも１つのリソースパラメータを更に採用することができる。サブフレームは、少なくとも１つの第１のアップリンクＳＰＳ構成パラメータのうちの第１のアップリンクＳＰＳ間隔を用いて決定され得る。
【０１７２】
一実施形態によれば、少なくとも１つのアップリンクＳＰＳ構成パラメータは、アップリンクＳＰＳ  ＩＥに対応する１つ以上のトラフィックタイプを示す少なくとも１つのパラメータを含み得る。一実施形態によれば、少なくとも１つのアップリンクＳＰＳ構成パラメータは、アップリンクＳＰＳ  ＩＥに対応する少なくとも１つの論理チャネル識別子を含み得る。一実施形態によると、ＤＣＩは、キャリアインジケータフィールド、周波数ホッピングフラグ、リソースブロック割り当て及びホッピングリソース割り当てを示す第１のフィールド、変調及びコーディングスキーム並びに冗長バージョンを示す第２のフィールド、１つ以上のトラフィックタイプを示す少なくとも１つのフィールド、新しいデータインジケータフィールド、又は送信電力制御（ＴＰＣ）フィールドのうちの少なくとも１つを更に含み得る。
【０１７３】
一実施形態によれば、少なくとも１つのＲＲＣメッセージは、サイドリンクＳＰＳ  ＲＮＴＩと、少なくとも１つのサイドリンクＳＰＳ  ＩＥのシーケンスとを更に含むことができる。サイドリンクＳＰＳ  ＩＥは、少なくとも１つのサイドリンクＳＰＳ構成パラメータのインデックスを示すサイドリンクＳＰＳ構成インデックスと、少なくとも１つのサイドリンクＳＰＳ構成パラメータとを含むことができる。
【０１７４】
一実施形態によれば、少なくとも１つのＲＲＣメッセージは、第２のＳＰＳ  ＲＮＴＩと、第２のＳＰＳ  ＲＮＴＩに対応する少なくとも１つの第２のＳＰＳ構成パラメータとを含むことができる。一実施形態によれば、無線デバイスは、少なくとも１つの論理チャネル、少なくとも１つのメッセージサイズ、及び少なくとも１つのトラフィック周期性を含むＳＰＳ支援情報を含むメッセージを基地局に更に送信することができる。
【０１７５】
一実施形態によれば、少なくとも１つのＳＰＳ構成パラメータは、幾つかの構成されたハイブリッド自動反復要求（ＨＡＲＱ）プロセス、又は少なくとも１つの送信電力パラメータ、のうちの少なくとも１つを含み得る。
【０１７６】
図２２は、本開示の一実施形態の一局面による例示的な流れ図である。２２１０において、無線デバイスは少なくとも１つのメッセージを受信し得る。少なくとも１つのメッセージは、サイドリンクセミパーシステントスケジューリング（ＳＰＳ）無線ネットワーク一時識別子（ＲＮＴＩ）と、少なくとも１つのサイドリンクＳＰＳ情報要素（ＩＥ）のシーケンスとを含み得る。サイドリンクＳＰＳ  ＩＥは、少なくとも１つのサイドリンクＳＰＳ構成パラメータを含み得る。少なくとも１つのサイドリンクＳＰＳ構成パラメータは、サイドリンクＳＰＳ間隔、及び少なくとも１つのサイドリンクＳＰＳ構成パラメータに関するＳＰＳ構成インデックスを含み得る。２２２０において、サイドリンクＳＰＳ  ＲＮＴＩに対応するダウンリンク制御情報（ＤＣＩ）を受信し得る。ＤＣＩは、少なくとも１つのサイドリンクＳＰＳ  ＩＥのうちの１つの第１のＳＰＳ構成インデックスを含み得る。２２３０において、第１のＳＰＳ構成インデックスに対応する少なくとも１つの第１のサイドリンクＳＰＳ構成パラメータを使いて少なくとも１つのトランスポートブロックが送信され得る。
【０１７７】
一実施形態によれば、ＤＣＩは、少なくとも１つの第１のサイドリンクＳＰＳ構成のアクティブ化を示し得る。ＤＣＩは、少なくとも１つのリソースパラメータを更に含み得る。サブフレーム内の少なくとも１つのトランスポートブロックの送信は、少なくとも１つのリソースパラメータを更に採用することができる。サブフレームは、少なくとも１つの第１のサイドリンクＳＰＳ構成パラメータの第１のサイドリンクＳＰＳ間隔を用いて決定され得る。
【０１７８】
一実施形態によれば、少なくとも１つのサイドリンクＳＰＳ構成パラメータは、サイドリンクＳＰＳ  ＩＥに対応する１つ以上のトラフィックタイプを示す少なくとも１つのパラメータを含み得る。一実施形態によれば、少なくとも１つのサイドリンクＳＰＳ構成パラメータは、サイドリンクＳＰＳ  ＩＥに対応する少なくとも１つの論理チャネル識別子を含み得る。一実施形態によれば、ＤＣＩは、キャリアインジケータフィールド、周波数ホッピングフラグ、リソースブロック割り当て及びホッピングリソース割り当てを示す第１のフィールド、変調及びコーディングスキーム並びに冗長バージョンを示す第２のフィールド、１つ以上のトラフィックタイプを示す少なくとも１つのフィールド、新しいデータインジケータフィールド、又は送信電力制御（ＴＰＣ）フィールドのうちの少なくとも１つを更に含むことができる。
【０１７９】
一実施形態によれば、少なくとも１つのＲＲＣメッセージは、アップリンクＳＰＳ  ＲＮＴＩと、少なくとも１つのアップリンクＳＰＳ  ＩＥのシーケンスとを含み得る。アップリンクＳＰＳ  ＩＥは、少なくとも１つのアップリンクＳＰＳ構成パラメータのインデックスを示すアップリンクＳＰＳ構成インデックスと、少なくとも１つのアップリンクＳＰＳ構成パラメータとを含むことができる。
【０１８０】
一実施形態によれば、少なくとも１つのＲＲＣメッセージは、第２のＳＰＳ  ＲＮＴＩと、第２のＳＰＳ  ＲＮＴＩに対応する少なくとも１つの第２のＳＰＳ構成パラメータとを含むことができる。一実施形態によれば、サイドリンクＳＰＳ  ＲＮＴＩは、Ｖ２Ｘ通信に採用され得る。一実施形態によれば、少なくとも１つのＳＰＳ構成パラメータは、幾つかの構成されたハイブリッド自動反復要求（ＨＡＲＱ）プロセス、又は少なくとも１つの送信電力パラメータ、のうちの少なくとも１つを含むことができる。
【０１８１】
図２３は、本開示の一実施形態の一局面による例示的な流れ図である。２３１０において、基地局は少なくとも１つのメッセージを送信し得る。少なくとも１つのメッセージは、アップリンク周期的リソース割り当て無線ネットワーク一時識別子（ＲＮＴＩ）と、少なくとも１つのアップリンク周期的リソース割り当て情報要素（ＩＥ）のシーケンスとを含むことができる。アップリンク周期的リソース割り当てＩＥは、少なくとも１つのアップリンク周期的リソース割り当て構成パラメータと、少なくとも１つのアップリンク周期的リソース割り当て構成パラメータに関する周期的リソース割り当て構成インデックスとを含むことができる。２３２０で、アップリンク周期的リソース割り当てＲＮＴＩに対応するダウンリンク制御情報（ＤＣＩ）が送信することができる。ＤＣＩは、少なくとも１つのアップリンク周期的リソース割り当てＩＥのうちの１つの第１の周期的リソース割り当て構成インデックスを含むことができる。２３３０において、第１の周期的リソース割り当て構成インデックスに対応する少なくとも１つの第１のアップリンク周期的リソース割り当て構成パラメータを用いて少なくとも１つのトランスポートブロックを受信することができる。
【０１８２】
一実施形態によれば、アップリンク周期的リソース割り当てＲＮＴＩに対応する第２のＤＣＩが送信することができる。第２のＤＣＩは、少なくとも１つのアップリンク周期的リソース割り当て構成をリリースするように構成することができる。第２のＤＣＩは、第１の周期的リソース割り当て構成インデックスを含み得る。
【０１８３】
図２４は、本開示の一実施形態の一局面による例示的な流れ図である。２４１０において、無線デバイスは少なくとも１つのメッセージを受信し得る。少なくとも１つのメッセージは、アップリンクセミパーシステントスケジューリング（ＳＰＳ）無線ネットワーク一時識別子（ＲＮＴＩ）と、少なくとも１つのアップリンクＳＰＳ構成パラメータとを含むことができる。少なくとも１つのアップリンクＳＰＳ構成パラメータは、アップリンクＳＰＳ間隔と、少なくとも１つのアップリンクＳＰＳ構成パラメータに関するＳＰＳ構成インデックスとを含み得る。２４２０において、アップリンクＳＰＳ  ＲＮＴＩに対応するダウンリンク制御情報（ＤＣＩ）を受信することができる。ＤＣＩは、ＳＰＳ構成インデックスを含み得る。２４３０において、少なくとも１つのアップリンクＳＰＳ構成パラメータを用いて少なくとも１つのトランスポートブロックを送信することができる。
【０１８４】
図２５は、本開示の一実施形態の一局面による例示的な流れ図である。２５１０において、無線デバイスは少なくとも１つのメッセージを受信し得る。少なくとも１つのメッセージは、アップリンク周期的リソース割り当て無線ネットワーク一時識別子（ＲＮＴＩ）と、アップリンク周期的リソース割り当て間隔を含む少なくとも１つのアップリンク周期的リソース割り当て構成パラメータと、少なくとも１つのアップリンク周期的リソース割り当て構成パラメータに対する周期的リソース割り当て構成インデックスとを含むことができる。２５２０において、アップリンク周期的リソース割り当てＲＮＴＩに対応するダウンリンク制御情報（ＤＣＩ）を受信することができる。ＤＣＩは、周期的リソース割り当て構成インデックスを含み得る。２５３０において、少なくとも１つのアップリンク周期的リソース割り当て構成パラメータを用いて少なくとも１つのトランスポートブロックを送信することができる。
【０１８５】
図２６は、本開示の一実施形態の一局面による例示的な流れ図である。２６１０において、無線デバイスは少なくとも１つのメッセージを受信し得る。少なくとも１つのメッセージは、サイドリンクセミパーシステントスケジューリング（ＳＰＳ）無線ネットワーク一時識別子（ＲＮＴＩ）と、サイドリンクＳＰＳ間隔を含む少なくとも１つのサイドリンクＳＰＳ構成パラメータと、少なくとも１つのサイドリンクＳＰＳ構成パラメータに関するＳＰＳ構成インデックスとを含むことができる。２６２０において、サイドリンクＳＰＳ  ＲＮＴＩに対応するダウンリンク制御情報（ＤＣＩ）を受信することができる。ＤＣＩは、ＳＰＳ構成インデックスを含み得る。２６３０において、少なくとも１つのサイドリンクＳＰＳ構成パラメータを用いて少なくとも１つのトランスポートブロックを送信することができる。
【０１８６】
図２７は、本開示の一実施形態の一局面による例示的な流れ図である。２７１０において、基地局は少なくとも１つのメッセージを送信し得る。少なくとも１つのメッセージは、アップリンクセミパーシステントスケジューリング（ＳＰＳ）無線ネットワーク一時識別子（ＲＮＴＩ）と、少なくとも１つのアップリンクＳＰＳ構成パラメータと、少なくとも１つのアップリンクＳＰＳ構成パラメータに関するＳＰＳ構成インデックスとを含むことができる。２７２０において、アップリンクＳＰＳ  ＲＮＴＩに対応するダウンリンク制御情報（ＤＣＩ）を受信することができる。ＤＣＩは、ＳＰＳ構成インデックスを含み得る。２７３０において、少なくとも１つのアップリンクＳＰＳ構成パラメータを用いて少なくとも１つのトランスポートブロックを受信することができる。
【０１８７】
図２８は、本開示の一実施形態の一局面による例示的な流れ図である。２８１０において、基地局は少なくとも１つのメッセージを送信し得る。少なくとも１つのメッセージは、アップリンク周期的リソース割り当て無線ネットワーク一時識別子（ＲＮＴＩ）と、少なくとも１つのアップリンク周期的リソース割り当て構成パラメータと、少なくとも１つのアップリンク周期的リソース割り当て構成パラメータに関する周期的リソース割り当て構成インデックスとを含むことができる。２８２０において、アップリンク周期的リソース割り当てＲＮＴＩに対応するダウンリンク制御情報（ＤＣＩ）を送信することができる。ＤＣＩは、周期的リソース割り当て構成インデックスを含み得る。２８３０において、少なくとも１つのアップリンク周期的リソース割り当て構成パラメータを用いて少なくとも１つのトランスポートブロックを受信することができる。
【０１８８】
図２９は、本開示の一実施形態の一局面による例示的な流れ図である。２９１０において、基地局は少なくとも１つのメッセージを送信し得る。少なくとも１つのメッセージは、サイドリンクセミパーシステントスケジューリング（ＳＰＳ）無線ネットワーク一時識別子（ＲＮＴＩ）と、サイドリンクＳＰＳ間隔を含む少なくとも１つのサイドリンクＳＰＳ構成パラメータと、少なくとも１つのサイドリンクＳＰＳ構成パラメータに関するＳＰＳ構成インデックスとを含み得る。２９２０において、サイドリンクＳＰＳ  ＲＮＴＩに対応するダウンリンク制御情報（ＤＣＩ）が送信され得る。ＤＣＩは、ＳＰＳ構成インデックスを含むことができ、少なくとも１つのアップリンクＳＰＳ構成パラメータに基づいて、少なくとも１つのトランスポートブロックの送信を開始するように構成される。
【０１８９】
図３０は、本開示の一実施形態の一局面による例示的な流れ図である。３０１０において、無線デバイスは少なくとも１つのメッセージを受信し得る。少なくとも１つのメッセージは、周期的リソース割り当てのためのアップリンク無線ネットワーク一時識別子（ＲＮＴＩ）と、周期的リソース割り当てのための少なくとも１つの構成パラメータとを含むことができる。少なくとも１つの構成パラメータは、アップリンク間隔パラメータと、１つ以上のトラフィックタイプを示す少なくとも１つの第１のパラメータとを含むことができる。３０２０において、アップリンクＲＮＴＩに対応するダウンリンク制御情報（ＤＣＩ）が受信され得る。ＤＣＩは、周期的リソース割り当てのアクティブ化を示すことができる。３０３０において、１つ以上のトラフィックタイプのデータを含む少なくとも１つのトランスポートブロックが、少なくとも１つの構成パラメータを用いて送信され得る。
【０１９０】
一実施形態によれば、少なくとも１つのパラメータは少なくとも１つの論理チャネル識別子を含み得る。一実施形態によれば、アップリンクＲＮＴＩに対応する第２のＤＣＩが受信され得る。第２のＤＣＩは周期的リソース割り当てをリリースしてもよい。
【０１９１】
一実施形態によれば、少なくとも１つのメッセージは、少なくとも１つの構成パラメータのインデックスを示す周期的リソース割り当て構成インデックスを更に含み得る。一実施形態によれば、ＤＣＩは周期的リソース割り当て構成インデックスを更に含むことができる。
【０１９２】
一実施形態によれば、無線デバイスのアップリンクバッファが１つ以上のトラフィックタイプのデータを含まないとき、ＤＣＩによって示されるリソースにおけるアップリンク送信はスキップされ得る。一実施形態によれば、ＤＣＩは少なくとも１つのリソースパラメータを含むことができる。一実施形態によれば、サブフレーム内の少なくとも１つのトランスポートブロックの送信は、少なくとも１つのリソースパラメータを更に採用することができる。一実施形態によれば、サブフレームは、アップリンク間隔パラメータを用いて決定され得る。一実施形態によれば、少なくとも１つの構成パラメータは、幾つかの構成されたハイブリッド自動反復要求（ＨＡＲＱ）プロセス、又は少なくとも１つの送信電力パラメータ、のうちの少なくとも１つを含み得る。
【０１９３】
図３１は、本開示の一実施形態の一局面による例示的な流れ図である。３１１０においてで、基地局は少なくとも１つのメッセージを送信し得る。少なくとも１つのメッセージは、周期的リソース割り当てのためのアップリンク無線ネットワーク一時識別子（ＲＮＴＩ）と、周期的リソース割り当てのための少なくとも１つの構成パラメータとを含み得る。少なくとも１つの構成パラメータは、アップリンク間隔パラメータと、１つ以上のトラフィックタイプを示す少なくとも１つのパラメータとを含み得る。３１２０において、アップリンクＲＮＴＩに対応するダウンリンク制御情報（ＤＣＩ）が送信され得る。ＤＣＩは、周期的リソース割り当てのアクティブ化を示すことができる。３１３０において、１つ以上のトラフィックタイプのデータを含む少なくとも１つのトランスポートブロックが、少なくとも１つの構成パラメータを用いて受信され得る。
【０１９４】
一実施形態によれば、少なくとも１つのパラメータは少なくとも１つの論理チャネル識別子を含み得る。一実施形態によれば、アップリンクＲＮＴＩに対応する少なくとも第２のＤＣＩが受信され得る。ＤＣＩは周期的リソース割り当てをリリースすることができる。
【０１９５】
一実施形態によれば、少なくとも１つのメッセージは、少なくとも１つの構成パラメータのインデックスを示す周期的リソース割り当て構成インデックスを更に含み、ＤＣＩは周期的リソース割り当て構成インデックスを含み得る。一実施形態によれば、無線デバイスのアップリンクバッファが１つ以上のトラフィックタイプのデータを含まない場合、ＤＣＩによって示されるリソースにおけるアップリンク送信はスキップされ得る。
【０１９６】
一実施形態によれば、ＤＣＩは少なくとも１つのリソースパラメータを含むことができる。一実施形態によれば、サブフレーム内の少なくとも１つのトランスポートブロックの送信は、少なくとも１つのリソースパラメータを更に採用することができる。一実施形態によれば、サブフレームは、アップリンク間隔パラメータを使用して決定され得る。
【０１９７】
一実施形態によれば、少なくとも１つの構成パラメータは、幾つかの構成されたハイブリッド自動反復要求（ＨＡＲＱ）プロセス、又は少なくとも１つの送信電力パラメータ、のうちの少なくとも１つを含み得る。
【０１９８】
図３２は、本開示の一実施形態の一局面による例示的な流れ図である。３２１０において、無線デバイスは少なくとも１つのメッセージを受信し得る。少なくとも１つのメッセージは、ＳＰＳトラフィックと関連する論理チャネル識別情報、ＳＰＳトラフィックと関連するメッセージサイズ、及びＳＰＳトラフィックと関連する周期性を含む１つ以上のセミパーシステントスケジューリング（ＳＰＳ）支援情報を含むことができる。ＳＰＳ支援情報に応答して、３２２０において、ＳＰＳ許可のアクティブ化を示すアクティブ化コマンドを受信することができる。ＳＰＳ許可における１つ以上のパラメータは、ＳＰＳ支援情報に基づいてもよい。
【０１９９】
図３３は、本開示の一実施形態の一局面による例示的な流れ図である。３３１０において、無線デバイスは少なくとも１つのメッセージを受信し得る。少なくとも１つのメッセージは、ＳＰＳトラフィックと関連する論理チャネル識別情報、ＳＰＳトラフィックと関連するメッセージサイズ、及びＳＰＳトラフィックと関連する周期性を含む１つ以上のセミパーシステントスケジューリング（ＳＰＳ）支援情報を含み得る。ＳＰＳ支援情報に応答して、ＳＰＳの１つ以上の構成パラメータを含む無線リソース制御（ＲＲＣ）メッセージを３３２０で受信することができる。ＳＰＳ許可内の１つ以上の構成パラメータは、ＳＰＳ支援情報に基づいてもよい。
【０２００】
図３４は、本開示の一実施形態の一局面による例示的な流れ図である。３４１０において、無線デバイスは少なくとも１つのメッセージを受信することができる。少なくとも１つのメッセージは、第１の周期的リソース割り当てのための少なくとも１つの第１の情報要素（ＩＥ）と、第２の周期的リソース割り当てのための少なくとも１つの第２のＩＥとを含み得る。少なくとも１つの第１のＩＥは、第１のアップリンク間隔パラメータを含み得る。少なくとも１つの第２のＩＥは、第２のアップリンク間隔パラメータを含み得る。３４２０において、第１の重複サブフレームを含む第１の複数のサブフレームに対する、第１の周期的リソース割り当てのアクティブ化を示す第１のダウンリンク制御情報（ＤＣＩ）が受信され得る。３４３０において、第１の重複サブフレームを含む第２の複数のサブフレームについての、第２の周期的リソース割り当てのアクティブ化を示す第２のＤＣＩが受信され得る。
【０２０１】
３４３０において、第１のＤＣＩ及び第２のＤＣＩのうちの１つが、第１の重複サブフレーム内の少なくとも１つのトランスポートブロックの送信のための選択されたＤＣＩとして選択され得る。
【０２０２】
３４５０において、第１のＤＣＩ及び第２のＤＣＩのうちの選択されていない方は、第１の重複サブフレームにおける送信のために無視され得る。少なくとも１つのトランスポートブロックは、３４６０において、選択されたＤＣＩと、選択されたＤＣＩに対応する少なくとも１つの第１のＩＥ又は少なくとも１つの第２のＩＥとを用いて送信され得る。
【０２０３】
一実施形態によれば、第１の重複サブフレーム内の少なくとも１つのトランスポートブロックの送信のための選択されたＤＣＩとしての、第１のＤＣＩ及び第２のＤＣＩのうちの１つの選択は、１つ以上の基準に基づき得る。一実施形態によれば、少なくとも１つの第１のＩＥは、１つ以上の第１のトラフィックタイプを示す少なくとも１つのパラメータを含み得る。少なくとも１つの第２のＩＥは、１つ以上の第１のトラフィックタイプを示す少なくとも１つのパラメータを含み得る。１つ以上の基準は、１つ以上の第１のトラフィックタイプ及び１つ以上の第２のトラフィックタイプの優先度に依存し得る。一実施形態によれば、１つ以上の基準は、第１のＤＣＩ及び第２のＤＣＩ内の１つ以上のパラメータに依存し得る。一実施形態によれば、１つ以上の基準は、少なくとも１つの第１のＩＥ及び少なくとも１つの第２のＩＥ内の１つ以上のパラメータに依存し得る。一実施形態によれば、１つ以上の基準は、第１のアップリンク間隔パラメータ及び第２のアップリンク間隔パラメータに依存し得る。一実施形態によれば、１つ以上の基準は、第１のＤＣＩと関連付けられた第１の無線リソース割り当て、及び第２のＤＣＩと関連付けられた第２の無線リソース割り当てに依存し得る。
【０２０４】
図３５は、本開示の一実施形態の一局面による例示的な流れ図である。３５１０において、無線デバイスは少なくとも１つのメッセージを受信し得る。少なくとも１つのメッセージは、第１のセミパーシステントスケジューリング（ＳＰＳ）のための第１の構成パラメータ、第２のＳＰＳのための第２の構成パラメータ、及び第１のＳＰＳと第２のＳＰＳの間で共有される最大数のアップリンクハイブリッド自動反復要求（ＨＡＲＱ）プロセスを含むことができる。３５２０において、第１のＳＰＳに対する第１のリソース割り当てを示す第１のダウンリンク制御情報（ＤＣＩ）が受信され得る。３５３０において、第２のＳＰＳに対する第２のリソース割り当てを示す第２のＤＣＩが受信され得る。３５４０において、第１のＨＡＲＱプロセス識別子と関連付けられた第１のトランスポートブロック（ＴＢ）が、第１のリソース割り当てを用いて送信され得る。３５５０において、第２のＨＡＲＱプロセス識別子と関連付けられた第２のＴＢが、第２のリソース割り当てを用いて送信され得る。第２のＳＰＳの第２のＨＡＲＱプロセス識別子は、少なくとも第１のＳＰＳの第１のＨＡＲＱプロセス識別子に基づいて決定され得る。
【０２０５】
一実施形態によれば、第１の構成パラメータ及び第２の構成パラメータは、最大数のアップリンクＨＡＲＱプロセスを含み得る。一実施形態によれば、第１の構成パラメータは第１の間隔値を含み、第２の構成パラメータは第２の間隔値を含むことができる。一実施形態によれば、１つ以上のメッセージは、第１のＳＰＳと第２のＳＰＳの間で共有される第３の構成パラメータを更に含むことができる。実施形態によれば、第２のＨＡＲＱプロセス識別子は、（第１のＨＡＲＱプロセス識別子プラス第１数）モジュロ（アップリンクＨＡＲＱプロセスの最大数）であってもよい。一実施形態によれば、第２のＴＢが第１のＴＢの次のＳＰＳ  ＴＢであることに応答して、第１の数は１であり得る。一実施形態によれば、第１の数は、無線デバイスが第１のＴＢを送信しないことに応答してゼロであり得る。一実施形態によれば、１つ以上のメッセージは、少なくとも１つのオフセット値を更に含み得る。
【０２０６】
図３６は、本開示の一実施形態の一局面による例示的な流れ図である。３６１０において、無線デバイスは少なくとも１つのメッセージを受信し得る。少なくとも１つのメッセージは、第１のセミパーシステントスケジューリング（ＳＰＳ）のための第１の構成パラメータと、第２のＳＰＳのための第２の構成パラメータとを含み得る。３６２０において、第１のＳＰＳに対する第１のリソース割り当てを示す第１のダウンリンク制御情報（ＤＣＩ）を受信することができる。３６３０において、第２のＳＰＳに対する第２のリソース割り当てを示す第２のＤＣＩを受信することができる。３６４０において、第１のハイブリッド自動反復要求（ＨＡＲＱ）プロセス識別子が、少なくとも第１のオフセット値に基づいて決定され得る。３６５０において、第１のＨＡＲＱプロセス識別子と関連付けられた第１のＳＰＳの第１のトランスポートブロック（ＴＢ）が、第１のリソース割り当てを用いて送信され得る。３６６０において、少なくとも第２のオフセット値に基づいて、第２のＨＡＲＱプロセス識別子を決定することができる。第２のオフセット値は第１のオフセット値とは異なり得る。３６７０において、第２のＨＡＲＱプロセス識別子と関連付けられた第２のＳＰＳの第２のＴＢが、第２のリソース割り当てを用いて送信され得る。
【０２０７】
一実施形態によれば、第１の構成パラメータは第１のオフセット値を示し、第２の構成パラメータは第２のオフセット値を示す。一実施形態によれば、第１のＤＣＩは第１のオフセット値を示し、第２のＤＣＩは第２のオフセット値を示す。一実施形態によれば、第１の１つ以上のメッセージは、第１のオフセット値及び第２のオフセット値を含む複数のオフセット値を含み、第１のＤＣＩは第１のオフセット値に対する第１のインデックスを含み、第２のＤＣＩは第２のオフセット値に対する第２のインデックスを含むことができる。一実施形態によれば、第１のオフセット値及び第２のオフセット値は、少なくとも第１のＳＰＳと関連付けられた第１のシーケンス識別子、及び第２のＳＰＳと関連付けられた第２のシーケンス識別子に基づいて取得することができる。一実施形態によれば、第２のオフセット値は、第１のオフセット値に第１の構成パラメータの第１パラメータを加えたものであり得る。一実施形態によれば、１つ以上のメッセージは、第１のＳＰＳシーケンス識別子及び第２のＳＰＳシーケンス識別子を含み得る。一実施形態によれば、第１のシーケンス識別子及び第２のシーケンス識別子は、少なくとも第１の構成パラメータ及び第２の構成パラメータに基づいて取得され得る。一実施形態によれば、第１のオフセット値はゼロであり得る。一実施形態によれば、第１の構成パラメータは第１の間隔値を含み、第２の構成パラメータは第２の間隔値を含むことができる。一実施形態によれば、第１の構成パラメータは第１の数のアップリンクＳＰＳプロセスを含み、第２の構成パラメータは第２の数のアップリンクＳＰＳプロセスを含み得る。一実施形態によれば、１つ以上のメッセージは、第１のＳＰＳと第２のＳＰＳ間で共有される第２の構成パラメータを更に含むことができる。
【０２０８】
図３７は、本開示の一実施形態の一局面による例示的な流れ図である。３７１０において、無線デバイスは少なくとも１つのメッセージを受信し得る。少なくとも１つのメッセージは、第１の複数のハイブリッド自動反復要求（ＨＡＲＱ）識別子を含む第１のセミパーシステントスケジューリング（ＳＰＳ）のための第１の構成パラメータ、及び第２の複数のＨＡＲＱ識別子を含む第２のＳＰＳのための第２の構成パラメータを含み得る。３７２０において、第１のＳＰＳに対する第１のリソース割り当てを含む第１のダウンリンク制御情報（ＤＣＩ）が受信され得る。３７３０において、第１のＨＡＲＱプロセス識別子は、少なくとも第１の複数のＨＡＲＱプロセス識別子及び第１のリソース割り当てに基づいて決定され得る。３７４０において、第１のＨＡＲＱプロセス識別子と関連付けられた第１のＳＰＳの第１のトランスポートブロック（ＴＢ）が送信され得る。３７５０において、第２のＨＡＲＱプロセス識別子は、少なくとも第２の複数のＨＡＲＱプロセス識別子及び第２のリソース割り当てに基づいて決定され得る。第２のＨＡＲＱプロセス識別子と関連付けられた第２のＳＰＳの第２のＴＢは、３７６０において送信され得る。
【０２０９】
本明細書では、「ａ」と「ａｎ」及び同様の語句は「少なくとも１つ」及び「１つ以上」として解釈される。本明細書では、用語「ｍａｙ」は「例えば、〜であってもよい」として解釈される。言い換えると、用語「ｍａｙ」は、用語「ｍａｙ」に続く語句が複数の適切な可能性の１つの例であり、種々の実施形態の１つ以上に対して用いられても用いられなくてもよいことを示す。ＡとＢが集合であり、Ａのあらゆる要素がＢの要素でもある場合、ＡはＢの部分集合と呼ばれる。本明細書では、空ではない集合及び部分集合のみが考慮される。例えば、Ｂ＝｛セル１，セル２｝の可能な部分集合は、｛セル１｝、｛セル２｝及び｛セル１，セル２｝である。
【０２１０】
本明細書では、パラメータ｛情報要素：ＩＥ｝は１つ以上のオブジェクトを含んでもよく、それらのオブジェクトの各々は１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的実施形態においては、１つ以上のメッセージが複数のパラメータを含むとき、それは、複数のパラメータのうちのパラメータが１つ以上のメッセージのうちの少なくとも１つに含まれるが、１つ以上のメッセージの各々に含まれる必要はないことを意味する。一実施例においては、ＩＥは、第１のパラメータ（第１のＩＥ）のシーケンスであり得る。シーケンスは１つ以上の第１のパラメータを含み得る。例えば、シーケンスは、長さｍａｘ＿ｌｅｎｇｔｈ（例えば、１、２、３など）を有することができる。シーケンス内の第１のパラメータは、シーケンス内のパラメータインデックスによって識別することができる。シーケンスは順序付けすることができる。
【０２１１】
開示された実施形態に記載された要素の多くはモジュールとして具現化されてもよい。モジュールは、ここでは、定義された機能を実行し、他の要素への定義されたインターフェースを有する分離可能な要素として定義されている。本開示に記載されるモジュールは、ハードウェア、ハードウェアと組み合わせたソフトウェア、ファームウェア、ウェットウェア（すなわち、生物学的要素を有するハードウェア）、又はそれらの組み合わせで具現化され得、それらは全て動作的に等価である。例えば、モジュールは、ハードウェアマシンよって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂなど）で書かれたソフトウェアルーチン、又はＳｉｍｕｌｉｎｋ、Ｓｔａｔｅｆｌｏｗ、ＧＮＵ  Ｏｃｔａｖｅ、又はＬａｂＶＩＥＷＭａｔｈＳｃｒｉｐｔのようなモデリング／シミュレーションプログラムとして具現化され得る。更に、個別の、又はプログラム可能なアナログ、デジタル及び／又は量子ハードウェアを組み込んだ物理的ハードウェアを使用してモジュールを具現化することが可能であり得る。プログラム可能なハードウェアの例には、コンピュータ、マイクロコントローラ、マイクロプロセッサ、特定用途向け集積回路（ＡＳＩＣ）；フィールドプログラマブルゲートアレイ（ＦＰＧＡ）、及び複号プログラマブル論理デバイス（ＣＰＬＤ）が含まれる。コンピュータ、マイクロコントローラ及びマイクロプロセッサは、アセンブリ、Ｃ、Ｃ＋＋などの言語を使用してプログラムされる。ＦＰＧＡ、ＡＳＩＣ、及びＣＰＬＤは、ＶＨＳＩＣハードウェア記述言語（ＶＨＤＬ）又はＶｅｒｉｌｏｇなどのハードウェア記述言語（ＨＤＬ）を使用してプログラムされることが多く、プログラマブルデバイスの機能がより少ない内部ハードウェアモジュール間の接続を構成する。最後に、上記の技術はしばしば機能モジュールの結果を達成するために組み合わせて使用されることを強調しておく必要がある。
【０２１２】
この特許文書の開示は、著作権保護の対象となる資料を組み込んでいる。著作権所有者は、特許商標庁の特許ファイル又は記録に記載されているように、法律によって要求される限られた目的のために、誰かによる特許文書又は特許開示の複製に反対しないが、それ以外の場合は、全ての著作権を留保する。
【０２１３】
種々の実施形態を上述したが、それらは限定ではなく例として提示されたことを理解されたい。当業者には、趣旨及び範囲を逸脱することなく形態及び詳細の種々の変更をなし得ることが明らかであろう。実際、上記の説明を読んだ後、代替実施形態をどのように具現化するかは当業者には明らかであろう。したがって、本実施形態は、上述の例示的実施形態のいずれによっても限定されるべきではない。特に、例示の目的のために、上記の説明は、ＬＡＡ通信システムを使用する例に焦点を合わせていることに留意されたい。しかしながら、当業者は、本開示の実施形態が１つ以上のＴＤＤセル（例えばフレーム構造２及び／又はフレーム構造１）を含むシステムにおいても具現化され得ることを認識するであろう。開示された方法及びシステムは、無線又は有線システムにおいて具現化されてもよい。本開示に提示された種々の実施形態の特徴は組み合わされてもよい。一実施形態の１つ以上の特徴（方法又はシステム）は、他の実施形態において具現化され得る。限られた数の例示的な組み合わせのみが、強化された送信及び受信システム及び方法を作成するために種々の実施形態において組み合わされ得る特徴の可能性を当業者に示すために示される。
【０２１４】
更に、機能性及び利点を強調する図はいずれも例示目的のみのために提示されていることを理解されたい。開示されたアーキテクチャは、示されたもの以外の方法で利用され得るように、十分に柔軟で構成可能である。例えば、幾つかの実施形態においては、任意のフローチャートに列挙された動作は並べ替えられてもよく、又は任意選択で使用されてもよい。
【０２１５】
更に、開示の要約の目的は、米国特許商標庁及び一般大衆、特に特許又は法的用語又は表現に精通していない当該分野の科学者、技術者及び実務家が、一瞥して出願の技術的な開示の性質と本質を迅速に判断できるようにすることである。開示の要約は、いかなる意味においても範囲を限定することを意図するものではない。
【０２１６】
最後に、「する手段」又は「するステップ」という明示的な用語を含むクレームのみが、３５  Ｕ．Ｓ．Ｃ．  １１２の下で解釈されることが出願人の意図である。「する手段」又は「するステップ」という語句を明示的に含まない請求項は、３５  Ｕ．Ｓ．Ｃ．１１２に基づいて解釈されるべきでない。
【図１】
2019530294.tif 000013
【図２】
2019530294.tif 000014
【図３】
2019530294.tif 000015
【図４】
2019530294.tif 000016
【図５Ａ】
2019530294.tif 000017
【図５Ｂ】
2019530294.tif 000018
【図５Ｃ】
2019530294.tif 000019
【図５Ｄ】
2019530294.tif 000020
【図６】
2019530294.tif 000021
【図７】
2019530294.tif 000022
【図８】
2019530294.tif 000023
【図９】
2019530294.tif 000024
【図１０】
2019530294.tif 000025
【図１１】
2019530294.tif 000026
【図１２】
2019530294.tif 000027
【図１３】
2019530294.tif 000028
【図１４】
2019530294.tif 000029
【図１５】
2019530294.tif 000030
【図１６】
2019530294.tif 000031
【図１７】
2019530294.tif 000032
【図１８】
2019530294.tif 000033
【図１９】
2019530294.tif 000034
【図２０】
2019530294.tif 000035
【図２１】
2019530294.tif 000036
【図２２】
2019530294.tif 000037
【図２３】
2019530294.tif 000038
【図２４】
2019530294.tif 000039
【図２５】
2019530294.tif 000040
【図２６】
2019530294.tif 000041
【図２７】
2019530294.tif 000042
【図２８】
2019530294.tif 000043
【図２９】
2019530294.tif 000044
【図３０】
2019530294.tif 000045
【図３１】
2019530294.tif 000046
【図３２】
2019530294.tif 000047
【図３３】
2019530294.tif 000048
【図３４】
2019530294.tif 000049
【図３５】
2019530294.tif 000050
【図３６】
2019530294.tif 000051
【図３７】
2019530294.tif 000052
【国際調査報告】
2019530294.tif 000053
2019530294.tif 000054
2019530294.tif 000055
2019530294.tif 000056
2019530294.tif 000057
2019530294.tif 000058